(57)【要約】【課題】本発明はタイトル再生の中断時の再開制御に関する。【解決手段】再生タイトル（Ｂ）に対してはレジューム許可フラグは“０ｂ”（レジューム情報の更新許可）、ボーナスコンテンツ（Ｃ）に対しては“１ｂ”（レジューム情報の更新禁止）と設定されている。再生タイトル（Ｂ）の再生中断時に、中断箇所を示すリジューム情報を一時保存する。ボーナスコンテンツ（Ｃ）の再生指示時に、リジューム許可フラグを判定し、“０ｂ”ならリジューム情報の値をボーナスコンテンツの情報に書換え、“１ｂ”ならリジューム情報の値を変更せず、設定した値のまま保持する。【選択図】図５６
2008140539.tif 000002
【特許請求の範囲】
【請求項１】
プログラムチェーン情報を記録し、該プログラムチェーン情報はリジュームシーケンス情報を含む情報記憶媒体において、
前記リジュームシーケンス情報は各コンテンツの再生制御情報の中にコンテンツの再生が中断後、再生の再開直前に実行されるリジュームシーケンスを記録する情報記憶媒体。
【請求項２】
プログラムチェーン情報を記録し、該プログラムチェーン情報はリジュームシーケンス情報を含み、前記リジュームシーケンス情報は各コンテンツの再生制御情報の中にコンテンツの再生が中断後、再生の再開直前に実行されるリジュームシーケンスを記録する情報記憶媒え体から情報を再生する情報再生装置において、
再開時に前記リジュームシーケンスの有無を判定する手段と、
該リジュームシーケンスが無い場合には、中断箇所を示す再開情報に基づき中断箇所から再生を再開し、該リジュームシーケンス情報がある場合には、リジュームシーケンス情報で指定された箇所から再生を再開する手段と、
を具備する情報再生装置。
【請求項３】
プログラムチェーン情報を記録し、該プログラムチェーン情報はリジュームシーケンス情報を含み、前記リジュームシーケンス情報は各コンテンツの再生制御情報の中にコンテンツの再生が中断後、再生の再開直前に実行されるリジュームシーケンスを記録する情報記憶媒体から情報を再生する情報再生方法において、
再開時に前記リジュームシーケンスの有無を判定し、
該リジュームシーケンスが無い場合には、中断箇所を示す再開情報に基づき中断箇所から再生を再開し、該リジュームシーケンス情報がある場合には、リジュームシーケンス情報で指定された箇所から再生を再開することを特徴とする情報再生方法。
【発明の詳細な説明】
【技術分野】
【０００１】
本発明は情報記憶媒体（若しくは情報記録媒体）と情報再生装置と情報再生方法に関する。
【背景技術】
【０００２】
このような情報記憶媒体としては集束光を用いてディジタル情報を再生可能なＤＶＤ(digital versatile disk)と呼ばれる光ディスクがある。現行のＤＶＤの規格としては、読み出し専用のＤＶＤ−ＲＯＭ規格、追記型のＤＶＤ−Ｒ規格、書換え（１０００回程度）型のＤＶＤ−ＲＷ、書換え（１００００回以上）型のＤＶＤ−ＲＡＭ規格がある。いずれの規格にも、映像情報（ビデオデータ、副映像データ、音声データを総称したビデオオブジェクト）自体の光ディスク（情報記憶媒体）上に記録されたデータ構造とその映像情報を管理する管理データのデータ構造を規定するフォーマット規格がある。
【０００３】
再生専用の現行ＤＶＤビデオ規格は多数種類の言語に同時に対応し、マルチアングル・マルチストーリーなどのマルチシーン表現が可能なばかりでなく、メニュー画面が充実しておりユーザが見たいシーンへの直接アクセスが容易である等、ユーザに使い易い映像コンテンツを提供できるフォーマットになっている（例えば、特許文献１、特許文献２参照）。
【０００４】
上記のように再生専用の現行ＤＶＤビデオ規格はユーザに使い易い映像コンテンツを提供できるフォーマットになってはいるが、ユーザがより一層使い易くし、かつユーザに対するコンテンツ表現力をより一層豊かにするためには規格に対する改良が要求されている。
【０００５】
また、ユーザが使い易いコンテンツを提供するためには、オーサリング（ＤＶＤビデオディスクに記録するプログラムの作成と編集）が複雑になると言う問題がある。
【０００６】
現行ＤＶＤビデオ規格でのユーザに対するコンテンツ表現力が不足している部分、およびユーザが使い難い箇所またはユーザが使い易いコンテンツを提供するためにオーサリングが複雑になる箇所を具体的に列記する。
【０００７】
〔１〕ユーザが使い難い。またはユーザが使い易いコンテンツを作成するにはオーサリングが複雑であった。
【０００８】
（Ａ）タイトルの再生途中で再生中断を行い、何か別の処理をして、再度タイトルの再生に戻った時の再生開始位置に対する不具合点。
【０００９】
（Ａ１）映像を再生中断し、メニュや映像を切り替え表示した後に戻ると、元の中断位置からの再生が出来ない。
【００１０】
特定映像タイトルの再生途中で再生中断を行いメニュー画面に切り替えた後、ボーナスコンテンツを途中あるいは最後まで再生した後に、前回途中で中断を行った映像タイトルを再生しようとすると従来のＤＶＤビデオ規格で作ったコンテンツでは映像タイトルの先頭位置からしか再生できない場合が多い。ボーナスコンテンツの再生を開始した段階で、その前の特定映像タイトルのリジューム情報（再生中断位置情報）がこのボーナスコンテンツの位置情報に書き替えられるためで、ボーナスコンテンツを途中あるいは最後まで再生した後に先の映像タイトルの中断位置から再生を開始できるようなコンテンツにするためには複雑なオーサリング処理が必要となる。
【００１１】
（Ａ２）ゲームなどで再生中断後にゲームを再開しようとした時に切りの良い位置からの再生開始が出来ない。
【００１２】
特定タイトルとして上記の映像の代わりに“ゲーム”（例えばロールプレーイングゲーム）を行っていた場合、メニュー画面に戻った後、ゲームを再開する場合に中断位置では無く、ゲームの章の区切り目から開始させたいと言うコンテンツプロバイダ側からの要求があるが、現行のＤＶＤビデオ規格ではその対応が出来ない。
【００１３】
（Ｂ）表示用言語設定に関する使い難い部分がある。
【００１４】
（Ｂ１）コンテンツ内で指定できるコマンドでメニュー記述言語コードが変更できず、オーサリングが複雑である。
【００１５】
現行のＤＶＤビデオではメニュー記述言語コード（Ｍ＿ＬＣＤ）をナビゲーションデータのＳＰＲＭ（０）（０番目のシステムパラメータ：１６ビット）内に設定し、その値を図３９の情報再生装置のメモリ部１２２内に格納しておく。現行のＤＶＤビデオ規格ではコンテンツ内で設定出来るコマンドリスト内にＳＰＲＭ（０）の値を変更するコマンドは存在せず、特殊な条件下のユーザ指定のみによってのみＳＰＲＭ（０）の値の変更が可能となる。具体的には情報再生装置内に装備されるユーザ機能の内、Ｍｅｎｕ＿Ｌａｎｇｕａｇｅ＿Ｓｅｌｅｃｔ（）と呼ばれるユーザ操作機能を用いてＳＰＲＭ（０）の値を変更できるが、このＭｅｎｕ＿Ｌａｎｇｕａｇｅ＿Ｓｅｌｅｃｔ（）と呼ばれるユーザ操作は情報再生装置が動作停止している間しか設定できないと言う制約がある。このユーザ操作は、専用の画面を表示してリモコンを用いて設定する。
【００１６】
このようにＳＰＲＭ（０）の値をコンテンツ内で設定出来るコマンドで変更できないため、ＳＰＲＭ（０）の値がどのように設定されても対応可能なようにコンテンツ（特にメニュー情報に関するＶＯＢデータ）内に複数のメニュー記述言語コードに対してそれぞれメニュー記述言語コードを選択する画面を作る必要が有り、コンテンツ作成時のオーサリング作業が非常に大変だった。
【００１７】
（Ｂ２）ユーザが設定したメニュー記述言語コード情報が消される危険性が発生する。
【００１８】
例えば仮に（Ｂ１）の問題点を解消するためにコンテンツ内でＳＰＲＭ（０）の値を変更できるコマンドを新規に追加すると、折角ユーザが特定のメニュー記述言語コード（例えば、ＳＰＲＭ（０）に日本語）を設定してもコンテンツを再生することで自動的にＳＰＲＭ（０）の値が変更されてしまう危険性がある。コマンドにより自動的にメニュー記述言語コードが変更されるとユーザが不満を覚えるばかりでなく、ユーザがメニュー記述言語コードを再設定する必要が発生してユーザの負担が増すと言う問題点が発生する。
【００１９】
〔２〕ユーザに対するコンテンツ表現力が不足している箇所がある。
【００２０】
（Ｃ）静止画に対するシームレス再生に関する不具合点。
【００２１】
（Ｃ１）現状のＤＶＤビデオコンテンツでは動画と静止画との間のシームレス接続が出来ない。
【００２２】
現行のＤＶＤビデオでは動画（Ｍｏｖｉｅ  Ｃｏｎｔｅｎｔ）のシームレス再生を保証しており、異なるＶＯＢ間（または異なるタイトル）を跨いで（途中で動画の画面が途切れること無く）シームレスに接続再生が可能となっている。それに反して、例えばスライドショー（表示される静止画像が自動的に切り替わる静止画像に対する一つの表示方法）で表示した静止画から動画に切り替わる時にシームレス再生が保証されず、情報再生装置によっては途中で映像や音声が静止する場合がある。現行のＤＶＤビデオコンテンツでは静止画から動画に切り替わる時点でシームレス接続が保証されない理由は
ｉ）シームレス再生を保証するＥ−ＳＴＤ（Ｅｘｔｅｎｄｅｄ  Ｓｙｓｔｅｍ  Ｔａｒｇｅｔ  Ｄｅｃｏｄｅｒ）モデルにおいて、動画オブジェクト内ではアクセスユニットが定義され、このアクセスユニットの境界位置で図３９に示す分離部１０３、ビデオデコーダ部１１１、副映像デコーダ部１１２、オーディオデコーダ部１１４に設定されるＳＴＣ（Ｓｙｓｔｅｍ  Ｔｉｍｅ  Ｃｌｏｃｋ：基準となるクロック値）の値が切り替わる。これに対して現行ＤＶＤでは静止画に対してはアクセスユニットが定義できない。
【００２３】
つまり、動画はフィールド単位で常に連続して画像（ピクチャ）を出力し続けているのに対し、例えばスライドショーで表示される静止画は断続的にのみ画像を出力する。静止画オブジェクト内のデータ構造としてはＭＰＥＧ２（Ｍｏｖｉｎｇ  Ｐｉｃｔｕｒｅ  Ｅｘｐｅｒｔｓ  Ｇｒｏｕｐ  ２）の規格に従い、１枚の静止画を構成するＩピクチャ（Ｉｎｔｒａ  ｐｉｃｔｕｒｅ）の直後にシーケンスエンドコード（ｓｅｑｕｅｎｃｅ＿ｅｎｄ＿ｃｏｄｅ）が配置され、ビデオデコーダ部１１１ではこのシーケンスエンドコードを検知すると次のＩピクチャが来るまでデコードを停止してしまう。従って、従来のＤＶＤビデオにおいては、静止画の断続的に出力するタイミングの間の期間では動画のようなアクセスユニットを設定出来なかった。
【００２４】
ｉｉ）従来のＤＶＤビデオでは静止画間の切り替えタイミングとして共通パリティー間の切り替えを許容していた。すなわち前の静止画がトップフィールド（またはボトムフィールド）で終了した後、次の静止画がトップフィールド（またはボトムフィールド）から開始されることが許容される。従ってフレームの途中で静止像から動画に切り替わるとシームレス接続が行えず、切り替わり目で画面が乱れる危険性があった。
【００２５】
（Ｃ２）静止画を組み合わせたマルチアングル再生や動画と静止画との間のマルチアングル再生が出来ない。
【００２６】
現行のＤＶＤビデオでは静止画（Ｓｔｉｌｌ  Ｐｉｃｔｕｒｅ  Ｃｏｎｔｅｎｔ）のスライドショーを組み合わせたマルチアングル再生や静止画のスライドショーと動画を組み合わせたマルチアングル再生が難しい。無理にマルチアングル再生対応コンテンツを作った場合には、静止画に対するシームレス再生が保証されてないため、マルチアングルになっている静止画が連続的に再生できなかったり（静止画像が連続的に切り替わらずに途中で静止画が止まったり）、マルチシーンの画面とワンシーケンシャルシーンの画面との間の切り替わり目でスムーズに切り替わらずに途中で画面が止まったりする。動画ではインターリーブドブロック（Ｉｎｔｅｒｌｅａｖｅｄ  Ｂｌｏｃｋ）内で各アングル毎に分散配置を行うインターリーブドユニット（ＩＬＶＵ：Ｉｎｔｅｒｌｅａｖｅｄ  Ｕｎｉｔ）が定義されているに対して、現行ＤＶＤビデオにおいて静止画に対するＩＬＶＵの定義が明確になって無いためである。また、静止画では画面切り替わりまでの期間が長く（同一の静止画を長時間再生し続けるので）、アングル切り替え直後に対応した静止画をすぐに表示できる仕組みが現状では無い。更に（Ｃ１）でも説明したように静止画に対応したＩピクチャの直後に配置されるシーケンスエンドコードを検出すると、次のＩピクチャが来るまでビデオデコーダ部１１１のデコード処理が一時停止されるので現行のＤＶＤビデオ規格上ではインターリーブドブロックを構成するセル内のビデオデータにはシーケンスエンドコードの配置を禁止している。
【００２７】
（Ｄ）セル単位のコマンドが含まれたＶＯＢの所ではシームレス再生が保証されない。
【００２８】
現行ＳＤ（Ｓｔａｎｄａｒｄ  Ｄｅｆｉｎｉｔｉｏｎ）のＤＶＤビデオではＰＧＣ（Ｐｒｏｇｒａｍ  Ｃｈａｉｎ）内のセル単位でのコマンド指定が可能になっている。このコマンド情報は図３５と同様にＰＧＣの管理情報が記録された領域であるＰＧＣＩ（Ｐｒｏｇｒａｍ  Ｃｈａｉｎ  Ｉｎｆｏｒｍａｔｉｏｎ）内のセルコマンド５１３領域内に記録される。このセルコマンド５１３が設定されているセルの再生が終了した時点でセルコマンドが実行されるため、次のセルの再生が一時中断され得る。そのため、現行のＳＤのＤＶＤビデオではセルコマンド５１３を含んだＶＯＢの再生時にセル間のシームレス再生が保証されていない。
【００２９】
（Ｅ）ハイライト情報に関する不具合点
（Ｅ１）ハイライト情報と副映像間で表示期間（設定期間）のずれが生じる。
【００３０】
ビデオタイトル映像の再生時にハイライト情報のメニューを表示させ、ユーザがインタラクティブな操作を出来るようにコンテンツを作れる。この場合、再生中のビデオタイトル映像内容に合わせてハイライト情報を切り替えたり、内容を変化させる必要があるのでハイライト情報の表示期間や有効的な実行可能期間の精度が重要となる。従来のＳＤのＤＶＤビデオコンテンツでは画面に表示されるボタンはボタンの画像を提供する副映像ストリームとボタンで指定したコマンドを実行するのに必要なハイライト情報が含まれるビデオストリームの２種類の異なるストリームの組み合わせで構成されている。
【００３１】
ハイライト情報の有効的な実行可能期間は開始と終了の時刻情報（ＰＴＭ：Ｐｒｅｓｅｎｔａｔｉｏｎ  Ｔｉｍｅ）で与えられ、主に字幕などに利用される副映像の表示期間と完全に一致しており、副映像が終了すると、メニュー選択も終了してしまうという問題を抱えている。そのため、コンテンツ製作者が、字幕とメニューを同時に組合せたコンテンツの製作を行おうとすると、副映像の有効（表示）期間内に、ユーザにメニュー選択を実行させなければならないなど、コンテンツ作成上の制約があり、コンテンツ製作者は、イメージ通りのコンテンツが作成できず、自由度が制限され、ユーザへ提供されるコンテンツの制限を余儀なくされた。
【００３２】
（Ｅ２）メニューの選択項目画像が色彩的に多彩で無い。
【００３３】
現状のＳＤのＤＶＤビデオコンテンツでは１６色の配色しか表現できないのでユーザへのアピール度が低く、多彩なカラー表現が出来ない。
【００３４】
（Ｅ３）ハイライト情報の指定領域を矩形以外の形に設定できない。
【００３５】
現状のＳＤのＤＶＤビデオコンテンツではハイライト情報の指定領域として矩形以外の形状は設定できず、例えば三角形や星形などのバラエティーを持ったコンテンツが作れなかった。
【００３６】
（Ｅ４）画面上の互いに離れた複数領域に対して同じボタンを設定できない。
【００３７】
現状のＳＤのＤＶＤビデオコンテンツではまとまった一箇所の領域内にしか同じボタンを設定できなかった。
【００３８】
それに比べてＰＣの画面やインターネットのホームページ画面では画面内の複数領域に対して同じＵＲＬをリンクさせることが容易であり、現状のＳＤのＤＶＤビデオコンテンツはＰＣ画面やインターネットのホームページ画面に対して見劣りしていた。
【００３９】
（Ｆ）メニュー画面切り替え時に背景音声が飛ぶと言う問題がある。
【００４０】
現状のＳＤのＤＶＤビデオコンテンツでは各メニュー毎にメニュー画面表示時の音声情報（バックグランドミュージック）が付随している。従ってメニュー画面を変える毎にそれに付随して音声情報が変化する。
【００４１】
メニューを切り替えても途切れること無く連続して背景音声が再生したいと言うコンテンツプロバイダの要求を現状のＳＤのＤＶＤビデオコンテンツでは満足できない。
【特許文献１】米国特許第５，６３６，２００号明細書
【特許文献２】特許第２，６７７，７７５号明細書
【発明の開示】
【発明が解決しようとする課題】
【００４２】
このように従来の現行ＤＶＤビデオ規格は、ユーザがより一層使い易くし、かつユーザに対するコンテンツ表現力をより一層豊かにするために、改良が要求されている。
【００４３】
また、ユーザが使い易いコンテンツを提供するためには、オーサリング（ＤＶＤビデオディスクに記録するプログラムの作成と編集）が複雑になると言う問題がある。
【００４４】
そこで、本発明は上記の問題を解決するためになされたものであり、再生専用のＤＶＤビデオコンテンツのユーザに対する表現力を一層向上させると共に、比較的簡易なオーサリングによりユーザが使い易いコンテンツの作成を可能とし、その結果、ユーザに対してＤＶＤビデオの魅力を更に高めることが可能なフォーマット規格に基付くデータ構造と、そのデータ構造が記録された情報記憶媒体を提供すると共に、この情報記憶媒体を再生可能な情報再生装置を提供することを目的とする。
【課題を解決するための手段】
【００４５】
上記した課題を解決し目的を達成するために、本発明は以下に示す手段を用いている。
【００４６】
本発明の一態様による情報記憶媒体は、プログラムチェーン情報を記録し、該プログラムチェーン情報はリジュームシーケンス情報を含む情報記憶媒体において、前記リジュームシーケンス情報は各コンテンツの再生制御情報の中にコンテンツの再生が中断後、再生の再開直前に実行されるリジュームシーケンスを記録するものである。
【００４７】
本発明の他の態様による情報再生装置はプログラムチェーン情報を記録し、該プログラムチェーン情報はリジュームシーケンス情報を含み、前記リジュームシーケンス情報は各コンテンツの再生制御情報の中にコンテンツの再生が中断後、再生の再開直前に実行されるリジュームシーケンスを記録する情報記憶媒体から情報を再生する情報再生装置において、再開時に前記リジュームシーケンスの有無を判定する手段と、該リジュームシーケンスが無い場合には、中断箇所を示す再開情報に基づき中断箇所から再生を再開し、該リジュームシーケンス情報がある場合には、リジュームシーケンス情報で指定された箇所から再生を再開する手段とを具備するものである。
【００４８】
本発明の他の態様による情報再生方法は、プログラムチェーン情報を記録し、該プログラムチェーン情報はリジュームシーケンス情報を含み、前記リジュームシーケンス情報は各コンテンツの再生制御情報の中にコンテンツの再生が中断後、再生の再開直前に実行されるリジュームシーケンスを記録する情報記憶媒体から情報を再生する情報再生方法において、再開時に前記リジュームシーケンスの有無を判定し、該リジュームシーケンスが無い場合には、中断箇所を示す再開情報に基づき中断箇所から再生を再開し、該リジュームシーケンス情報がある場合には、リジュームシーケンス情報で指定された箇所から再生を再開するものである。
【発明の効果】
【００４９】
以上説明したように本発明によれば、再生専用のＤＶＤビデオコンテンツのユーザに対する表現力を一層向上させると共に、比較的簡易なオーサリングによりユーザが使い易いコンテンツの作成を可能とし、その結果、ユーザに対してＤＶＤビデオの魅力を更に高めることが可能なフォーマット規格に基付くデータ構造と、そのデータ構造が記録された情報記憶媒体を提供すると共に、この情報記憶媒体を再生可能な情報再生装置を提供することができる。
【発明を実施するための最良の形態】
【００５０】
以下、図面を参照して本発明の実施の形態を説明する。
【００５１】
まず初めに本発明における特徴の全体を概観し、各特徴間の関係を説明する。次に、本明細書で注目する中心的技術内容である“リジューム情報制御”に関するポイントを説明した後、具体的な実施形態の説明を行う。
【００５２】
本明細書ではビデオデータ、副映像データ、音声データ、グラフィックデータを総称してビデオオブジェクトと呼び、ビデオオブジェクトとビデオオブジェクトの管理データを総称してコンテンツと言う言葉で表現する。また、違いを明確にするために従来のＤＶＤビデオコンテンツをＳＤ（Ｓｔａｎｄａｒｄ  Ｄｅｆｉｎｉｔｉｏｎ）コンテンツ、下記の（Ａ）〜（Ｆ）の特徴を持った本発明実施形態対象のコンテンツをＨＤ（Ｈｉｇｈ  Ｄｅｆｉｎｉｔｉｏｎ）コンテンツと言う言葉を使って使い分ける。
【００５３】
《全体の特徴説明》
〔１〕ユーザが使い難い。またはユーザが使い易いコンテンツを作成するにはオーサリングが複雑である問題点を解決する。
【００５４】
（Ａ）タイトル中断時の中断位置情報制御方法
〔ポイント１〕
リジューム情報への保存・廃棄ルールを現行ＤＶＤビデオ規格に対して変更し、図３９に示す情報再生装置のメモリー部１２２内に記録するリジューム情報の書き換え・変更禁止・情報内容の破棄処理に対して細かく制御可能とする。
【００５５】
〔ポイント２〕
情報再生装置のメモリー部１２２内に記録するリジューム情報が書き替えられた場合には、次のリジューム情報に対する制御指示が来るまで保持する。例えば、従来のＤＶＤビデオ規格では後述するＪｕｍｐＴＴやＪｕｍｐＶＴＳ＿ＴＴあるいはＪｕｍｐＶＴＳ＿ＰＴＴコマンドが実行された場合には、上記のリジューム情報内容を消す決まりがあったが、本発明ではそれを変更し、上記のコマンドが実行された後でもリジューム情報の内容を保持し、（Ａ１）に示した問題点の一部を解消する。
【００５６】
〔ポイント３〕
（Ａ１）に示した問題点の対策として、図２４に示すように各ＰＧＣに対してＲＳＭ（リジューム：Ｒｅｓｕｍｅ：再生再開）命令（画面上の選択による命令）や例えばユーザ指定に対応して実行されるＲｅｓｕｍｅ（）ファンクション（再生装置が行うコマンド）による再生再開が許可されるか否かを示すリジューム許可フラグ（Ｒｅｓｕｍｅ  ｐｅｒｍｉｓｓｉｏｎ  Ｆｌａｇ＝ＲＳＭ許可フラグ）を新たに設定する。具体的な内容として、後述するＣａｌｌＳＳコマンドを実行する時に、このＲＳＭ許可フラグが“０ｂ”に設定されていればリジューム情報の内容を更新し、“１ｂ”に設定されていれば更新を禁止する。
【００５７】
例えば（Ａ１）で説明した例では、ボーナスコンテンツが含まれるＰＧＣに対してリジューム情報の更新を禁止することにより、情報再生装置のメモリー部１２２内に記録されたリジューム情報はその前に中断された特定映像タイトルに対するリジューム情報が保持されることになる（詳細は後述する）。
【００５８】
〔ポイント４〕
（Ａ２）に示した問題点の対策として、図３５に示すようにプログラムチェーン情報ＰＧＣＩの中に新たにプログラムチェーン・コマンドテーブル（ＰＧＣ＿ＣＭＤＴ）５１を設定し、リジュームシーケンス情報を記録する。このプログラムチェーン・コマンドテーブル（ＰＧＣ＿ＣＭＤＴ）５１内に記載されたリジュームシーケンス情報はメニュー画面から該当するタイトルのＰＧＣに戻った直後に実行されるコマンド列（コマンドの連続的な繋がり順序）を意味している。メニュー画像から中断されたタイトルに対応したＰＧＣに戻り、リジューム情報に基づいて再生を開始する前には必ずこのリジュームシーケンス情報の有無を確認する。
【００５９】
リジュームシーケンス情報が無い場合には、リジューム情報に基づき中断位置からの再生を開始する。
【００６０】
もし、リジュームシーケンス情報がある場合には、リジュームシーケンス情報で指定された場所から再生を開始する。
【００６１】
例えば（Ａ２）に示した問題点の対策として、プログラムチェーン・コマンドテーブル（ＰＧＣ＿ＣＭＤＴ）５１内に記録されたリジュームシーケンス情報内に、“ゲームの区切り目の位置情報”をリジューム情報に書き替えるコマンドを設定しておくことで、メニュー画面から戻った直後にはゲームの区切り目から再生を開始させることが出来る（詳細内容は後述する）。
【００６２】
再生を中断した位置を示す情報としてセル番号、セルの先頭位置に配置されたナビパックのアドレス情報、ＰＧＣ再生制御状況、ＶＴＳ（ビデオタイトルセット：Ｖｉｄｅｏ  Ｔｉｔｌｅ  Ｓｅｔ）番号、タイトルドメイン内でのタイトル番号ＴＴＮ（図４４に示すように、このタイトル番号の値はＳＰＲＭ（４）の値として格納される）、タイトルドメイン内でのＶＴＳ内のタイトル番号ＶＴＳ＿ＴＴＮ（この値はＳＰＲＭ（５）の値として格納される）、タイトルドメイン内でのタイトルのＰＧＣ番号ＴＴ＿ＰＧＣＮ（ＳＰＲＭ（６））、１個のシーケンシャルＰＧＣのタイトルに対するパートオブタイトル番号ＰＴＴＮ（ＳＰＲＭ（７））、選択状態でのハイライトのボタン番号ＨＬ＿ＢＴＮＮ（ＳＰＲＭ（８））がリジューム情報として記録される。上記のようにメニュー画像から中断されたタイトルに対応したＰＧＣに戻って来た場合に限らず、リジューム情報の少なくとも一部が変化する場合など、例えばＳＰＲＭ（８）の情報に関連してハイライト位置情報が変わるなどの状況が変化した場合でも、必ずリジュームシーケンス情報の最後まで処理を実行するように設定している。
【００６３】
〔管理情報記録場所〕
リジューム情報を管理する情報の配置場所について第１の実施形態では図２３に示すようにＨＤビデオタイトルセット・プログラムチェーン情報テーブル（ＨＤＶＴＳ＿ＰＧＣＩＴ）４１２内のＨＤＶＴＳ＿ＰＧＣＩサーチポインタ４１２ｂ内のＨＤＶＴＳ＿ＰＧＣカテゴリ（ＨＤＶＴＳ＿ＰＧＣ＿ＣＡＴ）内にＲＳＭ許可フラグ（リジューム情報の更新許可フラグ）を持たせている。
【００６４】
また、他の実施形態（第２の実施形態）では図３３、図３４に示すようにプログラムチェーン・一般情報（ＰＧＣ＿ＧＩ）５０内のＲＳＭ＆ＡＯＢカテゴリ（ＲＳＭ＆ＡＯＢ＿ＣＡＴ）内にＲＳＭ許可フラグ（リジューム情報の更新許可フラグ）を持たせている。
【００６５】
また、（Ａ２）の問題を解決する特徴（Ａ）に関する〔ポイント４〕に示したタイトルのＰＧＣに戻った直後に実行されるコマンド列（コマンドの連続的な繋がり順序）を示すリジュームシーケンス情報は、図３５に示すようにリジューム（ＲＳＭ）コマンドシーケンスとしてプログラムチェーン・コマンドテーブル（ＰＧＣ＿ＣＭＤＴ）５１内にＲＳＭコマンド（ＲＳＭ＿ＣＭＤ）５１４が並んで配置される。また、プログラムチェーン・コマンドテーブル（ＰＧＣ＿ＣＭＤＴ）５１内に配置されたＲＳＭコマンド（ＲＳＭ＿ＣＭＤ）５１４の数情報であるＲＳＭ＿ＣＭＤ＿Ｎｓは図３６に示すようにプログラムチェーン・コマンドテーブル情報（ＰＧＣ＿ＣＭＤＴＩ）５１０内に記録されている。
【００６６】
〔管理情報内容〕
ＲＳＭ許可フラグ（リジューム情報の更新許可フラグ）とは該当するＨＤＶＴＳ＿ＰＧＣの再生を開始した段階でレジューム情報の内容を更新するか（該当するＰＧＣの再生状況に合わせてレジューム情報を逐次更新して行くか）否かを示す。すなわち、上記のフラグが“０ｂ”の場合はレジューム情報の更新を行い、“１ｂ”の場合はレジューム情報の更新を行わず、その前に再生したＨＤＶＴＳ＿ＰＧＣ（本発明のビデオタイトルセット内の対応したプログラムチェーン）の再生中断した情報を保持しておく処理を行う。
【００６７】
ＲＳＭコマンド（ＲＳＭ＿ＣＭＤ）５１４内の具体的なデータ構造は図３６に示すように、１個のコマンド毎に“８バイト分”の領域を割り当てられており、この“８バイト分”の領域内にコマンド内容が記録される。
【００６８】
（Ｂ）表示用言語設定
〔ポイント１〕
（Ｂ１）に示した問題点を解決するため、コンテンツ内でメニュー記述言語コードが設定できる画面を提供できるようにする。具体的には情報記憶媒体の挿入直後に最初に表示可能なファーストプレイＰＧＣ（ＦＰ＿ＰＧＣ）でメニュー記述言語コードの設定を可能とする。ユーザの画面上の選択で上記メニュー記述言語コートが設定できるコンテンツに対応するため、ＦＰ＿ＰＧＣは１個のＶＯＢ（ビデオオブジェクト：Ｖｉｄｅｏ  Ｏｂｊｅｃｔ）を持てるようにし、このＶＯＢは言語選択メニューにのみ使用可能とする。コンテンツが１言語しかサポートしない場合や、現状のメニュー記述言語コードの値を自動的に継承するコンテンツの場合には、ＦＰ＿ＰＧＣはメニュー画面用のＶＯＢを持たないこともある。メニュー記述言語コードの値を自動的に継承するコンテンツの例としては、自動的に情報再生装置の持っているＳＰＲＭ（０）の値とＨＤのＤＶＤビデオコンテンツがサポートする言語とを自動的に比較し、一致したらメニュー記述言語コードをそれに合わせるなどの実施形態がある。この場合には、自動的に比較するコマンド処理シーケンスであるリジュームシーケンス情報の情報がＦＰ＿ＰＧＣに関する管理情報であるＦＰ＿ＰＧＣＩ（ファーストプレイプログラムチェーン情報：Ｆｉｒｓｔ  Ｐｌａｙ  Ｐｒｏｇｒａｍ  Ｃｈａｉｎ  Ｉｎｆｏｒｍａｔｉｏｎ：図４）内に記録されている。
【００６９】
更に、このＦＰ＿ＰＧＣに対する制限条件として１個以下のセルを持てる（ＶＯＢがある時には１個のセルを規定し、メニュー記述言語コード選択用画面を持たないコンテンツの場合にはＶＯＢを持たないので、対応してＦＰ＿ＰＧＣの中にセルを含まない）構造にする。また、このＦＰ＿ＰＧＣではプログラムのシーケンシャル再生のみを許し、パレンタルブロック構造やマルチシーン構造を禁止する。更に、このＦＰ＿ＰＧＣ内で使用可能なストリームとして１個のみ（１個または０個）のオーディオストリームの使用を許可すると共に、サブピクチャ（副映像）ストリームの使用を禁止し、その代わり後述するグラフィックユニットＧＵの使用を導入する。
【００７０】
このため、本発明実施形態では複数のメニュー記述言語コードに対応してそれぞれメニュー記述言語コードを選択する画面を作る必要が無くなり、コンテンツ作成時のオーサリング作業が簡素化される。その結果、オーサリング作業時間が短縮される分コンテンツの販売価格を低下できる。
【００７１】
〔ポイント２〕
（Ｂ１）に示した問題点を解決するため、後述するように新たにＳｅｔＭ＿ＬＣＤコマンドを定義する。このＳｅｔＭ＿ＬＣＤコマンドによりＳＰＲＭ（０）の値が変更可能となる。このＳｅｔＭ＿ＬＣＤコマンドは後述するようにＳｅｔＳｙｓｔｅｍのコマンド領域内に含まれ、ＦＰ＿ＰＧＣの中でしか使用できない。具体的なコマンド内容としてはゼネラルパラメータもしくはＳｅｔＭ＿ＬＣＤ内で指定できる特定な値により言語コードとしてＳＰＲＭ（０）の値を設定する。
【００７２】
〔ポイント３〕
（Ｂ２）に示した問題点を解決するため、ユーザが設定したメニュー記述言語コードを保持できるように、ユーザのみが変更設定を可能としコマンドによる変更が不可能なメニュー記述言語コードを格納する場所として図４４に示すようにＳＰＲＭ（２１）を新たに設定すると共に、従来から存在したＳＰＲＭ（０）の位置付けを若干変更する。すなわち、情報再生装置に設定されたパラメーターとして初期設定メニュー言語（Ｉｎｉｔｉａｌ  Ｍｅｎｕ  Ｌａｎｇｕａｇｅ）の格納場所としてＳＰＲＭ（２１）を新たに定義する。このＳＰＲＭ（２１）はユーザのみが変更設定可能なプレーヤ設定言語であり、コンテンツのプログラム内のコマンドでは変更不可能とする。
【００７３】
そして、ＳＰＲＭ（０）の位置付けを“再生中のカレントメニュー言語”の格納場所に変更する。このＳＰＲＭ（０）はユーザによる変更設定と共にコンテンツ内のコマンドによる変更設定の両方に対応可能にする。その結果、（Ｂ２）の所で説明したコマンドによりＳＰＲＭ（０）が変更されても、ユーザが設定したメニュー記述言語コードが保持でき、ユーザへの不快感や余計な負担を掛けずに済む。
【００７４】
〔具体的なＳＰＲＭ（０）とＳＰＲＭ（２１）の関係説明〕
ＳＰＲＭ（０）とＳＰＲＭ（２１）との関係を説明するため、情報再生装置（プレーヤ）内に情報記憶媒体を挿入した直後の動作の一例を示す。ファーストプレイＰＧＣ（ＦＰ＿ＰＧＣ）の処理を実行する前に、最初にユーザが情報再生装置に対して設定したメニュー記述言語コードである初期設定メニュー言語ＳＰＲＭ（２１）の値をＳＰＲＭ（０）にコピーする。
【００７５】
ＦＰ＿ＰＧＣの中にＳｅｔＭ＿ＬＣＤのコマンドが存在していれば、そのコマンドに従ってＳＰＲＭ（０）の値を変更できるが、（Ｂ２）の問題点回避のためにＳＰＲＭ（０）の値はＳＰＲＭ（２１）からコピーされた値が保持されていることが望ましい。仮にこの情報記憶媒体に記録されたコンテンツ内のＳｅｔＭ＿ＬＣＤコマンドによりＳＰＲＭ（０）がＳＰＲＭ（２１）とは異なる値に書き換えられたとしても、ＳＰＲＭ（２１）の値が保持されているので、次に別の情報記憶媒体が装着されるとＳＰＲＭ（０）の値がＳＰＲＭ（２１）の値に自動的に書き換えられるので、次の情報記憶媒体装着後には（Ｂ２）の問題点が回避できる。例えば、ＦＰ＿ＰＧＣ内にメニュー用ＶＯＢが存在せず、言語選択用メニューが図６に示したＨＤビデオマネージャメニュー・言語ユニット（ＨＤＶＭＧＭ＿ＬＵ）３１２内に存在する場合には、上記ＳＰＲＭ（０）の値に対応したＨＤビデオマネージャメニュー・言語ユニット（ＨＤＶＭＧＭ＿ＬＵ）３１２が選択される。ＳＰＲＭ（２１）の値はあくまでも情報再生装置の動作が停止している段階でユーザによってのみ変更が可能であるが、ユーザによってＳＰＲＭ（２１）の値が書き換えられている時でもＳＰＲＭ（０）の値は同時には書き換えられず従来の値のまま保持される。
【００７６】
〔情報再生装置内のパラメータ情報記録場所〕
図３９に示す情報再生装置内のシステムブロック図においてメモリ部１２２内に図４４に示す“０”から“２１”までのシステムパラメータＳＰＲＭを格納する領域が割り当てられている。このＳＰＲＭ（０）に再生中のカレントメニュー言語コード情報が、ＳＰＲＭ（２１）に初期設定メニュー言語コード情報が記録される。
【００７７】
〔オブジェクト情報記録場所〕
図１の（ｅ）に示すようにメニュー記述言語コードが設定できる画面をファーストプレイＰＧＣ用言語選択メニューＶＯＢＳ（ＦＰ＿ＰＧＣＭ＿ＶＯＢＳ）３５の領域に記録する。また、このオブジェクト情報（ビデオデータ）は図２に示すようにＨＤ＿ＦＰＰＧＣ．ＨＤＶという名前の単独ファイルとして独立させる。
【００７８】
〔管理情報記録場所〕
図４に示すようにＨＤビデオマネージャ情報・管理テーブル（ＨＤＶＭＧＩ＿ＭＡＴ）３１０内のファーストプレイＰＧＣＩ（ＦＰ＿ＰＧＣＩ）にメニュー記述言語コードが設定できる言語選択用メニューに対する管理情報が記録されている。
【００７９】
〔２〕ユーザに対するコンテンツ表現力が不足している箇所
（Ｃ）静止画のシームレス再生
〔ポイント１〕
従来のＤＶＤコンテンツでも動画間のシームレス接続は保証されている。従って上記（Ｃ１）と（Ｃ２）に示した問題点を解決するため、静止画が記録されたＶＯＢＳ（ビデオオブジェクトセット：Ｖｉｄｅｏ  Ｏｂｊｅｃｔ  Ｓｅｔ）に対してもＶＯＢの中身を動画が記録されたＶＯＢＳと同じイメージで定義することで、従来の動画間のシームレス接続と同様に静止画から動画へのシームレス接続（Ｃ１）と静止画のマルチアングル再生（Ｃ２）を保証できる所に特徴がある。
【００８０】
〔ポイント２〕
〔ポイント１〕の考え方を実現する具体的な方法を以下に説明する。シームレス再生を保証するＥ−ＳＴＤ（Ｅｘｔｅｎｄｅｄ  Ｓｙｓｔｅｍ  Ｔａｒｇｅｔ  Ｄｅｃｏｄｅｒ）モデルを適用するため、静止画が記録されたＩピクチャの間の期間に“仮想アクセスユニット”を設定する所に特徴がある。アクセスユニットの設定方法として、本発明実施形態ではビデオフレームの期間またはビデオフレームの整数倍の期間を単位として静止画を開始するＩピクチャと次のＩピクチャとの間の間隔をアクセスユニットの期間毎に仮想的に細かく時間分割する。そして、情報再生装置は、仮想アクセスユニット毎に静止画が繰り返し再生表示されているものと仮想的に見なす。静止画のデコーダに入力されるタイミングを示すＤＴＳ（Ｄｅｃｏｄｉｎｇ  Ｔｉｍｅ  Ｓｔａｍｐ）と静止画が表示されるタイミングを示すＰＴＳ（Ｐｒｅｓｅｎｔａｔｉｏｎ  Ｔｉｍｅ  Ｓｔａｍｐ）は静止画１枚毎にあらかじめ設定されており、１ビデオフレーム期間はＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式とＰＡＬ（Ｐｈａｓｅ  Ａｌｔｅｒｎａｔｉｏｎ  ｂｙ  Ｌｉｎｅ）方式で決まっているので、“仮想アクセスユニット”の境界位置のタイミングを容易に算出できる。このように静止画像に対してもアクセスユニットを設定することで（Ｃ１）の問題点が解決される。すなわち、このアクセスユニットの境界位置で図３９に示す分離部１０３、ビデオデコーダ部１１１、副映像デコーダ部１１２、オーディオデコーダ部１１４に設定されるＳＴＣの値を切り替えて静止画から動画へのシームレス接続再生を可能にする。
【００８１】
静止画から動画へのシームレスな再生接続が保証されれば、ユーザは快適にコンテンツの観賞が出来るばかりでなく、コンテンツプロバイダとしてもユーザへの表現力が向上する。また、従来のＤＶＤビデオのオブジェクト構造を実質的に変更すること無く、仮想的な定義の変更のみで静止画から動画へのシームレス接続表示が可能になるため、従来ＤＶＤビデオのオーサリングツールを大部分利用可能となり本発明を製品化する際の媒体価格上昇を最大限に抑えられる。
【００８２】
〔ポイント３〕
（Ｃ１）の問題点を解決するポイントの一つとして静止画を含むＶＯＢＵに対する規定（制約）を〔ポイント２〕の内容に合わせて下記のように修正する。すなわち、図４１に示すように“仮想アクセスユニット”の整数個で１個のＶＯＢＵを構成するように仮想的に設定する。その結果、各静止画のＶＯＢＵの表示期間はビデオフレームの整数倍となる。前記のように規定（制約）することで静止画から動画への切り替えタイミングは必ずビデオフレームの境界タイミングと一致するので切り替わり時の画面の乱れが防止できるとともに（インターレースされたフィールド表示では無く、隙間が埋められたフレームで表示できるので）切り替え直前・直後の画面を鮮明に表示できる。
【００８３】
図４１においてＶＡＵ（ビデオアクセスユニット：Ｖｉｄｅｏ  Ａｃｃｅｓｓ  Ｕｎｉｔ）内には静止画を示すＩピクチャが１個存在し、ＩＶＡＵ（仮想ＶＡＵ：Ｉｍａｇｉｎａｒｙ  Ｖｉｄｅｏ  Ａｃｃｅｓｓ  Ｕｎｉｔ）内ではＩピクチャを含まないので、ＩＶＡＵ内にはビデオデータが存在しないことになる。図４１のＶＡＵ１からＩＶＡＵ１５までで構成されるＶＯＢＵとＶＡＵ１６からＩＶＡＵ３０までで構成されるＶＯＢＵには１個のみのＩピクチャが存在している。本発明実施形態では同一ＶＯＢＵ内に複数のＩピクチャを持つことを禁止し、必ず１個のＶＯＢＵ内には１個以下のＩピクチャを持つように規定（制約）している。また、ＭＰＥＧ２の規格に準拠してＩピクチャの後ろにシーケンスエンドコードを配置しているので、このようにＩピクチャを含むＶＯＢＵ内には必ず１個のシーケンスエンドコードを持つ（すなわちＩピクチャとシーケンスエンドコードを別のＶＯＢＵ内に分けること無く、両者を必ず同一のＶＯＢＵ内に含ませる）ように規定（制約）する。
【００８４】
また、同一ＶＯＢＵ内ではＩＶＡＵに先行して必ず先にＶＡＵが（仮想的に）配置した構造を取る。このようにＶＯＢＵ内で先頭位置にＶＡＵが配置された（仮想的な）構造にすることにより動画から静止画への切り替えを行った場合に、高速でＶＡＵ内のＩピクチャのデコードが可能となり、動画から静止画へのシームレス再生が可能となる。
【００８５】
図４１においてＩＶＡＵ３０からＩＶＡＵ４５により構成されるＶＯＢＵ内にはビデオデータ（Ｉピクチャ）を含まない。内部にビデオデータを持たないＶＯＢＵの定義も可能とする。
【００８６】
〔ポイント４〕
（Ｃ２）の問題点を解決する手段として静止画オブジェクトに対してＩＶＡＵを仮想的に定義するとともに、下記に示す方法によりＩＬＶＵ（Ｉｎｔｅｒｌｅａｖｅｄ  Ｕｎｉｔ）内への静止画データ（静止画オブジェクト）の配置を可能にする。すなわち、（Ｃ２）で説明したように現行ＤＶＤビデオにおける『ＩＬＶＢ（Ｉｎｔｅｒｌｅａｖｅｄ  Ｂｌｏｃｋ）を構成するセル内のビデオデータへのシーケンスエンドコードの配置を禁止』と言う制約を緩める。そして、ＶＯＢがＩＬＶＵ内に使われる場合には、１個以上のシーケンスエンドコードを持つＶＯＢに対して１個のＶＯＢＵ内の再生期間をビデオフレームの整数倍とし、各ＶＯＢＵ内にはビデオデータとして唯一のＩピクチャを持つか又はビデオデータを持たない構造とするという制約を掛ける。更にＩピクチャが含まれるＶＯＢＵ内には１個のシーケンスエンドコードを持たせると共に、ＩＬＶＵ内の最初のＶＯＢＵには必ずビデオデータ（静止画を記録したＩピクチャ）を持たせる。ユーザ指示などによりアングルを切り替えた直後には、必ず対応したアングルのＩＬＶＵの先頭位置へアクセスされるので、ＩＬＶＵの最初のＶＯＢＵに必ずビデオデータを持たせることでアングル切り替え時の静止画表示までの時間短縮が可能となる。
【００８７】
〔オブジェクト情報記録場所〕
図１の（ｆ）のタイトル用ビデオオブジェクト領域（ＨＤＶＴＳＴＴ＿ＶＯＢＳ）４３の中に上記仮想アクセスユニットが定義される静止画データが記録される。また、この領域は図２のＶＴＳ００１０２．ＨＤＶファイルを構成する。
【００８８】
〔管理情報記録場所〕
上記仮想アクセスユニットが定義される静止画データを管理する管理情報は図１の（ｆ）のＨＤビデオタイトルセット情報領域（ＨＤＶＴＳＩ）４１内に存在し、この領域は図２のＶＴＧＳ００１００．ＩＦＯファイル内にまとまっている。上述したようにビデオフレームの期間またはビデオフレームの整数倍の期間を単位として仮想的に細かく時間分割して仮想的にアクセスユニットの期間を設定するので、実際の仮想アクセスユニットの境界位置は計算上で算出することになる。
【００８９】
（Ｄ）セルコマンドを含むセルのシームレス再生
〔ポイント１〕
従来のＳＤのＤＶＤビデオではセルコマンドを持つセル間のシームレス再生を保証しなかったのに対して『セルコマンドを実行するセルに対してもマルチアングルなどの分岐点を持たない場合にはセル間のシームレス再生を保証』する所に特徴がある。すなわち、ビデオ再生においてマルチアングル等の分岐点を持たない限りにおいて（セルコマンドを実行する場合においても）可能な限り次のセルのビデオ再生を連続して開始することとし、それを可能にするための手段として前のセルの再生が完了した後、０．５秒以内に次のセルの再生を開始できるようにコンテンツの物理的配置などを工夫している。
【００９０】
〔ポイント２〕
また、セルコマンドを実行するセルに対してもセル間のシームレス再生が保証されている箇所に関してはオブジェクト（ビデオデータ）の管理情報の中に下記のように明記する。図３８に示したセル再生情報（Ｃ＿ＰＢＩ）５３０内のセルカテゴリ情報（Ｃ＿ＣＡＴ）には図示してないがシームレス再生フラグ、インターリーブ配置フラグ、ＳＴＣ不連続フラグ、セル再生モード情報が存在する。
【００９１】
セルコマンドを実行するセルに対してもセル間のシームレス再生が保証されている箇所に関してシームレス再生フラグに対して『セルはシームレスに再生すべき』と設定し、インターリーブ配置フラグに対しては『連続ブロック内に存在している』と設定し、ＳＴＣ不連続フラグに対しては『ＳＴＣのリセットは不要』と設定し、セル再生モードに対しては『連続再生』と設定する。
【００９２】
〔ポイント３〕
従来のＳＤのＤＶＤビデオでは各セルの再生終了時にセルコマンドのセットの中から１コマンドを選択して実行することになっているが、前記制約を撤廃してセルコマンドの実行は必ずしもセルの再生終了時の実行に限らないこととする。また、１個のセルに対するセルコマンドの実行は１コマンドのみに限らず、複数のコマンドを順次（シーケンシャルに）実行できるようにしている。すなわち、図３８に示すようにＨＤのＤＶＤビデオでは１個のセルに対する管理情報のセル再生情報（Ｃ＿ＰＢＩ）内にセルコマンド開始番号情報（Ｃ＿ＣＭＤ＿ＳＮ）とセルコマンド連続数情報（Ｃ＿ＣＭＤ＿Ｃ＿Ｎｓ）を持たせている。
【００９３】
図３５に示すようにプログラムチェーン・コマンドテーブル（ＰＧＣ＿ＣＭＤＴ）５１内にセルコマンド（Ｃ＿ＣＭＤ）５１３がシーケンシャルに配置されている。セルコマンド開始番号情報（Ｃ＿ＣＭＤ＿ＳＮ）により複数配置されているセルコマンド（Ｃ＿ＣＭＤ）５１３列の内、上から何番目のセルコマンドからコマンドを実行するかを示し、そこから順次（シーケンシャルに）何個のコマンドを連続して実行するかをセルコマンド連続数情報（Ｃ＿ＣＭＤ＿Ｃ＿Ｎｓ）が示している。
【００９４】
（Ｅ）ハイライト情報と副映像間のアンマッチ対策
〔ポイント１〕
（Ｅ１）の問題点を解決するため“グラフィックユニット”と言う独立したストリームを新たに定義し、そのグラフィックユニット内に同時にハイライト情報と（従来“副映像”が持っていた）グラフィックデータの両方を持たせ、副映像情報と分離することで、上記（Ｅ１）で説明したように、副映像情報の表示期間に左右されることなく、コンテンツ製作者は、イメージ通りのコンテンツが作成でき、自由度が向上し、結果ユーザへ多彩なコンテンツを提供することができる。
【００９５】
また、グラフィックユニットとして１６：９のＨＤ画像、１６：９のＳＤ画像、４：３のＳＤ画像、レターボックスのＳＤ画像及びパンスキャンのＳＤ画像のそれぞれに対応した５種類が設定可能でそれぞれの種類に応じて５種類のサブストリームＩＤが設定可能となっている。
【００９６】
従来のＳＤのＤＶＤビデオコンテンツではナビパック内のＰＣＩ記録領域内にハイライト情報を記録していたのに対し、本発明のＨＤのＤＶＤビデオコンテンツでは上記ハイライト情報の記録位置をグラフィックユニット内に移し、１画面内に同時に２４個までのボタン設定を可能とする。また、各ボタンに対して２５６色まで指定でき、選択時のハイライトなどで色の変更が可能である。さらに、２５６階調までのグラデーションによるコントラストのミキシングも表現できる。
【００９７】
〔ポイント２〕
（Ｅ２）に示した問題点を解決するため、従来の副映像ストリームに対する配色数を増やす代わりに上記の“グラフィックユニット”内のグラフィックデータに対する使用可能な配色数を２５６色（８ビットによる色表現）とする。その結果、鮮やかな色彩を持ったグラフィックユニット画像をユーザに表示可能となり、ユーザへの表示インパクトが向上すると共にユーザがメニュー選択し易くなる。
【００９８】
〔ポイント３〕
（Ｅ３）に示した問題点を解決するため、上記の“グラフィックユニット”内にグラフィックデータとマスクデータを持たせ、両者共に表示パターンをビットマップ状に設定可能とすることで任意の形状を設定できるようにした。その結果、星形や楕円形のハイライト情報指定領域（任意のボタン形状）が作成可能となり、従来のＳＤのＤＶＤコンテンツよりも遙かに見栄えの良い画面が提供できる。
【００９９】
〔ポイント４〕
（Ｅ４）に示した問題点を解決するため、上記の“グラフィックユニット”内にマスクデータを持たせ、このマスクデータとして画面内の互いに離れた複数領域（ホットスポット）を同時に設定可能とした。つまり、ハイライト情報の各ボタンに対してマスキングデータを重ねて設定できる構造にした。その結果、画面内の互いに離れた複数領域に対して同一のＵＲＬを設定できるＰＣ画面やインターネットのホームページ画面と比べて見劣りがせず、ユーザに取って使い易いメニュー画面を提供できる。
【０１００】
〔オブジェクト情報記録場所〕
下記の４箇所内にグラフィックユニットを記録できる。
【０１０１】
（１）図１の（ｅ）のファーストプレイＰＧＣ用言語選択メニューＶＯＢＳ（ＦＰ＿ＰＧＣＭ＿ＶＯＢＳ）３５の領域で図２のＨＤ＿ＦＰＰＧＣ．ＨＤＶファイル内にまとまっている。
【０１０２】
（２）図１の（ｅ）のメニュー用ビデオオブジェクト領域（ＨＤＶＭＧＭ＿ＶＯＢＳ）３２の領域で図２のＨＤ＿ＶＭＧ０１．ＨＤＶファイル内にまとまっている。
【０１０３】
（３）図１の（ｆ）のメニュー用ビデオオブジェクト領域（ＨＤＶＴＳＭ＿ＶＯＢＳ）４２の領域で図２のＶＴＳ００１００．ＨＤＶファイル内にまとまっている。
【０１０４】
（４）図１の（ｆ）のタイトル用ビデオオブジェクト領域（ＨＤＶＴＳＴＴ＿ＶＯＢＳ）４３の領域で図２のＶＴＳ００１０１．ＨＤＶやＶＴＳ００１０２．ＨＤＶファイル内にまとまっている。
【０１０５】
〔オブジェクト情報内のデータ構造〕
図４５の（ｄ）に示すように１６：９のＨＤ画像、１６：９のＳＤ画像、４：３のＳＤ画像、レターボックスのＳＤ画像のそれぞれに対応した４種類のストリームに別々に記録される。
【０１０６】
また、図４６に示すようにグラフィックユニットＧＵ内部はハイライト情報（ＨＩＬ）ｂ２とマスクデータｂ３、グラフィックデータｂ４から構成される。
【０１０７】
〔管理情報記録場所〕
ＰＧＣ内に配置するグラフィックユニットのストリームに関する制御情報を図３３、図３４のＰＧＣ・グラフィックユニットストリーム・制御テーブル（ＰＧＣ＿ＧＵＳＴ＿ＣＴＬＴ）内に持たせる。
【０１０８】
〔管理情報内容〕
ＨＤビデオマネージャのメニュー内に含まれるグラフィックユニットに関する管理情報として図４に示すようにＨＤビデオマネージャ情報・管理テーブル（ＨＤＶＭＧＩ＿ＭＡＴ）３１０内にＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を持つ。
【０１０９】
また、ＨＤＶＴＳ（ＨＤのビデオタイトルセット）内に含まれるグラフィックユニットに関する管理情報は図２１に示すように、グラフィックユニットストリーム数情報と属性情報がＨＤＶＴＳ内のメニュー画面とタイトル（表示映像）に分かれてそれぞれＨＤＶＴＳＭ＿ＧＵＳＴ＿Ｎｓ、ＨＤＶＴＳＭ＿ＧＵＳＴ＿ＡＴＲ、ＨＤＶＴＳ＿ＧＵＳＴ＿Ｎｓ、ＨＤＶＴＳ＿ＧＵＳＴ＿ＡＴＲＴの情報として記録されている。
【０１１０】
ＰＧＣ内に配置するグラフィックユニットのストリームに関する制御情報が記録されるＰＧＣ・グラフィックユニットストリーム・制御テーブル（ＰＧＣ＿ＧＵＳＴ＿ＣＴＬＴ）内の情報は図３３、図３４に示すように４種類の各画像（１６：９のＨＤ画像、１６：９のＳＤ画像、４：３のＳＤ画像、レターボックスのＳＤ画像）に対応してそれぞれ別領域に記録する。
【０１１１】
（Ｆ）メニュー画面切り替え表示時のオーディオデータ再生
〔ポイント１〕
（Ｆ）に示した問題点を解決するため、メニューに対応した独自のオーディオデータ格納場所を設定する。メニューを表示するＰＧＣの再生開始時間に同時にこの独自のオーディオデータの再生表示を開始する。また、一連のメニュー表示が完了するなどオーディオデータの再生が不要となる（例えばＶＴＳの）ＰＧＣの再生が開始すると同時に、オーディオデータの再生表示を停止する。メニュー表示する前に事前にオーディオデータを図３９のメモリ部１２２内にコピーしておき、ユーザがメニューを遷移しながら表示している期間の間、メモリ部１２２にコピーしたオーディオデータを連続的に繰り返し再生し続ける。メモリ部１２２にコピー可能なオーディオデータの最大容量を８ＭＢと設定している。圧縮オーディオデータの転送レートが例えば３８４Ｋｂｐｓの場合には８ＭＢの最大容量が有れば２．５分に相当するオーディオデータの格納が可能となる。
【０１１２】
〔ポイント２〕
従来のＳＤ用ＤＶＤビデオで存在したビデオ用ＶＯＢＳ内に記録されているオーディオデータと上記に示した独自のオーディオデータ間の選択再生指示が可能なようにオーディオデータの選択指定情報をＰＧＣの管理情報であるＰＧＣＩ内に持たせた所にも特徴がある。その結果、コンテンツプロバイダはメニューを切り替えても連続表示されるオーディオデータと、各メニュー毎に最適に設定されたオーディオデータの選択が指定でき、コンテンツプロバイダのユーザへの表現力が向上する。
【０１１３】
〔オブジェクト情報記録場所〕
図１の（ｅ）に示すようにＨＤビデオマネージャ記録領域３０内に新たにメニュー表示時に平行して出力する音声情報が記録されるメニュー用オーディオオブジェクト領域（ＨＤＭＥＮＵ＿ＡＯＢＳ）３３を設ける。このメニュー用オーディオオブジェクト領域３３のファイル構造内での記録場所として図２に示すようにＶＩＤＥＯ＿ＨＤの共通なディレクトリ（フォルダ）内にＨＤ＿ＭＥＮＵ０．ＨＤＡファイルとして独自のファイル内に記録する。本発明実施形態では情報記憶媒体内にメニュー用のオーディオオブジェクト（オーディオデータ）を複数種類記録が可能になっている。それぞれのメニュー用のオーディオオブジェクト（ＡＯＢ）は図１９に示すようにメニュー用オーディオオブジェクト領域（ＨＤＭＥＮＵ＿ＡＯＢＳ）３３内に順番に配置記録されている。
【０１１４】
〔管理情報記録場所〕
このメニュー用オーディオオブジェクト領域（ＨＤＭＥＮＵ＿ＡＯＢＳ）３３のオブジェクトに対する管理データを図３に示すようにＨＤビデオマネージャ情報領域（ＨＤＶＭＧＩ）３１内のＨＤメニュー・オーディオオブジェクトセット情報テーブル（ＨＤＭＥＮＵ＿ＡＯＢＳＩＴ）３１８内に記録する。
【０１１５】
また、メニュー用ＡＯＢ（ＨＤＭＥＮＵ＿ＡＯＢ）を参照（指定）する情報の設定場所として本発明実施形態では全体のメニューに関しては図７に示すようにＨＤビデオマネージャメニュー・言語ユニット３１２ｃ内のＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ２内のＨＤＶＭＧＭ＿ＰＧＣカテゴリ情報（ＨＤＶＭＧＭ＿ＰＧＣ＿ＣＡＴ）内に配置し、ＨＤＶＴＳ単位でのメニューに関しては図２６に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に配置する。
【０１１６】
本発明の他の実施形態では図３３、図３４に示すようにプログラムチェーン・一般情報（ＰＧＣ＿ＧＩ）５０内のＲＳＭ＆ＡＯＢカテゴリ（ＲＳＭ＆ＡＯＢ＿ＣＡＴ）内に配置する。
【０１１７】
〔管理情報内容〕
全体のメニューに関しては図７に示すようにＨＤビデオマネージャメニュー・言語ユニット３１２ｃ内のＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ内のＨＤＶＭＧＭ＿ＰＧＣカテゴリ情報（ＨＤＶＭＧＭ＿ＰＧＣ＿ＣＡＴ）内に、ＨＤＶＴＳ単位でのメニューに関しては図２６、図２７に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に
（１）ＨＤＭＥＭＵ＿ＡＯＢＳの中の再生するＡＯＢ番号＃ｎ（図１９で並んでいるメニュー用ＡＯＢ（ＨＤＭＥＮＵ＿ＡＯＢ）の内、何番目のＡＯＢが対応するか）を指定する音声情報番号と、
（２）本発明におけるＨＤコンテンツのメニューを画面表示した時に同時に再生する音声情報の選択情報と、音声情報再生の開始・継続・終了トリガー情報を示す音声情報選択フラグが記録される。
【０１１８】
図７と図２４または図３３、図３４ではメニュー画面表示時に同時に表示するメニュー用オーディオオブジェクトを指定する管理情報を示している。それに対応してメニュー用のオーディオオブジェクト自体に対する管理情報内容は図１７に示すようにＨＤメニュー・オーディオオブジェクトセット情報テーブル情報（ＨＤＭＥＮＵ＿ＡＯＢＳＩＴＩ）３１８ａと情報記憶媒体内に記録されているメニュー用ＡＯＢのそれぞれに対する個々の管理情報であるＨＤメニュー・オーディオオブジェクト情報（ＨＤＭＥＮＵ＿ＡＯＢＩ）３１８から構成される。
【０１１９】
このＨＤＭＥＮＵ＿ＡＯＢＩにはＨＤＭＥＮＵ＿ＡＯＢの再生情報（曲の再生時間）を表すＨＤＭＥＮＵ＿ＡＯＢ＿ＰＢＩ、オブジェクトの属性（ＬＰＣＭやＡＣ−３など）を表すＨＤＭＥＮＵ＿ＡＯＢ＿ＡＴＲ、ＨＤＭＥＮＵ＿ＡＯＢ＃ｎの先頭アドレス、終了アドレスを示すＨＤＭＥＮＵ＿ＡＯＢ＿ＳＡ、ＨＤＭＥＮＵ＿ＡＯＢ＿ＥＡが含まれる。また先頭、終了アドレスについてはＨＤＭＥＮＵ＿ＡＯＢ＃ｎの絶対もしくは相対のサイズが書かれる場合もある。
【０１２０】
また、上記（１）、（２）の情報は図３３においてＲＳＭ＆ＡＯＢ＿ＣＡＴで表現することもできる。
【０１２１】
〔アクセス情報〕
図４に示すように情報記憶媒体（光ディスクまたはＨＤのＤＶＤディスク）内でのメニュー表示時に同時に出力する音声情報が記録されるメニュー用オーディオオブジェクト領域（ＨＤＭＥＮＵ＿ＡＯＢＳ）３３が記録されている場所を示すＨＤＭＥＮＵ＿ＡＯＢＳの先頭アドレス情報（ＨＤＭＥＮＵ＿ＡＯＢＳ＿ＳＡ）とそのメニュー用オーディオオブジェクトに対する管理情報が記録されているＨＤメニュー・オーディオオブジェクトセット情報テーブル（ＨＤＭＥＮＵ＿ＡＯＢＳＩＴ）３１８が記録されている場所を示すＨＤＶＭＧＭ＿ＡＯＢＳ情報テーブルの先頭アドレス情報（ＨＤＭＥＮＵ＿ＡＯＢＳＩＴ＿ＳＡ）がＨＤビデオマネージャ情報・管理テーブル（ＨＤＶＭＧＩ＿ＭＡＴ）３１０内に記録される。
【０１２２】
（Ｇ）上記の特徴を持ち、ユーザに対する表現力を一層向上させると共に、ユーザが使い易いコンテンツを図２に示すように従来のＤＶＤビデオコンテンツが記録されている場所とディレクトリ（フォルダ）を分けて管理している。すなわち、従来のＤＶＤビデオコンテンツは映像情報（ビデオデータ、副映像データ、音声データを総称したビデオオブジェクト）とその映像情報を管理する管理データをまとめてＶＩＤＥＯ＿ＴＳと言う名のディレクトリ（フォルダ）の下にまとめて配置して管理している。
【０１２３】
それに対して（Ａ）〜（Ｆ）の特徴を持つコンテンツを映像とその映像情報を管理する管理データを一緒に図２に示すようにＶＩＤＥＯ＿ＨＤと言う名の別ディレクトリ（フォルダ）内で管理し、情報再生装置の再生制御の利便性を向上させている。
【０１２４】
本発明に対応したＨＤコンテンツではメニュー表示時に同時に出力する音声情報が記録されているＨＤ＿ＭＥＮＵ０．ＨＤＡファイルが存在するが、そのファイルは従来のＤＶＤビデオコンテンツには存在しない。
【０１２５】
また、本発明に対応した情報再生装置では図３９に示すようにグラフィックデコーダ部１１３を持つが、従来のＤＶＤビデオコンテンツを再生する情報再生装置では持っていない。従って、従来のＤＶＤビデオコンテンツと本発明のＨＤコンテンツを混在再生する場合に、情報再生装置側でコンテンツ毎に使用する回路と制御プログラムを切り替える必要がある。図２に示すように、コンテンツ毎にディレクトリ（フォルダ）を分けることで情報再生装置側でのコンテンツ識別が非常に容易となり、ファイルへのアクセス時に回路と制御プログラムを切り替える処理によりＨＤとＳＤコンテンツの混在再生時に高速かつスムーズに切り替え処理が行える。
【０１２６】
《各特徴間の関係（効果説明）》
本発明では（Ａ）、（Ｂ）の特徴を組み合わせることで簡単なオーサリングによりユーザが使い易いコンテンツを提供し、（Ｃ）〜（Ｆ）の特徴を組み合わせてユーザに対するコンテンツ表現力を一層豊かにし、ユーザに対してＤＶＤビデオの魅力を更に高められる。
【０１２７】
具体的に（Ａ）〜（Ｆ）の特徴を組み合わせた効果について２例を上げて説明する。
【０１２８】
〔Ｉ〕ユーザがメニューから最適な言語を選択後、別メニューを使って見たい場所を探す場合の例
本発明の情報再生装置にＨＤのＤＶＤビデオディスク（情報記憶媒体）を装着後、最初に表示される画面（ＦＰ＿ＰＧＣ）でユーザの言語選択用画面が表示される（Ｂ）。この時にユーザが選択する言語を示すハイライト情報に対して従来の矩形とは異なる独自の形状を画面に表示する（Ｅ）ことでユーザが言語選択し易くすることが出来る。例えば、各国の言語を画面に表示する時にハイライト情報の表示範囲を対応する国の地図上の形を表示し、選択すべき言語を読まずにハイライト情報の表示範囲の形状を識別するだけでユーザが希望の言語を指定可能となる。また、地球儀や世界地図で日本が赤く塗りつぶされている場合が多い。従ってグラフィックユニットの表示色を２５６色持たせ（Ｅ）、（日本語を赤く表示するなど）言語毎に対応した色で表示し、ユーザが色を識別しただけで対応言語の識別を可能に出来る。
【０１２９】
また、ユーザが言語選択後にタイトルのサムネール（頭出し位置を指定する先頭画面を示した縮小画像）一覧表に移り、見たい映像場所を探す場合が多い。従来のＤＶＤビデオのメニューでもサムネールの下に頭出し位置を示すテキストが表示されている場合が多い。この時にグラフィックユニットを用いてユーザが見たい場所の検索をより一層容易にすること（Ｅ）も可能となる。すなわち、映像タイトル内で大きく場面が変わる等の大きな切れ目を表す場所にはハイライト情報の表示範囲を“星形”に表示すると共に、その中を赤などの目立つ色で表現し、それよりも下の階層に属し、スキップ先を示す程度の場所を“丸印”で表示すると共に、淡い黄色や薄い青で表現して大きな切れ目は無いようにグラフィカルに表示することが可能となる。
【０１３０】
更に（Ｆ）に掲げた特徴を活用すると、『ユーザが言語選択後にタイトルのサムネール一覧表に移り見たい映像場所を探す』と言う一連の操作の期間中に（言語選択用メニュー画面からタイトルサムネール一覧画面への切り替わり時でも）途切れること無く連続して音声情報を出力することが可能となり、ユーザが気持ちよくメニュー間の切り替えが行える。
【０１３１】
図３９に示す情報再生装置において上記を可能にする具体的な処理方法について説明する。情報再生装置にＨＤのＤＶＤビデオディスク（情報記憶媒体１）を装着すると、ディスクドライブ部１０１が管理情報である図１の（ｅ）に示すＨＤビデオマネージャ情報領域（ＨＤＶＭＧＩ）３１とＨＤビデオタイトルセット情報領域（ＨＤＶＴＳＩ）４１を読み込み、メモリー部１２２に読み込む。次にＭＰＵ部１２１がメモリー部１２２に一時記憶された内容を解析してプリロード再生対象のオーディオデータＡＯＢの有無を確認する。ＭＰＵ部１２１がプリロード再生対象のオーディオデータＡＯＢが存在すると判定すると、ディスクドライブ部１０１を制御して図１の（ｅ）に示すメニュー用オーディオオブジェクト情報（ＨＤＭＥＮＵ＿ＡＯＢＳ）３３を読み取り、メモリー部１２２に一時保存する。次に、図４に示したファーストプレイＰＧＣＩ（ＦＰ＿ＰＧＣＩ）の情報に従ってユーザに対する言語選択用メニュー画面を表示すると同時に、メモリー部１２２に一時保存されたオーディオデータＡＯＢの再生を開始する。次に、タイトルのサムネール一覧を示す画面にユーザが切り替えた時点で図２７に示すＨＤＶＴＳＭ＿ＰＧＣ＿ＣＡＴ内の音声情報番号が言語選択用メニュー表示時に再生したＡＯＢ番号と一致し、音声情報選択フラグが“１０ｂ”（ＨＤＭＥＮＵ＿ＡＯＢＳが続けて再生される）を設定された場合には、メニュー画面の切り替えに影響を受けずに引き続き連続してオーディオデータが出力される。
【０１３２】
〔ＩＩ〕映像タイトル再生途中でメニュー画面とボーナスコンテンツを表示した後映像タイトルに戻る場合の例
仮想ＶＡＵ（ＩＶＡＵ）を定義することで静止画像を連続的に再生する複数種類のスライドショーから構成されるマルチアングル、または静止画像のスライドショーと動画から構成されるマルチアングルの再生をシームレスに行える（Ｃ）。また、セルコマンドを実行するセル間の再生をシームレスに再生できる（Ｄ）。このシームレスな再生を管理する管理情報である例えば図２４に示すＨＤＶＴＳ＿ＰＧＣ＿ＣＡＴ内のＲＳＭ許可フラグの設定方法（“０ｂ：許可”の設定）により、上記に示したマルチアングルのシームレス再生途中、またはセルコマンドを実行するセル間でのシームレス再生途中でユーザがメニュー画面を呼び出した後に例えば映画の予告編を表示したり、撮影現場を写すなどのボーナスコンテンツを表示後（但しボーナスコンテンツに対応したＨＤＶＴＳ＿ＰＧＣ＿ＣＡＴ内のＲＳＭ許可フラグを“１ｂ：禁止”に設定した場合）に元に戻した時に、引き続きマルチアングルのシームレス再生またはセルコマンドを実行するセル間でのシームレス再生を継続させることが可能となる（Ａ）。特に、従来のＳＤのＤＶＤビデオ規格上では静止画像のスライドショーと動画から構成されるマルチアングルに対するシームレスな再生が保証されていないが、特徴（Ａ）と（Ｃ）の組み合わせあるいは（Ａ）と（Ｄ）の組み合わせにより、マルチアングル映像再生途中で“メニュー画面”→“ボーナスコンテンツ再生”と画面が飛んだ後に元の静止画像のスライドショーと動画から構成されるマルチアングル映像に戻り、引き続いてシームレス再生を継続させる等の多彩な表現形態が実現できる。
【０１３３】
更にこれらの特徴を組み合わせて多彩な表現形態が示せる例として、
（１）画家の名前が（副映像で）表示され、音声により解説付きで連続的に切り替わる絵画の表示途中で
（２）解説用の音声言語をメニュー画面で切り替え、更に
（３）副映像で同時に表示された画家の名前表示を消すようにメニュー画面で切り替え、
（４）特定の絵画について詳細に説明したボーナス映像を再生した後
（５）メニュー画面に移行する直前の絵画から再生を継続させる
などの処理を行った場合についてこれらの特徴の組み合わせ効果を説明する。従来のＳＤのＤＶＤビデオ規格では（５）の操作に戻った時には『メニュー画面に移行する直前の絵画から再生を継続させる』ことは容易で無く、（５）の操作に戻った時にユーザは最初から絵画をめくる必要があった。無理に直前の絵画からの再生継続を可能にプログラミングした場合には複雑なオーサリング処理が必要となる。また、（２）と（３）を行った時に音声データが途切れること無く連続に再生することは従来のＤＶＤビデオでは不可能であり、特徴（Ｆ）を達成して始めてそれが可能となる。特徴（Ａ）と（Ｃ）と（Ｄ）と（Ｆ）を同時に達成可能なデータ構造を規格上で規定することで、図３９に示す情報再生装置のメモリー部１２２のメモリー容量の設定とメモリー領域内の管理方法の設定を行い、特徴（Ａ）と（Ｃ）と（Ｄ）と（Ｆ）の同時達成を可能とする。すなわち、特徴の（Ａ）に対応してメニュー画面への切り替わり時に、図４４に示したシステムパラメーターの４（タイトル番号）から８（ハイライトボタン番号）の値の設定をすると共に、対応するセル番号情報と該当セルの最初に配置されたナビゲーションパックのアドレス情報、ＶＴＳの番号の情報を記録するメモリー部１２２内の領域を確保し、また図２４のＲＳＭ許可フラグ情報に基づき前記情報の管理を行う。また、（Ｃ）を並列実行するために仮想ビデオアクセスユニットＩＶＡＵに対応したインターリーブユニット（ＩＬＶＵ）分のデータが記録できる場所をメモリー部１２２内に確保する。また、（Ｆ）を達成可能なように事前に一時記憶する（プリロード）音声データの格納領域をメモリ部１２２内に割り当て、図８および図２７に示した音声情報選択と音声情報番号に基づき前記割り当て領域内の管理を行う。本発明実施形態における情報再生装置ではこのようにメモリー部１２２内の管理を行って特徴（Ａ）と（Ｃ）と（Ｄ）と（Ｆ）の同時達成を可能にしている。
【０１３４】
また、特徴（２）と（３）の操作の段階で特徴（Ｅ）を用いてユーザにとって選択メニューを見易く、かつ選択し易いように（従来のＤＶＤビデオ規格上では不可能だった）２５６色の色表現とハイライト情報の表示輪郭を（矩形以外の）独自形状にし、特徴（Ｆ）と組み合わせてユーザに一層の快適感を提供できる。
【０１３５】
また、本発明実施形態ではＦＰ＿ＰＧＣでは副映像ストリームを持つことを禁止し、その代わりグラフィックユニットを使用するように規定しているため、ユーザへの言語選択メニュー画面がグラフィックユニットで規定された２５６色表現とハイライト情報を示す画面領域の輪郭形状を（矩形に限らず）多彩に設定できるため、ユーザへの言語選択メニュ画面がより一層選択し易くなる。例えば
○日本語を選ぶ場所では“日本語”と記述されると共に画面領域を“日本地図の形状”にし、その中を地球儀や世界地図でよく使われる“赤”で塗りつぶし、
○英語（米語）を選ぶ場所では“Ｅｎｇｌｉｓｈ”と記述すると共に画面領域を星条旗を意識して“星形”に設定し、
○さらに星条旗の星が入っている部分の色を利用して星の中を“青”で塗りつぶす
ように表現すると、ユーザは文字を読むまでも無く形や色で言語コードを選択できる。
【０１３６】
特に、図４に示すように（Ｂ）の特徴を発揮するユーザに対する言語選択用メニューに対する管理情報が記録されているファーストプレイＰＧＣＩ（ＦＰ＿ＰＧＣＩ）の情報が、そして（Ｆ）の特徴を発揮するＨＤＭＥＮＵ＿ＡＯＢＳの先頭アドレス情報（ＨＤＭＥＮＵ＿ＡＯＢＳ＿ＳＡ）とＨＤＶＭＧＭ＿ＡＯＢＳ情報テーブルの先頭アドレス情報（ＨＤＭＥＮＵ＿ＡＯＢＳＩＴ＿ＳＡ）、（Ｅ）の特徴を発揮するＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を共通のＨＤビデオマネージャ情報・管理テーブル（ＨＤＶＭＧＩ＿ＭＡＴ）３１０内に配置することで管理が容易となり、本発明実施形態の情報再生装置において（Ａ）〜（Ｆ）の特徴を同時にあるいは連続してユーザに表現する場合の処理プログラムの簡素化が図れ、情報再生装置の信頼性と安定性が向上させられるばかりで無く、プログラムの簡素化に起因した情報再生装置の低価格化を達成できる。
【０１３７】
同様に図３３、図３４に示すように本発明実施形態における（Ａ）の特徴を発揮するＲＳＭ許可フラグフラグ情報、（Ｅ）の特徴を発揮するＰＧＣ・グラフィックユニットストリーム・制御テーブル情報（ＰＧＣ＿ＧＵＳＴ＿ＣＴＬＴ）と（Ｆ）の特徴を発揮する音声情報選択と音声情報番号を共通のプログラムチェーン一般（ＰＧＣ＿ＧＩ）５０内に配置することで管理が容易となり、本発明実施形態の情報再生装置において（Ａ）〜（Ｆ）の特徴を同時に、あるいは連続してユーザに表現する場合の処理プログラムの簡素化が図れ、情報再生装置の信頼性と安定性が向上させられるばかりで無く、プログラムの簡素化に起因した情報再生装置の低価格化を達成できる。
【０１３８】
図１に本発明実施形態におけるディスク形状の情報記憶媒体１（図１の（ａ））に記録される情報内容について説明する。図１の（ｂ）に示すように情報記憶媒体１は内周側からリードイン領域１０、データ領域１２，リードアウト領域１３から構成されている。
【０１３９】
情報記憶媒体１ではファイルシステムにＩＳＯ９６６０とＵＤＦのブリッジ構造を採用し、データ領域１２の一部にＩＳＯ９６６０とＵＤＦのボリューム／ファイル構造情報領域１１を持っている。データ領域１２内には図１の（ｃ）に示すようにビデオデータ記録領域２０と一般のコンピュータ情報記録領域２２の混在配置が許されている。ビデオデータ記録領域２０内は図１の（ｄ）に示すようにビデオデータ記録領域２０内に記録されたＨＤのＤＶＤビデオコンテンツ全体に関する管理情報が記録されたＨＤビデオマネージャ記録領域（ＨＤＶＭＧ：ＨＤ対応のビデオマネージャ）３０と、各タイトル毎にまとめられ、各タイトル毎の管理情報と映像情報（ビデオオブジェクト）がまとめて記録されたＨＤビデオタイトルセット記録領域（ＨＤＶＴＳ：ＨＤ対応のビデオタイトルセット）４０から構成されている。
【０１４０】
ＨＤビデオマネージャ記録領域（ＨＤＶＭＧ：ＨＤ対応のビデオマネージャ）３０の中は図１の（ｅ）に示すようにビデオデータ記録領域２０全体に関わる管理情報を示すＨＤビデオマネージャ情報領域（ＨＤＶＭＧＩ：ＨＤ対応のビデオマネージャ情報）３１と、そのバックアップ用としてＨＤビデオマネージャ情報領域（ＨＤＶＭＧＩ：ＨＤ対応のビデオマネージャ情報）３１と全く同じ情報が記録されたＨＤビデオマネージャ情報バックアップ領域（ＨＤＶＭＧＩ＿ＢＵＰ）３４、ビデオデータ記録領域２０全体を示すトップメニュー画面が記録されたメニュー用ビデオオブジェクト領域（ＨＤＶＭＧＭ＿ＶＯＢＳ）３２から構成されている。更に、本発明実施形態ではＨＤビデオマネージャ記録領域３０内に新たにメニュー表示時に平行して出力する音声情報が記録されるメニュー用オーディオオブジェクト領域（ＨＤＭＥＮＵ＿ＡＯＢＳ）３３を新たに設けている。本発明実施形態ではメニュー記述言語コードが設定できる画面をファーストプレイＰＧＣ用言語選択メニューＶＯＢＳ（ＦＰ＿ＰＧＣＭ＿ＶＯＢＳ）３５の領域に記録する。
【０１４１】
各タイトル毎の管理情報と映像情報（ビデオオブジェクト）がまとめて記録された１個のＨＤビデオタイトルセット記録領域（ＨＤＶＴＳ：ＨＤ対応のビデオタイトルセット）４０の内部はＨＤビデオタイトルセット記録領域（ＨＤＶＴＳ：ＨＤ対応のビデオタイトルセット）４０内の全コンテンツに対する管理情報が記録されているＨＤビデオタイトルセット情報領域（ＨＤＶＴＳＩ）４１と、そのバックアップデータでＨＤビデオタイトルセット情報領域（ＨＤＶＴＳＩ）４１と全く同じ情報が記録されたＨＤビデオタイトルセット情報バックアップ領域（ＨＤＶＴＳＩ＿ＢＵＰ）４４、ビデオタイトルセット単位でのメニュー画面の情報が記録されたメニュー用ビデオオブジェクト領域（ＨＤＶＴＳＭ＿ＶＯＢＳ）４２と、このビデオタイトルセット内でのビデオオブジェクト（タイトルの映像情報）データが記録されているタイトル用ビデオオブジェクト領域（ＨＤＶＴＳＴＴ＿ＶＯＢＳ）４３から構成される。
【０１４２】
各領域はＩＳＯ９６６０とＵＤＦのブリッジ構造を持ったファイルシステムではそれぞれ別々のファイルを構成することになる。従来のＳＤのＤＶＤビデオコンテンツは図２に示すように“ＶＩＤＥＯ＿ＴＳ”と言う名のディレクトリ下にまとめて配置されているのに対して、本発明実施形態で示すＨＤのＤＶＤビデオコンテンツはそれとディレクトリを分け、“ＶＩＤＥＯ＿ＨＤ”と言うディレクトリの下にまとめて配置することになる。
【０１４３】
すなわち、このメニュー用オーディオオブジェクト領域３３のファイル構造内での記録場所として、図２に示すようにＶＩＤＥＯ＿ＨＤの共通なディレクトリ（フォルダ）内にＨＤ＿ＭＥＮＵ０．ＨＤＡファイルとして独自のファイル内に記録する。また、ファーストプレイＰＧＣ用言語選択メニューＶＯＢＳ（ＦＰ＿ＰＧＣＭ＿ＶＯＢＳ）３５の領域内の最初にメニュー記述言語コードを設定する画面データ（ビデオデータ）を単独ファイルとして独立させ、ファイル名をＨＤ＿ＦＰＰＧＣ．ＨＤＶとする。また、ＨＤビデオマネージャ情報領域（ＨＤＶＭＧＩ：ＨＤ対応のビデオマネージャ情報）３１はＨＤ＿ＶＭＧ００．ＨＤＩファイル内、ＨＤビデオマネージャ情報バックアップ領域（ＨＤＶＭＧＩ＿ＢＵＰ）３４はＨＤ＿ＶＭＧ００．ＢＵＰファイル内、メニュー用ビデオオブジェクト領域（ＨＤＶＭＧＭ＿ＶＯＢＳ）３２はＨＤ＿ＶＭＧ０１．ＨＤＶファイル内、ＨＤビデオタイトルセット情報領域（ＨＤＶＴＳＩ）４１はＶＴＳ００１００．ＩＦＯファイル内、ＨＤビデオタイトルセット情報バックアップ領域（ＨＤＶＴＳＩ＿ＢＵＰ）４４はＶＴＳ００１００．ＢＵＰファイル内、メニュー用ビデオオブジェクト領域（ＨＤＶＴＳＭ＿ＶＯＢＳ）４２はＶＴＳ００１００．ＨＤＶファイル内、タイトル用ビデオオブジェクト領域（ＨＤＶＴＳＴＴ＿ＶＯＢＳ）４３はＶＴＳ００１０１．ＨＤＶファイルやＶＴＳ００１０２．ＨＤＶファイル内とそれぞれ個別のファイル内に格納される。
【０１４４】
図１の（ｅ）に示すＨＤビデオマネージャ情報領域（ＨＤＶＭＧＩ）３１内の詳細なデータ構造を図３に示す。
【０１４５】
メニュー用オーディオオブジェクト領域（ＨＤＭＥＮＵ＿ＡＯＢＳ）３３のオブジェクトに対する管理データを図３に示すようにＨＤビデオマネージャ情報領域（ＨＤＶＭＧＩ）３１内のＨＤメニュー・オーディオオブジェクトセット情報テーブル（ＨＤＭＥＮＵ＿ＡＯＢＳＩＴ）３１８内に記録する。ＨＤビデオマネージャ情報・管理テーブル（ＨＤＶＭＧＩ＿ＭＡＴ）３１０からＨＤビデオマネージャメニュービデオオブジェクトユニットアドレスマップ（ＨＤＶＭＧＭ＿ＶＯＢＵ＿ＡＤＭＡ）３１７までのデータ構造は従来のＳＤのＤＶＤビデオの管理情報と一致している。本発明実施形態では新規に追加するＨＤメニュー・オーディオオブジェクトセット情報テーブル（ＨＤＭＥＮＵ＿ＡＯＢＳＩＴ）３１８を従来のＤＶＤビデオの管理情報と一致している部分と分けてその後ろに配置することで、従来のＳＤのＤＶＤビデオの管理情報を使った従来の制御プログラムの兼用使用を可能として本発明実施形態に対応した情報再生装置の制御プログラムの簡素化を図ることができる。
【０１４６】
また、ＨＤビデオマネージャ情報領域（ＨＤＶＭＧＩ）３１内には他にビデオデータ記録領域２０内に記録されたＨＤのＤＶＤビデオコンテンツ全体に共通する管理情報を纏めて記録したＨＤビデオマネージャ情報・管理テーブル（ＨＤＶＭＧＩ＿ＭＡＴ）情報３１０、ＨＤのＤＶＤビデオコンテンツ内に存在する各タイトルの検索（頭出し位置検出）に役立つ情報が記録されたタイトルサーチポインタテーブル（ＴＴ＿ＳＲＰＴ）情報３１１、メニューを表示するメニュー記述言語コード毎に分けられて配置されたメニュー画面の管理情報が記録されているＨＤビデオマネージャメニュー・ＰＧＣＩ・ユニットテーブル（ＨＤＶＭＧＭ＿ＰＧＣＩ＿ＵＴ）情報３１２、子供に見せられる映像と見せられない映像をパレンタル情報として管理する情報が記録されたパレンタル管理情報テーブル（ＰＴＬ＿ＭＡＩＴ）情報３１３、タイトルセットの属性に関してまとめて記録されているＨＤビデオタイトルセット属性情報テーブル（ＨＤＶＴＳ＿ＡＴＲＴ）情報３１４、ユーザに表示するテキスト情報がまとまって記録されたテキストデータマネージャ（ＴＸＴＤＴ＿ＭＧ）情報３１５、メニュー画面を構成するセルの開始アドレスの検索に役立つ情報が記録されたＨＤビデオマネージャメニューセルアドレステーブル（ＨＤＶＭＧＭ＿Ｃ＿ＡＤＴ）情報３１６、メニュー画面を構成するビデオオブジェクトの最小単位を示すＶＯＢＵのアドレス情報が記録されたＨＤビデオマネージャメニュービデオオブジェクトユニットアドレスマップ（ＨＤＶＭＧＭ＿ＶＯＢＵ＿ＡＤＭＡＰ）情報３１７が存在する。
【０１４７】
図３のＨＤビデオマネージャ情報・管理テーブル（ＨＤＶＭＧＩ＿ＭＡＴ）３１０内の詳細なデータ構造を図４に示す。
【０１４８】
図４に示すように（Ｂ）の特徴を発揮するユーザに対する言語選択用メニューに対する管理情報が記録されているファーストプレイＰＧＣＩ（ＦＰ＿ＰＧＣＩ）の情報が、そして（Ｆ）の特徴を発揮するＨＤＭＥＮＵ＿ＡＯＢＳの先頭アドレス情報（ＨＤＭＥＮＵ＿ＡＯＢＳ＿ＳＡ）とＨＤＶＭＧＭ＿ＡＯＢＳ情報テーブルの先頭アドレス情報（ＨＤＭＥＮＵ＿ＡＯＢＳＩＴ＿ＳＡ）、（Ｅ）の特徴を発揮するＨＤＶＭＧＭのグラフィックユニットストリーム数情報（ＨＤＶＭＧＭ＿ＧＵＳＴ＿Ｎｓ）とＨＤＶＭＧＭのグラフィックユニットストリーム属性情報（ＨＤＶＭＧＭ＿ＧＵＳＴ＿ＡＴＲ）を共通のＨＤビデオマネージャ情報・管理テーブル（ＨＤＶＭＧＩ＿ＭＡＴ）３１０内に配置する。
【０１４９】
また、ＨＤビデオマネージャ情報・管理テーブル（ＨＤＶＭＧＩ＿ＭＡＴ）３１０内にはその他にＨＤビデオマネージャ識別子（ＨＤＶＭＧ＿ＩＤ）、ＨＤビデオマネージャの終了アドレス（ＨＤＶＭＧ＿ＥＡ）、ＨＤビデオマネージャ情報の終了アドレス（ＨＤＶＭＧＩ＿ＥＡ）、ＨＤ−ＤＶＤビデオ規格のバージョン番号（ＶＥＲＮ）、ＨＤビデオマネージャカテゴリ（ＨＤＶＭＧ＿ＣＡＴ）、ボリュームセット識別子（ＶＬＭＳ＿ＩＤ）、アダプテーション識別子（ＡＤＰ＿ＩＤ）、ＨＤビデオタイトルセットの数（ＨＤＶＴＳ＿Ｎｓ）、プロバイダ独自の識別子（ＰＶＲ＿ＩＤ）、ＰＯＳコード（ＰＯＳ＿ＣＤ）、ＨＤビデオマネージャ情報・管理テーブルの終了アドレス（ＨＤＶＭＧＩ＿ＭＡＴ＿ＥＡ）、ファーストプレイプログラムチェーン情報の先頭アドレス（ＦＰ＿ＰＧＣＩ＿ＳＡ）、ＨＤＶＭＧＭ＿ＶＯＢＳの先頭アドレス（ＨＤＶＭＧＭ＿ＶＯＢＳ＿ＳＡ）、ＴＴ＿ＳＲＰＴの先頭アドレス（ＴＴ＿ＳＲＰＴ＿ＳＡ）、ＨＤＶＭＧＭ＿ＰＧＣＩ＿ＵＴの先頭アドレス（ＨＤＶＭＧＭ＿ＰＧＣＩ＿ＵＴ＿ＳＡ）、ＰＴＬ＿ＭＡＩＴの先頭アドレス（ＰＴＬ＿ＭＡＩＴ＿ＳＡ）、ＨＤＶＴＳ＿ＡＴＲＴの先頭アドレス（ＨＤＶＴＳ＿ＡＴＲＴ＿ＳＡ）、ＴＸＴＤＴ＿ＭＧの先頭アドレス（ＴＸＴＤＴ＿ＭＧ＿ＳＡ）、ＨＤＶＭＧＭ＿Ｃ＿ＡＤＴの先頭アドレス（ＨＤＶＭＧＭ＿Ｃ＿ＡＤＴ＿ＳＡ）、ＨＤＶＭＧＭ＿ＶＯＢＵ＿ＡＤＭＡＰの先頭アドレス（ＨＤＶＭＧＭ＿ＶＯＢＵ＿ＡＤＭＡＰ＿ＳＡ）、ＨＤＶＭＧＭのビデオ属性（ＨＤＶＭＧＭ＿Ｖ＿ＡＴＲ）、ＨＤＶＭＧＭのオーディオストリーム数（ＨＤＶＭＧＭ＿ＡＳＴ＿Ｎｓ）、ＨＤＶＭＧＭのオーディオストリーム属性（ＨＤＶＭＧＭ＿ＡＳＴ＿ＡＴＲ）、ＨＤＶＭＧＭのサブピクチャストリーム数（ＨＤＶＭＧＭ＿ＳＰＳＴ＿Ｎｓ）、ＨＤＶＭＧＭのサブピクチャストリーム属性（ＨＤＶＭＧＭ＿ＳＰＳＴ＿ＡＴＲ）の各種情報が記録されている。
【０１５０】
図３に示したタイトルサーチポインタテーブル（ＴＴ＿ＳＲＰＴ）３１１内のデータ構造を図５に示す。タイトルサーチポインタテーブル（ＴＴ＿ＳＲＰＴ）３１１はタイトルサーチポインタテーブル情報（ＴＴ＿ＳＲＰＴＩ）３１１ａとタイトルサーチポインタ（ＴＴ＿ＳＲＰ）情報３１１ｂから構成されている。タイトルサーチポインタテーブル（ＴＴ＿ＳＲＰＴ）３１１内のタイトルサーチポインタ（ＴＴ＿ＳＲＰ）情報３１１ｂはＨＤのＤＶＤビデオコンテンツ内に含まれるタイトル数に応じて複数個を任意数だけ設定できる。タイトルサーチポインタテーブル情報（ＴＴ＿ＳＲＰＴＩ）３１１ａはタイトルサーチポインタテーブル（ＴＴ＿ＳＲＰＴ）３１１の共通管理情報が記録され、このタイトルサーチポインタテーブル（ＴＴ＿ＳＲＰＴ）３１１内に含まれるタイトルサーチポインタの数（ＴＴ＿ＳＲＰ＿Ｎｓ）情報と、ＨＤビデオマネージャ情報領域（ＨＤＶＭＧＩ）のファイル（図２のＨＤ＿ＶＭＧ００．ＨＤＩ）内でのこのタイトルサーチポインタテーブル（ＴＴ＿ＳＲＰＴ）３１１の終了アドレス（ＴＴ＿ＳＲＰＴ＿ＥＡ）情報が記録される。
【０１５１】
また１個のタイトルサーチポインタ（ＴＴ＿ＳＲＰ）情報３１１ｂ内にはこのサーチポインタが示すタイトルに関するタイトルプレイバックタイプ（ＴＴ＿ＰＢ＿ＴＹ）、アングル数（ＡＧＬ＿Ｎｓ）、Ｐａｒｔ＿ｏｆ＿Ｔｉｔｌｅ（ＰＴＴ）の数（ＰＴＴ＿Ｎｓ）、タイトル用Ｐａｒｅｎｔａｌ＿ＩＤ＿Ｆｉｅｌｄ（ＴＴ＿ＰＴＬ＿ＩＤ＿ＦＬＤ）情報、ＨＤＶＴＳ番号（ＨＤＶＴＳＮ）、ＨＤＶＴＳタイトル番号（ＨＤＶＴＳ＿ＴＴＮ）、本ＨＤＶＴＳの先頭アドレス（ＨＤＶＴＳ＿ＳＡ）の各種情報が記録される。
【０１５２】
次に、図３に示したＨＤビデオマネージャメニュー・ＰＧＣＩ・ユニットテーブル（ＨＤＶＭＧＭ＿ＰＧＣＩ＿ＵＴ）３１２内のデータ構造を図６に示す。ＨＤビデオマネージャメニュー・ＰＧＣＩ・ユニットテーブル（ＨＤＶＭＧＭ＿ＰＧＣＩ＿ＵＴ）３１２内はＨＤビデオマネージャメニュー・ＰＧＣＩ・ユニットテーブル（ＨＤＶＭＧＭ＿ＰＧＣＩ＿ＵＴ）３１２内の共通管理情報が記録されているＨＤビデオマネージャメニュー・プログラムチェーン情報ユニットテーブル情報（ＨＤＶＭＧＭ＿ＰＧＣＩ＿ＵＴＩ）３１２ａとメニューを表示するメニュー記述言語コード毎にまとめられ、メニュー情報に関する管理情報が記録されたＨＤビデオマネージャメニュー・言語ユニット（ＨＤＶＭＧＭ＿ＬＵ）３１２ｃが記録されている。ＨＤのＤＶＤビデオコンテンツでサポートするメニュー記述言語コードの数だけＨＤビデオマネージャメニュー・言語ユニット（ＨＤＶＭＧＭ＿ＬＵ）３１２ｃの情報を持つ。また、ＨＤビデオマネージャメニュー・ＰＧＣＩ・ユニットテーブル（ＨＤＶＭＧＭ＿ＰＧＣＩ＿ＵＴ）３１２内では各メニュー記述言語コード毎のＨＤビデオマネージャメニュー・言語ユニット（ＨＤＶＭＧＭ＿ＬＵ）３１２ｃへのアクセスを容易にするため、各ＨＤビデオマネージャメニュー・言語ユニット（ＨＤＶＭＧＭ＿ＬＵ）３１２ｃの先頭アドレス情報を持つＨＤビデオマネージャメニュー・言語ユニットサーチポインタ（ＨＤＶＭＧＭ＿ＬＵ＿ＳＲＰ）の情報３１２ｂを各ＨＤビデオマネージャ言語ユニット（ＨＤＶＭＧＭ＿ＬＵ）３１２ｃの数だけ持っている。
【０１５３】
ＨＤビデオマネージャメニュー・ＰＧＣＩ・ユニットテーブル（ＨＤＶＭＧＭ＿ＰＧＣＩ＿ＵＴ）３１２内にはＨＤビデオマネージャメニュー・言語ユニットの数（ＨＤＶＭＧＭ＿ＬＵ＿Ｎｓ）情報とＨＤビデオマネージャ情報領域（ＨＤＶＭＧＩ）のファイル（図２のＨＤ＿ＶＭＧ００．ＨＤＩ）内でのこのＨＤビデオマネージャメニュー・ＰＧＣＩ・ユニットテーブル（ＨＤＶＭＧＭ＿ＰＧＣＩ＿ＵＴ）３１２の終了アドレス（ＨＤＶＭＧＭ＿ＰＧＣＩ＿ＵＴ＿ＥＡ）情報を持つ。
【０１５４】
また、ＨＤビデオマネージャメニュー・言語ユニットサーチポインタ（ＨＤＶＭＧＭ＿ＬＵ＿ＳＲＰ）の情報３１２ｂ内には、上述したようにＨＤビデオマネージャ情報領域（ＨＤＶＭＧＩ）のファイル（図２のＨＤ＿ＶＭＧ００．ＨＤＩ）内でのＨＤビデオマネージャメニュー・ＰＧＣＩ・ユニットテーブル（ＨＤＶＭＧＭ＿ＰＧＣＩ＿ＵＴ）３１２の開始位置から対応するＨＤビデオマネージャメニュー・言語ユニット（ＨＤＶＭＧＭ＿ＬＵ）３１２ｃの先頭位置までの差分アドレス情報（ＨＤＶＭＧＭ＿ＵＴ＿ＳＡ）を持つだけでなく、対応するＨＤビデオマネージャメニュー・言語ユニット（ＨＤＶＭＧＭ＿ＬＵ）３１２ｃのメニュー記述言語コードを示すＨＤビデオマネージャメニュー言語コード（ＨＤＶＭＧＭ＿ＬＣＤ）の情報と、対応するＨＤビデオマネージャメニュー・言語ユニット（ＨＤＶＭＧＭ＿ＬＵ）３１２ｃがユーザに表示するメニュー画面をＶＯＢとして持つか否かを示すＨＤビデオマネージャメニューの有無（ＨＤＶＭＧＭ＿ＥＸＳＴ）情報も有している。
【０１５５】
図３に示したＨＤビデオマネージャメニューＰＧＣＩ（ＨＤＶＭＧＭ＿ＰＧＣＩ＿ＵＴ）３１２内に記録されるＨＤビデオマネージャメニュー・言語ユニット＃ｎ（ＨＤＶＭＧＭ＿ＬＵ  ＃ｎ）３１２ｃ（図６）内の詳細なデータ構造を図７に示す。
【０１５６】
ＨＤビデオマネージャメニュー・言語ユニット（ＨＤＶＭＧＭ＿ＬＵ）３１２ｃ内は、ＨＤビデオマネージャメニュー・言語ユニット（ＨＤＶＭＧＭ＿ＬＵ）３１２ｃ内のメニューに関する共通の管理情報が記録されたＨＤビデオマネージャメー言語ユニット情報（ＨＤＶＭＧＭ＿ＬＵＩ）３１２ｃ１と、図７に示した構造を有するＨＤビデオマネージャメニュー・プログラムチェーン情報（ＨＤＶＭＧＭ＿ＰＧＣＩ）３１２ｃ３と、ＨＤビデオマネージャ情報領域（ＨＤＶＭＧＩ）のファイル（図２のＨＤ＿ＶＭＧ００．ＨＤＩ）内でのＨＤビデオマネージャメニュー・言語ユニット（ＨＤＶＭＧＭ＿ＬＵ）３１２ｃ先頭位置から各ＨＤビデオマネージャメニュー・プログラムチェーン情報（ＨＤＶＭＧＭ＿ＰＧＣＩ）３１２ｃ３の先頭位置までの差分アドレスを示すＨＤＶＭＧＭ＿ＰＧＣＩサーチポインタ（ＨＤＶＭＧＭ＿ＰＧＣＩ＿ＳＲＰ  ＃１）の情報３１２ｃ２の各情報を持つ。
【０１５７】
ＨＤビデオマネージャメニュー・言語ユニット＃ｎ（ＨＤＶＭＧＭ＿ＬＵ  ＃ｎ）３１２ｃ内の最初の領域（グループ）に配置されるＨＤビデオマネージャメー言語ユニット情報（ＨＤＶＭＧＭ＿ＬＵＩ）３１２ｃ１内はＨＤＶＭＧＭ＿ＰＧＣＩ＿ＳＲＰの数（ＨＤＶＭＧＭ＿ＰＧＣＩ＿ＳＲＰ＿Ｎｓ）に関する情報とＨＤＶＭＧＭ＿ＬＵの終了アドレス（ＨＤＶＭＧＭ＿ＬＵ＿ＥＡ）情報を有し、ＨＤＶＭＧＭ＿ＰＧＣＩサーチポインタ（ＨＤＶＭＧＭ＿ＰＧＣＩ＿ＳＲＰ  ＃１）の情報３１２ｃ２はＨＤＶＭＧＭ＿ＰＧＣＩの先頭アドレス（ＨＤＶＭＧＭ＿ＰＧＣＩ＿ＳＡ）情報とＨＤＶＭＧＭ＿ＰＧＣカテゴリ（ＨＤＶＭＧＭ＿ＰＧＣ＿ＣＡＴ）情報を持つ。
【０１５８】
ＨＤＶＭＧＭ＿ＰＧＣＩサーチポインタ＃ｎ（ＨＤＶＭＧＭ＿ＰＧＣＩ＿ＳＲＰ  ＃ｎ）３１２ｃ２内のＨＤＶＭＧＭ＿ＰＧＣカテゴリ情報（ＨＤＶＭＧＭ＿ＰＧＣ＿ＣＡＴ）内に本発明におけるＨＤコンテンツのメニューを画面表示した時に同時に再生する音声情報の選択情報と、音声情報再生の開始・終了トリガー情報を示す音声情報選択フラグ（音声情報選択）が記録される。本発明におけるＨＤコンテンツのメニューを画面表示した時に同時に再生する音声データとして、
（１）図１の（ｅ）に示したメニュー用ビデオオブジェクト領域（ＨＤＶＭＧＭ＿ＶＯＢＳ）３２内に記録されたオーディオデータ（図示してないがオーディオパック内に分散記録されている）、
（２）図１の（ｅ）に示したメニュー用オーディオオブジェクト領域（ＨＤＭＥＭＵ＿ＡＯＢＳ）３３内に存在し、図１９に示すように１個以上のメニュー用ＡＯＢ（ＨＤＭＥＮＵ＿ＡＯＢ）が順番に並んで配置されたオーディオデータ、
のいずれかを選択できる。
【０１５９】
ここで音声情報選択フラグ（音声情報選択）の“００ｂ”を選択した時には、（１）のオーディオデータが再生され、メニューの切り替わり時に音声再生が途切れる。また、音声情報選択フラグ（音声情報選択）の“１０ｂ”または“１１ｂ”を選択した時には、（２）に示したメニュー用オーディオオブジェクト領域（ＨＤＭＥＭＵ＿ＡＯＢＳ）３３内に存在するメニュー用ＡＯＢ（ＨＤＭＥＮＵ＿ＡＯＢ）のオーディオデータが再生される。（２）に示したオーディオデータを再生する場合には“１１ｂ”を指定した場合にはメニュー画面の変更毎にオーディオデータが最初から再生を開始し、“１０ｂ”を指定した場合にはメニュー画面の切り替えに関わらず連続してオーディオデータの再生が続けられる。本発明実施形態では図１９に示すようにメニュー用オーディオオブジェクト領域（ＨＤＭＥＮＵ＿ＡＯＢＳ）３３内に複数種類のメニュー用ＡＯＢ（ＨＤＭＥＮＵ＿ＡＯＢ）を格納しておける。図８に示した音声情報番号は該当するメニュー表示用ＰＧＣを表示する時に同時に再生するメニュー用ＡＯＢ（ＨＤＭＥＮＵ＿ＡＯＢ）の選択情報を示している。メニュー用ＡＯＢの選択情報として図１９に配置されているメニュー用ＡＯＢの中で“上から何番目のＡＯＢを選択するか”の番号情報で選択する。
【０１６０】
図８に示すように、ＨＤＶＭＧＭ＿ＰＧＣカテゴリ（ＨＤＶＭＧＭ＿ＰＧＣ＿ＣＡＴ）情報内には、エントリーＰＧＣか否かを判別するエントリータイプ情報、メニューの識別を表す（例えばタイトルのメニューか等）メニューＩＤ情報、ブロックモード情報、ブロックタイプ情報、ＰＴＬ＿ＩＤ＿ＦＬＤ情報が記録されている。
【０１６１】
図３に示したパレンタルマネジメント（管理）情報テーブル（ＰＴＬ＿ＭＡＩＴ）３１３内のデータ構造を図９に示す。パレンタル管理情報テーブル情報（ＰＴＬ＿ＭＡＩＴＩ）３１３ａ内には国の数（ＣＴＹ＿Ｎｓ）、ＨＤＶＴＳの数（ＨＤＶＴＳ＿Ｎｓ）、ＰＴＬ＿ＭＡＩＴの終了アドレス（ＰＴＬ＿ＭＡＩＴ＿ＥＡ）のそれぞれの情報が記録され、パレンタル管理情報サーチポインタ（ＰＴＬ＿ＭＡＩ＿ＳＲＰ）３１３ｂは国コード（ＣＴＹ＿ＣＤ）とＰＴＬ＿ＭＡＩの先頭アドレス（ＰＴＬ＿ＭＡＩ＿ＳＡ）の情報を持つ。
【０１６２】
また、図９に示したパレンタル管理情報（ＰＴＬ＿ＭＡＩ）３１３ｃ内のデータ構造は図１０に示すようにパレンタルレベル情報（ＰＴＬ＿ＬＶＬＩ）３１３ｃ１を有し、パレンタルレベル情報（ＰＴＬ＿ＬＶＬＩ）３１３ｃ１内にはＨＤＶＭＧ用Ｐａｒｅｎｔａｌ＿ＩＤ＿Ｆｉｅｌｄ（ＰＴＬ＿ＩＤ＿ＦＬＤ＿ＨＤＶＭＧ）３１３ｃ１１とＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）３１３ｃ１２の情報を有し、更にＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）３１３ｃ１２の情報内にはＰＧＣ選択用Ｐａｒｅｎｔａｌ＿ＩＤ＿Ｆｉｅｌｄ（ＰＴＬ＿ＩＤ＿ＦＬＤ）が存在する。
【０１６３】
図３に示したＨＤビデオタイトルセット属性情報テーブル（ＨＤＶＴＳ＿ＡＴＲＴ）３１４の中は図１１に示すように、
・ＨＤＶＴＳの数（ＨＤＶＴＳ＿Ｎｓ）とＨＤＶＴＳ＿ＡＴＲＴの終了アドレス（ＨＤＶＴＳ＿ＡＴＲＴ＿ＥＡ）の情報を持つＨＤビデオタイトルセット属性テーブル情報（ＨＤＶＴＳ＿ＡＴＲＴＩ）３１４ａ、
・ＨＤＶＴＳ＿ＡＴＲの先頭アドレス（ＨＤＶＴＳ＿ＡＴＲ＿ＳＡ）の情報が記録されたＨＤＶＴＳ用ビデオタイトルセット属性サーチポインタ（ＨＤＶＴＳ＿ＡＴＲ＿ＳＲＰ）３１４ｂ、
・ＨＤＶＴＳ＿ＡＴＲの終了アドレス（ＨＤＶＴＳ＿ＡＴＲＴ＿ＥＡ）とＨＤビデオタイトルセットのカテゴリ（ＨＤＶＴＳ＿ＣＡＴ）とＨＤビデオタイトルセットの属性情報（ＨＤＶＴＳ＿ＡＴＲＩ）の各情報を有するＨＤＶＴＳ用ビデオタイトルセット属性（ＨＤＶＴＳ＿ＡＴＲ）３１４ｃと、
から構成される。
【０１６４】
図３に示したテキストデータマネージャ（ＴＸＴＤＴ＿ＭＧ）３１５の中は図１２に示すように、
・テキストデータ識別子（ＴＸＴＤＴ＿ＩＤ）とＴＸＴＤＴ＿ＬＵの数（ＴＸＴＤＴ＿ＬＵ＿Ｎｓ）とテキストデータマネージャの終了アドレス（ＴＸＴＤＴ＿ＭＧ＿ＥＡ）の各情報を有するテキストデータマネージャ情報（ＴＸＴＤＴ＿ＭＧＩ）３１５ａ、
・テキストデータ言語コード（ＴＸＴＤＴ＿ＬＣＤ）とキャラクタセット（ＣＨＲＳ）とＴＸＴＤＴ＿ＬＵの先頭アドレス（ＴＸＴＤＴ＿ＬＵ＿ＳＡ）の各種情報が記録されたテキストデータ言語ユニットサーチポインタ（ＴＸＴＤＴ＿ＬＵ＿ＳＲＰ）３１５ｂ、
・テキストデータ言語ユニット（ＴＸＴＤＴ＿ＬＵ）３１５ｃと、
から構成される。
【０１６５】
更に、テキストデータ言語ユニット（ＴＸＴＤＴ＿ＬＵ）３１５ｃの内部は図１３に示すように、
・ＴＸＴＤＴ＿ＬＵの終了アドレス（ＴＸＴＤＴ＿ＬＵ＿ＥＡ）情報が記録されたテキストデータ言語ユニット情報（ＴＸＴＤＴ＿ＬＵＩ）３１５ｃ１、
・ボリューム用ＩＴ＿ＴＸＴ＿ＳＲＰの先頭アドレス（ＩＴ＿ＴＸＴ＿ＳＲＰ＿ＳＡ＿ＶＬＭ）情報が記録されたボリューム用アイテムテキストサーチポインタサーチポインタ（ＩＴ＿ＴＸＴ＿ＳＲＰ＿ＳＲＰ＿ＶＬＭ）３１５ｃ２、
・タイトル用ＩＴ＿ＴＸＴ＿ＳＲＰの先頭アドレス（ＩＴ＿ＴＸＴ＿ＳＲＰ＿ＳＡ＿ＴＴ）の情報を保有したタイトル用アイテムテキストサーチポインタサーチポインタ（ＩＴ＿ＴＸＴ＿ＳＲＰ＿ＳＲＰ＿ＴＴ）３１５ｃ３、
・テキストデータ（ＴＸＴＤＴ）３１５ｃ４、
の各種情報を持つ。また、テキストデータ（ＴＸＴＤＴ）３１５ｃ４の内部は図１４に示すように、
・ＩＴ＿ＴＸＴ＿ＳＲＰの数（ＩＴ＿ＴＸＴ＿ＳＲＰ＿Ｎｓ）の情報を有するテキストデータ情報（ＴＸＴＤＴＩ）３１５ｃ４１、
・アイテムテキスト識別子コード（ＩＴ＿ＴＸＴ＿ＩＤＣＤ）とＩＴ＿ＴＸＴの先頭アドレス（ＩＴ＿ＴＸＴ＿ＳＡ）の情報が記録されたアイテムテキストサーチポインタ（ＩＴ＿ＴＸＴ＿ＳＲＰ）３１５ｃ４２、
・アイテムテキスト（ＩＴ＿ＴＸＴ）３１５ｃ４３
の各種情報が記録されている。
【０１６６】
図３に示したＨＤビデオマネージャメニューセルアドレステーブル（ＨＤＶＭＧＭ＿Ｃ＿ＡＤＴ）３１６の中は図１５に示すように、
・ＨＤＶＭＧＭ＿ＶＯＢＳ内のＶＯＢの数（ＨＤＶＭＧＭ＿ＶＯＢ＿Ｎｓ）とＨＤＶＭＧＭ＿Ｃ＿ＡＤＴの終了アドレス（ＨＤＶＭＧＭ＿Ｃ＿ＡＤＴ＿ＥＡ）の各情報を持つＨＤビデオマネージャメニューセルアドレステーブル情報（ＨＤＶＭＧＭ＿Ｃ＿ＡＤＴＩ）３１６ａ、
・ＨＤＶＭＧＭ＿ＣＰのＶＯＢ＿ＩＤ番号（ＨＤＶＭＧＭ＿ＶＯＢ＿ＩＤＮ）、ＨＤＶＭＧＭ＿ＣＰのＣｅｌｌ＿ＩＤ番号（ＨＤＶＭＧＭ＿Ｃ＿ＩＤＮ）、ＨＤＶＭＧＭ＿ＣＰの先頭アドレス（ＨＤＶＭＧＭ＿ＣＰ＿ＳＡ）、ＨＤＶＭＧＭ＿ＣＰの終了アドレス（ＨＤＶＭＧＭ＿ＣＰ＿ＥＡ）の各情報が記録されたＨＤビデオマネージャメニューセルピース情報（ＨＤＶＭＧＭ＿ＣＰＩ）３１６ｂ、
の各種情報が記録されている。
【０１６７】
図３に示したＨＤビデオマネージャメニュービデオオブジェクトユニットアドレスマップ（ＨＤＶＭＧＭ＿ＶＯＢＵ＿ＡＤＭＡＰ）３１７の中は図１６に示すように、
・ＨＤＶＭＧＭ＿ＶＯＢＵ＿ＡＤＭＡＰの終了アドレス（ＨＤＶＭＧＭ＿ＶＯＢＵ＿ＡＤＭＡＰ＿ＥＡ）の情報を有するＨＤビデオマネージャメニュービデオオブジェクトユニットアドレスマップ情報（ＨＤＶＭＧＭ＿ＶＯＢＵ＿ＡＤＭＡＰＩ）３１７ａ、
・ＨＤＶＭＧＭ＿ＶＯＢＵの先頭アドレス（ＨＤＶＭＧＭ＿ＶＯＢＵ＿ＳＡ）
の各種情報が記録されている。
【０１６８】
図１７はメニュー用ＡＯＢ（ＨＤＭＥＮＵ＿ＡＯＢ）自体に対する管理情報内容を示し、図１の（ｅ）に示したＨＤビデオマネージャ情報領域（ＨＤＶＭＧＩ）３１内に存在する図３に示したＨＤメニュー・オーディオオブジェクトセット情報テーブル（ＨＤＭＥＮＵ＿ＡＯＢＳＩＴ）３１８の内部データ構造を示している。ＨＤメニュー・オーディオオブジェクトセット情報テーブル（ＨＤＭＥＮＵ＿ＡＯＢＳＩＴ）３１８の最初に配置されているＨＤメニュー・オーディオオブジェクトセット情報テーブル情報（ＨＤＭＥＮＵ＿ＡＯＢＳＩＴＩ）３１８ａ内にはＨＤＭＥＮＵ＿ＡＯＢＳ内のＡＯＢ数情報であるＨＤＭＥＮＵ＿ＡＯＢ＿Ｎｓと、ＨＤＭＥＮＵ＿ＡＯＢＳＩＴの終了アドレス情報（ＨＤＭＥＮＵ＿ＡＯＢＳＩＴ＿ＥＡ）が存在する。本発明実施形態では情報記憶媒体内にメニュー用のオーディオオブジェクト（オーディオデータ）を複数種類記録が可能になっている。
【０１６９】
図１７のＨＤメニュー・オーディオオブジェクト情報（ＨＤＭＥＮＵ＿ＡＯＢＩ）３１８ｂは上記個々のメニュー用のオーディオオブジェクト（オーディオデータ）に対する管理情報を示し、それぞれＨＤＭＥＮＵ＿ＡＯＢの再生情報（ＨＤＭＥＮＵ＿ＡＯＢ＿ＰＢＩ）、ＨＤＭＥＮＵ＿ＡＯＢの属性情報（ＨＤＭＥＮＵ＿ＡＯＢ＿ＡＴＲ）、ＨＤＭＥＮＵ＿ＡＯＢ  ＃ｎ（該当するＨＤＭＥＮＵ＿ＡＯＢ）の先頭アドレス情報（ＨＤＭＥＮＵ＿ＡＯＢ＿ＳＡ）、ＨＤＭＥＮＵ＿ＡＯＢ  ＃ｎ（該当するＨＤＭＥＮＵ＿ＡＯＢ）の終了アドレス情報（ＨＤＭＥＮＵ＿ＡＯＢ＿ＥＡ）から構成される。
【０１７０】
図２のＨＤ＿ＶＭＧ０１．ＨＤＶファイル内にまとめて格納された図１の（ｅ）に示すメニュー用ビデオオブジェクト領域（ＨＤＶＭＧＭ＿ＶＯＢＳ）３２内のデータ構造は図１８に示すように同一のメニュー画面がそれぞれ異なるメニュー記述言語コードで記録されたメニュー画面（ビデオオブジェクト）が並んで配置されている。
【０１７１】
本発明実施形態では情報記憶媒体内にメニュー用のオーディオオブジェクト（オーディオデータ）を複数種類記録が可能になっている。メニュー用のオーディオオブジェクト（ＡＯＢ）の記録場所は上述したように図１に示すようにＨＤビデオマネージャ記録領域（ＨＤＶＭＧＩ）３０内のメニュー用オーディオオブジェクト領域（ＨＤＭＥＮＵ＿ＡＯＢＳ）３３内であり、このメニュー用オーディオオブジェクト領域（ＨＤＭＥＮＵ＿ＡＯＢＳ）３３は図２に示すようにＨＤ＿ＭＥＮＵ０．ＨＤＡと言うファイル名の１ファイルを構成している。それぞれのメニュー用のオーディオオブジェクト（ＡＯＢ）はＨＤ＿ＭＥＮＵ０．ＨＤＡと言うファイル名の１ファイルを構成しているメニュー用オーディオオブジェクト領域（ＨＤＭＥＮＵ＿ＡＯＢＳ）３３内に図１９に示すように順番に配置記録されている。
【０１７２】
図２に示したＶＴＳ００１００．ＩＦＯファイル内にまとめて記録され、図１の（ｆ）に示したＨＤビデオタイトルセット情報領域（ＨＤＶＴＳＩ）４１の内部は図２０に示すようにＨＤビデオタイトルセット情報管理テーブル（ＨＤＶＴＳＩ＿ＭＡＴ）４１０、ＨＤビデオタイトルセットＰＴＴサーチポインタテーブル（ＨＤＶＴＳ＿ＰＴＴ＿ＳＲＰＴ）４１１、ＨＤビデオタイトルセット・プログラムチェーン情報テーブル（ＨＤＶＴＳ＿ＰＧＣＩＴ）４１２、ＨＤビデオタイトルセットメニュー・ＰＧＣＩ・ユニットテーブル（ＨＤＶＴＳＭ＿ＰＧＣＩ＿ＵＴ）４１３、ＨＤビデオタイトルセット・タイムマップテーブル（ＨＤＶＴＳ＿ＴＭＡＰＴ）４１４、ＨＤビデオタイトルセットメニュー・セル・アドレステーブル（ＨＤＶＴＳＭ＿Ｃ＿ＡＤＴ）４１５、ＨＤビデオタイトルセットメニュー・ビデオオブジェクトユニット・アドレスマップ（ＨＤＶＴＳＭ＿ＶＯＢＵ＿ＡＤＭＡＰ）４１６、ＨＤビデオタイトルセット・セル・アドレステーブル（ＨＤＶＴＳ＿Ｃ＿ＡＤＴ）４１７、ＨＤビデオタイトルセット・ビデオオブジェクトユニット・アドレスマップ（ＨＤＶＴＳ＿ＶＯＢＵ＿ＡＤＭＡＰ）４１８の各領域（管理情報グループ）に分かれている。
【０１７３】
ＨＤビデオタイトルセット情報管理テーブル（ＨＤＶＴＳＩ＿ＭＡＴ）４１０には該当するビデオタイトルセットに共通する管理情報が記録されている。この共通する管理情報をＨＤビデオタイトルセット情報領域（ＨＤＶＴＳＩ）４１の中で最初の領域（管理情報グループ）に配置することで即座にビデオタイトルセット内の共通管理情報を読み込めるので、情報再生装置の再生制御処理の簡素化と制御処理時間の短縮化が図れる。
【０１７４】
ＨＤＶＴＳ（本発明のＨＤビデオタイトルセット）内に含まれるグラフィックユニットに関する管理情報は図１の（ｆ）に示したＨＤビデオタイトルセット情報領域（ＨＤＶＴＳＩ）４１内の最初の領域（グループ）内に配置されたＨＤビデオタイトルセット情報管理テーブル（ＨＤＶＴＳＩ＿ＭＡＴ）４１０（図２０参照）内に記録されている。ＨＤビデオタイトルセット情報管理テーブル（ＨＤＶＴＳＩ＿ＭＡＴ）４１０の具体的な管理情報内容は図２１に示すようにグラフィックユニットストリーム数情報と属性情報がＨＤＶＴＳ内のメニュー画面とタイトル（表示映像）に分かれてそれぞれＨＤＶＴＳＭのグラフィックユニットストリーム数情報（ＨＤＶＴＳＭ＿ＧＵＳＴ＿Ｎｓ）、ＨＤＶＴＳＭのグラフィックユニットストリーム属性情報（ＨＤＶＴＳＭ＿ＧＵＳＴ＿ＡＴＲ）、ＨＤＶＴＳのグラフィックユニットストリーム数情報（ＨＤＶＴＳ＿ＧＵＳＴ＿Ｎｓ）、ＨＤＶＴＳのグラフィックユニットストリーム属性テーブル情報（ＨＤＶＴＳ＿ＧＵＳＴ＿ＡＴＲＴ）として記録されている。
【０１７５】
また、ＨＤビデオタイトルセット情報管理テーブル（ＨＤＶＴＳＩ＿ＭＡＴ）４１０内には図２１に示すようにビデオタイトルセット内の共通管理情報の他にＨＤビデオタイトルセット識別子（ＨＤＶＴＳ＿ＩＤ）、ＨＤＶＴＳの終了アドレス（ＨＤＶＴＳ＿ＥＡ）、ＨＤＶＴＳＩの終了アドレス（ＨＤＶＴＳＩ＿ＥＡ）、ＨＤ−ＤＶＤビデオ規格のバージョン番号（ＶＥＲＮ）、ＨＤＶＴＳカテゴリ（ＨＤＶＴＳ＿ＣＡＴ）、ＨＤＶＴＳＩ＿ＭＡＴの終了アドレス（ＨＤＶＴＳＩ＿ＭＡＴ＿ＥＡ）、ＨＤＶＴＳＭ＿ＶＯＢＳの先頭アドレス（ＨＤＶＴＳＭ＿ＶＯＢＳ＿ＳＡ）、ＨＤＶＴＳＴＴ＿ＶＯＢＳの先頭アドレス（ＨＤＶＴＳＴＴ＿ＶＯＢＳ＿ＳＡ）、ＨＤＶＴＳ＿ＰＴＴ＿ＳＲＰＴの先頭アドレス（ＨＤＶＴＳ＿ＰＴＴ＿ＳＲＰＴ＿ＳＡ）、ＨＤＶＴＳ＿ＰＧＣＩＴの先頭アドレス（ＨＤＶＴＳ＿ＰＧＣＩＴ＿ＳＡ）、ＨＤＶＴＳＭ＿ＰＧＣＩ＿ＵＴの先頭アドレス（ＨＤＶＴＳＭ＿ＰＧＣＩ＿ＵＴ＿ＳＡ）、ＨＤＶＴＳ＿ＴＭＡＰの先頭アドレス（ＨＤＶＴＳ＿ＴＭＡＰ＿ＳＡ）、ＨＤＶＴＳＭ＿Ｃ＿ＡＤＴの先頭アドレス（ＨＤＶＴＳＭ＿Ｃ＿ＡＤＴ＿ＳＡ）、ＨＤＶＴＳＭ＿ＶＯＢＵ＿ＡＤＭＡＰの先頭アドレス（ＨＤＶＴＳＭ＿ＶＯＢＵ＿ＡＤＭＡＰ＿ＳＡ）、ＨＤＶＴＳ＿Ｃ＿ＡＤＴの先頭アドレス（ＨＤＶＴＳ＿Ｃ＿ＡＤＴ＿ＳＡ）、ＨＤＶＴＳ＿ＶＯＢＵ＿ＡＤＭＡＰの先頭アドレス（ＨＤＶＴＳ＿ＶＯＢＵ＿ＡＤＭＡＰ＿ＳＡ）、ＨＤＶＴＳＭのビデオ属性（ＨＤＶＴＳＭ＿Ｖ＿ＡＴＲ）、ＨＤＶＴＳＭのオーディオストリーム数（ＨＤＶＴＳＭ＿ＡＳＴ＿Ｎｓ）、ＨＤＶＴＳＭのオーディオストリーム属性（ＨＤＶＴＳＭ＿ＡＳＴ＿ＡＴＲ）、ＨＤＶＴＳＭのサブピクチャストリーム数の先頭アドレス（ＨＤＶＴＳＭ＿ＳＰＳＴ＿Ｎｓ）、ＨＤＶＴＳＭのサブピクチャストリーム属性（ＨＤＶＴＳＭ＿ＳＰＳＴ＿ＡＴＲ）、ＨＤＶＴＳのビデオ属性（ＨＤＶＴＳ＿Ｖ＿ＡＴＲ）、ＨＤＶＴＳのオーディオストリーム数（ＨＤＶＴＳ＿ＡＳＴ＿Ｎｓ）、ＨＤＶＴＳのオーディオストリーム属性テーブル（ＨＤＶＴＳ＿ＡＳＴ＿ＡＴＲＴ）、ＨＤＶＴＳのサブピクチャストリーム数（ＨＤＶＴＳ＿ＳＰＳＴ＿Ｎｓ）、ＨＤＶＴＳのサブピクチャストリーム属性テーブル（ＨＤＶＴＳ＿ＳＰＳＴ＿ＡＴＲＴ）、ＨＤＶＴＳのマルチチャネルオーディオストリーム属性テーブル（ＨＤＶＴＳ＿ＭＵ＿ＡＳＴ＿ＡＴＲＴ）の各種情報が記録されている。
【０１７６】
図２０に示したＨＤビデオタイトルセットＰＴＴサーチポインタテーブル（ＨＤＶＴＳ＿ＰＰＴ＿ＳＲＰＴ）４１１の中のデータ構造を図２２に示す。ＨＤビデオタイトルセットＰＴＴサーチポインタテーブル（ＨＤＶＴＳ＿ＰＰＴ＿ＳＲＰＴ）４１１は
・ＨＤＶＴＳのＴＴＵの数（ＨＤＶＴＳ＿ＴＴＵ＿Ｎｓ）とＨＤＶＴＳ＿ＰＴＴ＿ＳＲＰＴの終了アドレス（ＨＤＶＴＳ＿ＰＴＴ＿ＳＲＰＴ＿ＥＡ）の情報を有するＰＴＴサーチポインタテーブル情報（ＰＴＴ＿ＳＲＰＴＩ）４１１ａ、
・ＴＴＵの先頭アドレス（ＴＴＵ＿ＳＡ）の情報が記録されたタイトルユニット・サーチポインタ（ＴＴＵ＿ＳＲＰ）４１１ｂ、
・プログラムチェーン番号（ＰＧＣＮ）とプログラム番号（ＰＧＮ）の情報を持ったＰＴＴサーチポインタ（ＰＴＴ＿ＳＲＰ）４１１ｃ、
の各種情報から構成されている。
【０１７７】
リジューム情報を管理する情報の配置場所について本発明の第１の実施形態では図２３、図２４に示すようにＨＤＶＴＳ＿ＰＧＣＩサーチポインタ４１２内のＨＤＶＴＳ＿ＰＧＣカテゴリ内にＲＳＭ許可フラグ（リジューム情報の更新許可フラグ）を持たせている。ＨＤＶＴＳ＿ＰＧＣＩサーチポインタ４１２の情報は図１の（ｆ）に示したＨＤビデオタイトルセット情報領域（ＨＤＶＴＳＩ）４１の中に存在する図２０に示したＨＤビデオタイトルセット・プログラムチェーン情報テーブル（ＨＤＶＴＳ＿ＰＧＣＩＴ）４１２の中に配置されている。ＨＤビデオタイトルセット・プログラムチェーン情報テーブル（ＨＤＶＴＳ＿ＰＧＣＩＴ）４１２の中は図２３に示すように他にＨＤＶＴＳ＿ＰＧＣＩ＿ＳＲＰの数（ＨＤＶＴＳ＿ＰＧＣＩ＿ＳＲＰ＿Ｎｓ）とＨＤＶＴＳ＿ＰＧＣＩＴの終了アドレス（ＨＤＶＴＳ＿ＰＧＣＩＴ＿ＥＡ）の情報が含まれるＨＤビデオタイトルセットＰＧＣＩ情報テーブル（ＨＤＶＴＳ＿ＰＧＣＩＴＩ）４１２ａの情報が記録されている。また、上述したＨＤＶＴＳ＿ＰＧＣカテゴリ（ＨＤＶＴＳ＿ＰＧＣ＿ＣＡＴ）と共にＨＤＶＴＳ＿ＰＧＣＩサーチポインタ（ＨＤＶＴＳ＿ＰＧＣＩ＿ＳＲＰ）４１２ｂ内にはＨＤＶＴＳ＿ＰＧＣＩの先頭アドレス（ＨＤＶＴＳ＿ＰＧＣＩ＿ＳＡ）の情報も記録されている。
【０１７８】
図２４に示すＲＳＭ許可フラグ（リジューム情報の更新許可フラグ）とは該当するＨＤＶＴＳ＿ＰＧＣの再生を開始した段階でレジューム情報の内容を更新するか（該当するＰＧＣの再生状況に合わせてレジューム情報を逐次更新して行くか）否かの指定をする。すなわちフラグが
“０ｂ”の場合はレジューム情報の更新を行い、
“１ｂ”の場合はレジューム情報の更新を行わず、その前に再生したＨＤＶＴＳ＿ＰＧＣ（本発明のＨＤビデオタイトルセット内の対応したプログラムチェーン）の再生中断した情報を保持しておく
と言う処理を行う。また、ＨＤＶＴＳ＿ＰＧＣカテゴリ（ＨＤＶＴＳ＿ＰＧＣ＿ＣＡＴ）の中には他にもエントリーＰＧＣか否かを判別するエントリータイプ情報、対応するＰＧＣが示すＶＴＳ（ビデオタイトルセット）内のタイトル番号情報、ブロックモード情報、ブロックタイプ情報、ＰＴＬ＿ＩＤ＿ＦＬＤ情報が記録されている。
【０１７９】
図２０に示したＨＤビデオタイトルセットメニュー・ＰＧＣＩ・ユニットテーブル（ＨＤＶＴＳＭ＿ＰＧＣＩ＿ＵＴ）４１３の中のデータ構造を図２５に示す。ＨＤビデオタイトルセットメニュー・ＰＧＣＩ・ユニットテーブル（ＨＤＶＴＳＭ＿ＰＧＣＩ＿ＵＴ）４１３の内部は
・ＨＤビデオタイトルセットメニュー・言語ユニットの数（ＨＤＶＴＳＭ＿ＬＵ＿Ｎｓ）とＨＤＶＴＳＭ＿ＰＧＣＩ＿ＵＴの終了アドレス（ＨＤＶＴＳＭ＿ＰＧＣＩ＿ＵＴ＿ＥＡ）の各情報を有したＨＤビデオタイトルセットメニュー・プログラムチェーン情報ユニットテーブル情報（ＨＤＶＴＳＭ＿ＰＧＣＩ＿ＵＴＩ）４１３ａ、
・ＨＤビデオタイトルセットメニュー言語コード（ＨＤＶＴＳＭ＿ＬＣＤ）とＨＤビデオタイトルセットメニューの有無（ＨＤＶＴＳＭ＿ＥＸＳＴ）とＨＤＶＴＳＭ＿ＬＵの先頭アドレス（ＨＤＶＴＳＭ＿ＵＴ＿ＳＡ）の各情報が記録されたＨＤビデオタイトルセットメニュー・言語ユニットサーチポインタ（ＨＤＶＴＳＭ＿ＬＵ＿ＳＲＰ）４１３ｂ、
・ＨＤビデオタイトルセットメニュー・言語ユニット（ＨＤＶＴＳＭ＿ＬＵ）４１３ｃ
の各種情報から構成されている。
【０１８０】
また、ＨＤビデオタイトルセットメニュー・言語ユニット（ＨＤＶＴＳＭ＿ＬＵ）４１３ｃ内のデータ構造は図２６に示すように、
・ＨＤＶＴＳＭ＿ＰＧＣＩ＿ＳＲＰの数（ＨＤＶＴＳＭ＿ＰＧＣＩ＿ＳＲＰ＿Ｎｓ）とＨＤＶＴＳＭ＿ＬＵの終了アドレス（ＨＤＶＴＳＭ＿ＬＵ＿ＥＡ）の情報を有するＨＤビデオタイトルセットメニュー・言語ユニット情報（ＨＤＶＴＳＭ＿ＬＵＩ）４１３ｃ１、
・図３３、図３４と全く同じデータ構造を持ったＨＤビデオタイトルセットメニュー・プログラムチェーン情報（ＨＤＶＴＳＭ＿ＰＧＣＩ）４１３ｃ３、
・ＨＤＶＴＳＭ＿ＰＧＣカテゴリ（ＨＤＶＴＳＭ＿ＰＧＣ＿ＣＡＴ）とＨＤＶＴＳＭ＿ＰＧＣＩの先頭アドレス（ＨＤＶＴＳＭ＿ＰＧＣＩ＿ＳＡ）の情報が記録されたＨＤＶＴＳＭ＿ＰＧＣＩサーチポインタ（ＨＤＶＴＳＭ＿ＰＧＣＩ＿ＳＲＰ）４１３ｃ２、
から構成される。
【０１８１】
メニュー用ＡＯＢ（ＨＤＭＥＮＵ＿ＡＯＢ）を参照（指定）する情報の設定場所として本発明の第１の実施形態ではＨＤＶＴＳ単位でのメニューに関しては、図２６に示すようにＨＤＶＴＳ＿ＰＧＣＩサーチポインタ＃ｎ（ＨＤＶＴＳＭ＿ＰＧＣＩ＿ＳＲＰ  ＃ｎ）４１３ｃ２内のＨＤＶＴＳＭ＿ＰＧＣカテゴリ情報（ＨＤＶＴＳＭ＿ＰＧＣ＿ＣＡＴ）内に配置する。図２７に示すＨＤＶＴＳＭ＿ＰＧＣカテゴリ情報（ＨＤＶＴＳＭ＿ＰＧＣ＿ＣＡＴ）内の音声情報番号はＨＤＭＥＭＵ＿ＡＯＢＳの中の再生するＡＯＢ番号＃ｎ（図１９で並んでいるメニュー用ＡＯＢ（ＨＤＭＥＮＵ＿ＡＯＢ）の内、何番目のＡＯＢが対応するか）を指定する音声情報番号（ＡＯＢ番号）を意味し、音声情報選択は本発明におけるＨＤコンテンツのメニューを画面表示した時に同時に再生する音声情報の選択情報と、音声情報再生の開始・終了トリガー情報を示す音声情報選択フラグ（音声情報選択）を意味している。
【０１８２】
ここで、音声情報選択フラグ（音声情報選択）の“００ｂ”を選択した時には、各メニュー用ビデオオブジェクト内に記録されているオーディオデータが再生され、メニューの切り替わり時に音声再生が途切れる。また、音声情報選択フラグ（音声情報選択）の“１０ｂ”または“１１ｂ”を選択した時には、メニュー用オーディオオブジェクト領域（ＨＤＭＥＭＵ＿ＡＯＢＳ）３３内に存在するメニュー用ＡＯＢ（ＨＤＭＥＮＵ＿ＡＯＢ）のオーディオデータが再生される。メニュー用オーディオデータ（ＡＯＢ）を再生する場合、“１１ｂ”を指定した時にはメニュー画面の変更毎にオーディオデータが最初から再生を開始し、“１０ｂ”を指定した時にはメニュー画面の切り替えに関わらず連続してオーディオデータの再生が続けられる。本発明実施形態では、図１９に示すように、メニュー用オーディオオブジェクト領域（ＨＤＭＥＮＵ＿ＡＯＢＳ）３３内に複数種類のメニュー用ＡＯＢ（ＨＤＭＥＮＵ＿ＡＯＢ）を格納しておける。図２７に示した音声情報番号は該当するメニュー表示用ＰＧＣを表示する時に同時に再生するメニュー用ＡＯＢ（ＨＤＭＥＮＵ＿ＡＯＢ）の選択情報を示している。メニュー用ＡＯＢの選択情報として図１９に配置されているメニュー用ＡＯＢの中で“上から何番目のＡＯＢを選択するか”の番号情報で選択する。また、ＨＤＶＴＳＭ＿ＰＧＣカテゴリ（ＨＤＶＴＳＭ＿ＰＧＣ＿ＣＡＴ）内には他にもエントリーＰＧＣか否かを判別するエントリータイプ情報、メニューの識別を表す（例えばタイトルのメニューか等）メニューＩＤ情報、ブロックモード情報、ブロックタイプ情報、ＰＴＬ＿ＩＤ＿ＦＬＤ情報が記録されている。
【０１８３】
図２０に示したＨＤビデオタイトルセット・タイムマップテーブル（ＨＤＶＴＳ＿ＴＭＡＰＴ）４１４中のデータ構造を図２８に示す。ＨＤビデオタイトルセット・タイムマップテーブル（ＨＤＶＴＳ＿ＴＭＡＰＴ）４１４の内部は
・ＨＤＶＴＳ＿ＴＭＡＰの数（ＨＤＶＴＳ＿ＴＭＡＰ＿Ｎｓ）とＨＤＶＴＳ＿ＴＭＡＰＴの終了アドレス（ＨＤＶＴＳ＿ＴＭＡＰＴ＿ＥＡ）の各種の情報が記載されたＨＤビデオタイトルセット・タイムマップテーブル情報（ＨＤＶＴＳ＿ＴＭＡＰＴＩ）４１４ａ、
・ＨＤＶＴＳ＿ＴＭＡＰの先頭アドレス（ＨＤＶＴＳ＿ＴＭＡＰ＿ＳＡ）の情報を有するＨＤビデオタイトルセット・タイムマップ・サーチポインタ（ＨＤＶＴＳ＿ＴＭＡＰ＿ＳＲＰ）４１４ｂ、
・マップエントリで基準とするタイムユニット（秒）の長さ（ＴＭＵ）とマップエントリ数（ＭＡＰ＿ＥＮ＿Ｎｓ）とマップエントリ（ＭＡＰ＿ＥＮ）の各種情報が記録されたＨＤビデオタイトルセット・タイムマップ（ＨＤＶＴＳ＿ＴＭＡＰ）４１４ｃ、
の各種情報から構成されている。
【０１８４】
上記ＨＤマップエントリ（ＨＤＭＡＰ＿ＥＮ）内は該当するＨＤＭＡＰ＿ＥＮＡと次のＨＤＭＡＰ＿ＥＮＡが同一セル内に存在するか否かの判定フラグを示す“不連続フラグ”と、該当するＨＤマップエントリ（ＨＤＭＡＰ＿ＥＮ）に対応する再生時間が含まれるＶＯＢＵの先頭アドレス情報（ＨＤＭＡＰ＿ＥＮＡ）から構成されている。
【０１８５】
また、図２０に示したＨＤビデオタイトルセットメニュー・セル・アドレステーブル（ＨＤＶＴＳＭ＿Ｃ＿ＡＤＴ）４１５の中のデータ構造は図２９に示すように、
・ＨＤＶＴＳＭ＿ＶＯＢＳ内のＶＯＢの数（ＨＤＶＴＳＭ＿ＶＯＢ＿Ｎｓ）とＨＤＶＴＳＭ＿Ｃ＿ＡＤＴの終了アドレス（ＨＤＶＴＳＭ＿Ｃ＿ＡＤＴ＿ＥＡ）の情報を有するＨＤビデオタイトルセットメニュー・セル・アドレステーブル情報（ＨＤＶＴＳＭ＿Ｃ＿ＡＤＴＩ）４１５ａ、
・ＨＤＶＴＳＭ＿ＣＰのＶＯＢ＿ＩＤ番号（ＨＤＶＴＳＭ＿ＶＯＢ＿ＩＤＮ）とＨＤＶＴＳＭ＿ＣＰのＣｅｌｌ＿ＩＤ番号（ＨＤＶＴＳＭ＿Ｃ＿ＩＤＮ）とＨＤＶＴＳＭ＿ＣＰの先頭アドレス（ＨＤＶＴＳＭ＿ＣＰ＿ＳＡ）とＨＤＶＴＳＭ＿ＣＰの終了アドレス（ＨＤＶＴＳＭ＿ＣＰ＿ＥＡ）の各種情報が記録されたＨＤビデオタイトルセットメニュー・セルピース情報（ＨＤＶＴＳＭ＿ＣＰＩ）４１５ｂ、
の各種情報から構成されている。
【０１８６】
図２０に示したＨＤビデオタイトルセットメニュー・ビデオオブジェクトユニット・アドレスマップ（ＨＤＶＴＳＭ＿ＶＯＢＵ＿ＡＤＭＡＰ）４１６は図３０のように
・ＨＤＶＴＳＭ＿ＶＯＢＵ＿ＡＤＭＡＰの終了アドレス（ＨＤＶＴＳＭ＿ＶＯＢＵ＿ＡＤＭＡＰ＿ＥＡ）の情報が記載されたＨＤビデオタイトルセットメニュー・ビデオオブジェクトユニット・アドレスマップ情報（ＨＤＶＴＳＭ＿ＶＯＢＵ＿ＡＤＭＡＰＩ）４１６ａ、
・ＨＤＶＴＳＭ＿ＶＯＢＵの先頭アドレス（ＨＤＶＴＳＭ＿ＶＯＢＵ＿ＳＡ）の情報を有するＨＤビデオタイトルセットメニュー・ビデオオブジェクトユニット・アドレス（ＨＤＶＴＳＭ＿ＶＯＢＵ＿ＡＤ）４１６ｂ、
の情報から構成されている。
【０１８７】
また、図２０に示したＨＤビデオタイトルセット・セル・アドレステーブル（ＨＤＶＴＳ＿Ｃ＿ＡＤＴ）４１７の中のデータ構造を図３１に示す。ＨＤビデオタイトルセット・セル・アドレステーブル（ＨＤＶＴＳ＿Ｃ＿ＡＤＴ）４１７内は、
・ＨＤＶＴＳ＿ＶＯＢＳ内のＶＯＢの数（ＨＤＶＴＳ＿ＶＯＢ＿Ｎｓ）とＨＤＶＴＳ＿Ｃ＿ＡＤＴの終了アドレス（ＨＤＶＴＳ＿Ｃ＿ＡＤＴ＿ＥＡ）の情報を有したＨＤビデオタイトルセット・セル・アドレステーブル情報（ＨＤＶＴＳ＿Ｃ＿ＡＤＴＩ）４１７ａ、
・ＨＤＶＴＳ＿ＣＰのＶＯＢ＿ＩＤ番号（ＨＤＶＴＳ＿ＶＯＢ＿ＩＤＮ）とＨＤＶＴＳ＿ＣＰのＣｅｌｌ＿ＩＤ番号（ＨＤＶＴＳ＿Ｃ＿ＩＤＮ）とＨＤＶＴＳ＿ＣＰの先頭アドレス（ＨＤＶＴＳ＿ＣＰ＿ＳＡ）とＨＤＶＴＳ＿ＣＰの終了アドレス（ＨＤＶＴＳ＿ＣＰ＿ＥＡ）の各種情報から成るＨＤビデオタイトルセット・セルピース情報（ＨＤＶＴＳ＿ＣＰＩ）４１７ｂ、
の各種情報から構成されている。
【０１８８】
更に、図２０に示したＨＤビデオタイトルセット・ビデオオブジェクトユニット・アドレスマップ（ＨＤＶＴＳ＿ＶＯＢＵ＿ＡＤＭＡＰ）４１８の中のデータ構造を図３２に示す。ＨＤビデオタイトルセット・ビデオオブジェクトユニット・アドレスマップ（ＨＤＶＴＳ＿ＶＯＢＵ＿ＡＤＭＡＰ）４１８は、
・ＨＤＶＴＳ＿ＶＯＢＵ＿ＡＤＭＡＰの終了アドレス（ＨＤＶＴＳ＿ＶＯＢＵ＿ＡＤＭＡＰ＿ＥＡ）の情報を有するＨＤビデオタイトルセット・ビデオオブジェクトユニット・アドレスマップ情報（ＨＤＶＴＳ＿ＶＯＢＵ＿ＡＤＭＡＰＩ）４１８ａ、
・ＨＤＶＴＳ＿ＶＯＢＵ単位の先頭アドレス（ＨＤＶＴＳ＿ＶＯＢＵ＿ＳＡ）の情報が記録されているＨＤビデオタイトルセット・ビデオオブジェクトユニット・アドレス（ＨＤＶＴＳ＿ＶＯＢＵ＿ＡＤ）４１８ｂ、
の各種情報から構成されている。
【０１８９】
特徴（Ａ）を実現するＲＳＭ許可フラグフラグ情報と特徴（Ｆ）を実現する音声情報選択フラグ／音声情報番号は本発明の第１の実施形態として図２２と図７、図２４に示すようにプログラムチェーン情報ＰＧＣＩのサーチポインタ情報内に持たせている。本発明はこの実施形態に限らずＰＧＣＩ自体の中に持たせることも可能である。本発明の他の実施形態（第２の実施形態）を図３３、図３４に示す。図３３、図３４に示したＰＧＣＩ情報とは
〔イ〕図１の（ｅ）のＨＤビデオマネージャ情報領域（ＨＤＶＭＧＩ）３１内のＨＤビデオマネージャメニュー・ＰＧＣＩ・ユニットテーブル（ＨＤＶＭＧＭ＿ＰＧＣＩ＿ＵＴ）３１２（図３）に存在する図６のＨＤビデオマネージャメニュー・言語ユニット（ＨＤＶＭＧＭ＿ＬＵ）３１２に関し、図７に示されたＨＤビデオマネージャメニュー・プログラムチェーン情報（ＨＤＶＭＧＭ＿ＰＧＣＩ）３１２ｃ３、
〔ロ〕図１の（ｆ）のＨＤビデオタイトルセット情報領域（ＨＤＶＴＳＩ）４１内のデータ構造を示した図２０におけるＨＤビデオタイトルセットメニュー・ＰＧＣＩ・ユニットテーブル（ＨＤＶＴＳＭ＿ＰＧＣＩ＿ＵＴ）４１３内の図２５におけるＨＤビデオタイトルセットメニュー・言語ユニット（ＨＤＶＴＳＭ＿ＬＵ）４１３ｃの中に配置されている図２６に示したＨＤビデオタイトルセットメニュー・プログラムチェーン情報（ＨＤＶＴＳＭ＿ＰＧＣＩ）４１３ｃ３、
〔ハ〕図１の（ｆ）のＨＤビデオタイトルセット情報領域（ＨＤＶＴＳＩ）４１内のデータ構造を示した図２０におけるＨＤビデオタイトルセット・プログラムチェーン情報テーブル（ＨＤＶＴＳ＿ＰＧＣＩＴ）４１２内のＨＤＶＴＳ＿ＰＧＣＩ  ４１２ｃ（図２３）
がそれぞれ対応する（図３３、図３４に示したＰＧＣＩ情報は〔イ〕〜〔ハ〕の３箇所に配置され得る）。
【０１９０】
図３３、図３４に示すようにプログラムチェーン情報（ＰＧＣＩ）はプログラムチェーン・一般情報（ＰＧＣ＿ＧＩ）５０、プログラムチェーン・コマンドテーブル（ＰＧＣ＿ＣＭＤＴ）５１、プログラムチェーン・プログラムマップ（ＰＧＣ＿ＰＧＭＡＰ）５２、セル・再生情報テーブル（Ｃ＿ＰＢＩＴ）５３、セル・位置情報テーブル（Ｃ＿ＰＯＳＩＴ）５４と言う５領域（５個の管理情報グループ）から構成されている。
【０１９１】
図３３、図３４に示すようにＰＧＣＩ内の最初の領域（管理情報グループ）に配置されたプログラムチェーン・一般情報（ＰＧＣ＿ＧＩ）５０内の最後にＲＳＭ＆ＡＯＢ・カテゴリ情報（ＲＳＭ＆ＡＯＢ＿ＣＡＴ）が記録されている。ＲＳＭ＆ＡＯＢ・カテゴリ情報（ＲＳＭ＆ＡＯＢ＿ＣＡＴ）内にＲＳＭ許可フラグ情報、音声情報選択フラグ、音声情報番号が存在する。このＲＳＭ許可フラグ情報は図２４で説明した内容とまったく同じ内容を意味している。また、音声情報選択フラグと音声情報番号の内容は図８または図２７で説明した内容と一致している。更にＲＳＭ＆ＡＯＢ・カテゴリ情報（ＲＳＭ＆ＡＯＢ＿ＣＡＴ）内にはエントリーＰＧＣか否かを判別するエントリータイプ情報、ブロックモード情報、ブロックタイプ情報、ＰＴＬ＿ＩＤ＿ＦＬＤ情報が記録されている。
【０１９２】
ＰＧＣ内に配置するグラフィックユニットのストリームに関する制御情報が記録されるＰＧＣ・グラフィックユニットストリーム・制御テーブル（ＰＧＣ＿ＧＵＳＴ＿ＣＴＬＴ）内の情報は図３３、図３４に示すように４種類の各画像（１６：９のＨＤ画像、１６：９のＳＤ画像、４：３のＳＤ画像、レターボックスのＳＤ画像）に対応してそれぞれ別領域であるＨＤ用グラフィックユニットストリーム＃０のＰＧＣ＿ＧＵＳＴ＿ＣＴＬ（ＰＧＣ＿ＧＵＳＴ  ＃０）領域、ＳＤワイド用グラフィックユニットストリーム＃１のＰＧＣ＿ＧＵＳＴ＿ＣＴＬ（ＰＧＣ＿ＧＵＳＴ  ＃１）領域、４：３（ＳＤ）用グラフィックユニットストリーム＃２の  ＰＧＣ＿ＧＵＳＴ＿ＣＴＬ（ＰＧＣ＿ＧＵＳＴ  ＃２）領域、レターボックス（ＳＤ）用グラフィックユニットストリーム＃３の  ＰＧＣ＿ＧＵＳＴ＿ＣＴＬ（ＰＧＣ＿ＧＵＳＴ  ＃３）領域に別々に記録する。
【０１９３】
上記の情報以外にもプログラムチェーン・一般情報（ＰＧＣ＿ＧＩ）５０内にはＰＧＣ内容（ＰＧＣ＿ＣＮＴ）、ＰＧＣ再生時間（ＰＧＣ＿ＰＢ＿ＴＭ）、ＰＧＣユーザ操作制御（ＰＧＣ＿ＵＯＰ＿ＣＴＬ）、ＰＧＣオーディオストリーム制御テーブル（ＰＧＣ＿ＡＳＴ＿ＣＴＬＴ）、ＰＧＣサブピクチャストリーム制御テーブル（ＰＧＣ＿ＳＰＳＴ＿ＣＴＬＴ）、ＰＧＣナビゲーションコントロール（ＰＧＣ＿ＮＶ＿ＣＴＬ）、ＰＧＣサブピクチャパレット（ＰＧＣ＿ＳＰ＿ＰＬＴ）、ＰＧＣ＿ＣＭＤＴの先頭アドレス（ＰＧＣ＿ＣＭＤＴ＿ＳＡ）、ＰＧＣ＿ＰＧＭＡＰの先頭アドレス（ＰＧＣ＿ＰＧＭＡＰ＿ＳＡ）、Ｃ＿ＰＢＩＴの先頭アドレス（Ｃ＿ＰＢＩＴ＿ＳＡ）、Ｃ＿ＰＯＳＩＴの先頭アドレス（Ｃ＿ＰＯＳＩＴ＿ＳＡ）の各種情報が記録されている。
【０１９４】
各ＰＧＣに適応されるコマンド情報は図３５に示すようにプログラムチェーン・コマンドテーブル（ＰＧＣ＿ＣＭＤＴ）５１にまとめて配置される。ＰＧＣＩ情報が配置される場所は図３３、図３４の説明場所で記載したように〔イ〕〜〔ハ〕の３箇所に配置され得る。特徴（Ａ）の中で説明した〔ポイント４〕に示したリジュームシーケンス情報は図３５に示すようにプログラムチェーン・コマンドテーブル（ＰＧＣ＿ＣＭＤＴ）５１内に記録される。本発明実施形態におけるリジュームシーケンス情報（図３５内で明記したリジューム（ＲＳＭ）コマンドシーケンス）の情報内容は、この領域内に配置されたＲＳＭコマンド（ＲＳＭ＿ＣＭＤ）５１４が順次並んで配置された形で記述される。図３５における一個の欄の中に記載される１個のＲＳＭコマンド（ＲＳＭ＿ＣＭＤ）５１４は本発明におけるＨＤのＤＶＤビデオコンテンツ内で指定できる１個のコマンドを意味し、リジューム（ＲＳＭ）コマンドシーケンス領域内で配置されたＲＳＭコマンド（ＲＳＭ＿ＣＭＤ）５１４が上から順に連続して（シーケンシャルに）実行される。
【０１９５】
本発明実施形態においては、図３５に記載されたセルコマンド（Ｃ＿ＣＭＤ）５１３の配列もシーケンシャルなコマンド系列を意味している。すなわち、図３５に示したセルコマンド（Ｃ＿ＣＭＤ）５１３の配列順に従って上から順次コマンド処理を実行することを意味している。図３６で説明するようにセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎にセルコマンド処理手順の一部（各セル毎にセルコマンドのシーケンシャル処理を開始する最初のセルコマンド番号とセルコマンドのシーケンシャル処理の実行範囲）を指定できる構造になっている。
【０１９６】
ＲＳＭコマンド（ＲＳＭ＿ＣＭＤ）５１４は（例えばメニュー画面から）該当するＰＧＣへ戻り、以前に再生中断した“ＰＧＣ内の途中から再生する直前”に実行されるコマンド手順の一部を示すのに対して、プリコマンド（ＰＲＥ＿ＣＭＤ）５１１は該当する“ＰＧＣを最初から再生する直前”に実行されるコマンドを意味する。また、該当するＰＧＣの再生後に実行するコマンドがポストコマンド（ＰＯＳＴ＿ＣＭＤ）５１２である。図３５において１個のプログラムチェーン・コマンドテーブル（ＰＧＣ＿ＣＭＤＴ）５１内に配置できるプリコマンド（ＰＲＥ＿ＣＭＤ）５１１の数とポストコマンド（ＰＯＳＴ＿ＣＭＤ）５１２の数、セルコマンド（Ｃ＿ＣＭＤ）５１３の数、ＲＳＭコマンド（ＲＳＭ＿ＣＭＤ）５１４の数はそれぞれ自由に設定できる（記載するどれかのコマンド数が“０”であっても良い）。ただし、本発明実施形態では１個のプログラムチェーン・コマンドテーブル（ＰＧＣ＿ＣＭＤＴ）５１内に配置できるプリコマンド（ＰＲＥ＿ＣＭＤ）５１１の数とポストコマンド（ＰＯＳＴ＿ＣＭＤ）５１２の数、セルコマンド（Ｃ＿ＣＭＤ）５１３の数、ＲＳＭコマンド（ＲＳＭ＿ＣＭＤ）５１４の数をそれぞれ足した総合計値の上限は１０２３個と規定されている。従って、例えばプリコマンド（ＰＲＥ＿ＣＭＤ）５１１の数とポストコマンド（ＰＯＳＴ＿ＣＭＤ）５１２の数、ＲＳＭコマンド（ＲＳＭ＿ＣＭＤ）５１４の数が全て０個の場合にはセルコマンド（Ｃ＿ＣＭＤ）５１３の数を最大１０２３個まで設定することが可能である。
【０１９７】
１個のプログラムチェーン・コマンドテーブル（ＰＧＣ＿ＣＭＤＴ）５１内に配置できるプリコマンド（ＰＲＥ＿ＣＭＤ）５１１の数情報であるＰＲＥ＿ＣＭＤ＿Ｎｓとポストコマンド（ＰＯＳＴ＿ＣＭＤ）５１２の数情報であるＰＯＳＴ＿ＣＭＤ＿Ｎｓとセルコマンド（Ｃ＿ＣＭＤ）５１３の数情報のＣ＿ＣＭＤ＿Ｎｓ、ＲＳＭコマンド（ＲＳＭ＿ＣＭＤ）５１４の数情報のＲＳＭ＿ＣＭＤ＿Ｎｓは図３６に示すようにプログラムチェーン・コマンドテーブル情報（ＰＧＣ＿ＣＭＤＴＩ）５１０内に記録されている。
【０１９８】
プログラムチェーン・コマンドテーブル（ＰＧＣ＿ＣＭＤＴ）５１内に記録されているＲＳＭコマンド（ＲＳＭ＿ＣＭＤ）５１４内の具体的なデータ構造について以下に説明する。ここでは、ＲＳＭコマンド（ＲＳＭ＿ＣＭＤ）５１４内の具体的なデータ構造について説明するが、プリコマンド（ＰＲＥ＿ＣＭＤ）５１１、ポストコマンド（ＰＯＳＴ＿ＣＭＤ）５１２、セルコマンド（Ｃ＿ＣＭＤ）５１３内のデータ構造もＲＳＭコマンド（ＲＳＭ＿ＣＭＤ）５１４内の具体的なデータ構造と全く同じになっている。ＲＳＭコマンド（ＲＳＭ＿ＣＭＤ）５１４内の具体的なデータ構造は図３６に示すように１個のコマンド毎に８バイト分の領域を割り当てているだけになっている。この８バイト分の領域内にコマンド内容が記録される。このコマンドはいずれも８バイト中最上位から３ビットまでが“コマンドＩＤ−１”のデータが入る。それ以降のビットのデータ内容は“コマンドタイプ”の値により異なるが、“比較用Ｉ−フラグ”や“Ｃｏｍｐａｒｅ  Ｆｉｅｌｄ”などの情報はコマンドタイプによらず共通に持っている。
【０１９９】
プログラムチェーン情報（ＰＧＣＩ：Ｐｒｏｇｒａｍ  Ｃｈａｉｎ  Ｉｎｆｏｒｍａｔｉｏｎ）内に配置されたプログラムチェーン・プログラムマップ（ＰＧＣ＿ＰＧＭＡＰ）５２とセル・位置情報テーブル（Ｃ＿ＰＯＳＩＴ）５４内の詳細構造を図３７に示す。
【０２００】
プログラムチェーン・プログラムマップ（ＰＧＣ＿ＰＧＭＡＰ）５２内は各エントリに対応したセルの番号を示すエントリセル番号（ＥＮ＿ＣＮ）が記録されたプログラム用エントリセル番号５２０情報がエントリ数だけ配置されている。またセル・位置情報テーブル（Ｃ＿ＰＯＳＩＴ）５４はセルのＶＯＢ  ＩＤ番号（Ｃ＿ＶＯＢ＿ＩＤＮ）とセルのセル  ＩＤ番号（Ｃ＿ＩＤＮ）の情報が組になって構成されたセル位置情報（Ｃ＿ＰＯＳＩ）５４０が順に配置された構造をしている。
【０２０１】
図３５の説明の所でセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎にセルコマンド処理手順の一部（各セル毎にセルコマンドのシーケンシャル処理を開始する最初のセルコマンド番号とセルコマンドのシーケンシャル処理の実行範囲）を指定できる構造になっていると説明した。この各セル毎に設定できるセルコマンドのシーケンシャル処理の実行範囲情報を図３８に示す。ＰＧＣＩ情報が配置される場所は図３３、図３４の説明場所で記載したように〔イ〕〜〔ハ〕の３箇所に配置され得る。ＰＧＣを構成する個々のセルに関する管理情報が該当するＰＧＣの管理情報であるＰＧＣＩ内のセル・再生情報テーブル（Ｃ＿ＰＢＩＴ）５３内に図３８に示すようにセル再生情報（Ｃ＿ＰＢＩ）５３０に記録される。
【０２０２】
図３５に示されたセルコマンド＃１（Ｃ＿ＣＭＤ  ＃１）５１３からセルコマンド＃ｋ（Ｃ＿ＣＭＤ  ＃ｋ）５１３まで指定された一連のセルコマンド処理手順の中で各セル毎に特定されるセルコマンドのシーケンシャル処理を開始する最初のセルコマンド番号に関する情報が、図３８に示すようにセル再生情報（Ｃ＿ＰＢＩ）５３０内のセルコマンド開始番号情報（Ｃ＿ＣＭＤ＿ＳＮ）内に記録される。また、同時に、セルコマンド開始番号情報（Ｃ＿ＣＭＤ＿ＳＮ）で指定されたセルコマンド（Ｃ＿ＣＭＤ）５１３を含めて連続にコマンド処理を実行するコマンド数を表すセルコマンド連続数情報（Ｃ＿ＣＭＤ＿Ｃ＿Ｎｓ）がセル再生情報（Ｃ＿ＰＢＩ）５３０内に記録されており、両方の情報から該当するセルが実行するセルコマンドのシーケンシャル処理の実行範囲が特定される。本発明実施形態において該当するセルの再生が終了した後で図３８のセルコマンド開始番号情報（Ｃ＿ＣＭＤ＿ＳＮ）とセルコマンド連続数情報（Ｃ＿ＣＭＤ＿Ｃ＿Ｎｓ）で指定された範囲の一連のコマンド手順（コマンドシーケンス）が実行される。
【０２０３】
また、セル再生情報（Ｃ＿ＰＢＩ）５３０内には該当するセルがマルチアングルに対応したインターリーブドブロックを構成しているかそれとも一般的な連続ブロックの一部か、あるいはマルチアングルに対応したインターリーブドブロックの一部を構成していた場合にそのインターリーブドブロックの先頭セルあるいは最終セルに該当するかを示すセルカテゴリ（Ｃ＿ＣＡＴ）、該当するセル全体を再生する時に必要な再生時間を表すセル再生時間（Ｃ＿ＰＢＴＭ）、セルの先頭ＶＯＢＵの先頭アドレス位置情報（Ｃ＿ＦＶＯＢＵ＿ＳＡ）、セルの先頭ＩＬＶＵの終了アドレス位置情報（Ｃ＿ＦＩＬＶＵ＿ＥＡ）、セルの最終ＶＯＢＵの先頭アドレス位置情報（Ｃ＿ＬＶＯＢＵ＿ＳＡ）、セルの最終ＶＯＢＵの終了アドレス位置情報（Ｃ＿ＬＶＯＢＵ＿ＥＡ）などの情報が記録されている。
【０２０４】
本発明実施形態における情報再生装置内のシステムブロック図を図３９に示す。図３９において情報記憶媒体１内には本発明のＨＤのＤＶＤビデオコンテンツが記録されている。ディスクドライブ部１０１でこの情報記憶媒体１からＨＤのＤＶＤビデオコンテンツを再生し、データプロセッサ部１０２へ転送する。ＨＤのＤＶＤビデオコンテンツの中で映像データであるＶＯＢの中は図４５に示すように基本単位であるＶＯＢＵの集まりで構成され、各ＶＯＢＵ内の先頭にはナビパックａ３が配置されている。また、ビデオデータはビデオパックａ４、オーディオデータはオーディオパックａ６、副映像データはサブピクチャ（ＳＰ）パックａ７内にそれぞれ分散配置され、多重化構造になっている。また、本発明実施形態では新たにグラフィックユニットデータを持ち、グラフィックユニット（ＧＵ）パックａ５内に分散記録される。これらの各種データが多重配置されたＶＯＢに対して分離部（デマルチプレクサ）１０３でパケット分割し、ビデオパックａ４内に記録されたビデオデータをビデオデコード部１１１へ送り、サブピクチャパックａ７内に記録された副映像データを副映像デコーダ部１１２、グラフィックユニットパックａ５内に記録されたグラフィックデータをグラフィックデコーダ部１１３、オーディオパックａ６内に記録されたオーディオデータをオーディオデコーダ部１１４にそれぞれ転送する。送られて来た各種データは各デコーダ部１１１〜１１４でデコードされ、ビデオプロセッサ部１０４内で合成された後、Ｄ／Ａ変換器１３２、１３３でアナログ信号に変換されて出力される。これらの一連の処理をＭＰＵ部１２１が統合的に管理し、処理中に一時保存が必要になったデータに対してはメモリ部１２２に一時格納される。また、ＭＰＵ部１２１で処理する処理プログラムや事前に設定された固定情報がＲＯＭ部１２３内に記録されている。図３９ではユーザから情報再生装置に対して入力される情報はキー入力部１３１でのキー入力で行うように図示してあるが、それに限らずキー入力部１３１が一般のリモコン（リモートコントローラ）であっても良い。
【０２０５】
図４０は図３９に示したグラフィックデコーダ部１１３の内部構造を詳しく説明した図である。分離部１０３で分離抽出されたグラフィックユニットデータはグラフィックユニット用入力バッファ１１３ａ内に一時保管される。グラフィックユニットデータは図４６に示すようにハイライト情報ｂ２とグラフィックデータｂ４・マスクデータｂ３から構成されている。このハイライト情報ｂ２はハイライトデコーダ１１３ｂに転送されハイライト情報の解読がなされる。また、グラフィックデータｂ４とマスクデータｂ３はグラフィックデコーダ１１３ｅ内で２５６色の画面情報にデコードされる。更に、ミキサー１１３ｄの制御によりパレット選択１１３ｇやハイライト処理１１３ｈが施された後、ミキサー１１５部でビデオデータやサブピクチャ（副映像）データと合成される。図４０のミキサー部１１５は図３９のビデオプロセッサ部１０４の一部を意味している。
【０２０６】
次に、図４１を用いて本発明実施形態における仮想ビデオアクセスユニットＩＶＡＵの説明を行う。
【０２０７】
従来のＳＤのＤＶＤビデオコンテンツにおける動画（Ｍｏｖｉｅ）のＶＯＢは図４１の（ａ）に示すようにそれぞれＶＡＵ（ビデオアクセスユニット：Ｖｉｄｅｏ  Ａｃｃｅｓｓ  Ｕｎｉｔ）に分割され、ＶＯＢの境界位置とＶＡＵの境界位置を一致させることで異なるＶＯＢ間のシームレス再生を可能にしている。
【０２０８】
本発明のＨＤのＤＶＤビデオにおいて図４１の（ｂ）に示すように静止画が記録されたＩピクチャを含むＶＡＵ１と次に表示される静止画が記録されたＩピクチャを含むＶＡＵ１の間の期間に仮想アクセスユニットＩＶＡＵ２〜ＩＶＡＵｎ（仮想ＶＡＵ）を仮想的に設定する所に特徴がある。アクセスユニットの設定方法としてビデオフレームの期間またはビデオフレームの整数倍の期間を単位として静止画を開始するＩピクチャ（を含むＶＡＵ１）と次のＩピクチャ（を含むＶＡＵ１）との間の間隔をアクセスユニットの期間毎に仮想的に細かく時間分割する。静止画のデコーダに入力されるタイミングを示すＤＴＳ（Ｄｅｃｏｄｉｎｇ  Ｔｉｍｅ  Ｓｔａｍｐ）と静止画が表示されるタイミングを示すＰＴＳ（Ｐｒｅｓｅｎｔａｔｉｏｎ  Ｔｉｍｅ  Ｓｔａｍｐ）は静止画１枚毎にあらかじめ設定されており、１ビデオフレーム期間はＮＴＳＣ方式とＰＡＬ方式で決まっているので、仮想アクセスユニットの境界位置のタイミングを計算により求め、図４１の（ｃ）に示すようにＩｍａｇｉｎａｒｙ  ＰＴＳ：仮想ＰＴＳとする。そして、仮想アクセスユニット毎に静止画が繰り返し再生表示されているものと（仮想的に）見なす。
【０２０９】
また、本発明実施形態では図４１の（ｄ）に示すように、仮想アクセスユニットの整数個で１個のＶＯＢＵを構成するように仮想的に設定する。その結果、本発明実施形態において各静止画のＶＯＢＵの表示期間はビデオフレームの整数倍となる。図４１の（ｃ）においてＶＡＵ内には静止画を示すＩピクチャが１個存在し、ＩＶＡＵ内ではＩピクチャを含まないのでＩＶＡＵ内にはビデオデータが存在しないことになる。すなわちＶＡＵ１からＩＶＡＵ１５までで構成されるＶＯＢＵとＶＡＵ１６からＩＶＡＵ３０までで構成されるＶＯＢＵには１個のみのＩピクチャが存在している。それに対して、ＩＶＡＵ３０からＩＶＡＵ４５により構成されるＶＯＢＵ内にはビデオデータ（Ｉピクチャ）を含まない。本発明実施形態では内部にビデオデータを持たないＶＯＢＵの定義も可能とする。また、本発明実施形態では同一ＶＯＢＵ内に複数のＩピクチャを持つことを禁止し、必ず１個のＶＯＢＵ内には１個以下のＩピクチャを持つように規定（制約）する。また、本発明実施形態では図４１の（ｃ）と（ｄ）の位置比較で分かるように、同一ＶＯＢＵ内ではＩＶＡＵに先行して必ず先にＶＡＵが（仮想的に）配置した構造を取る。
【０２１０】
また、図４１の（ｅ）に示すようにＩＬＶＵ（Ｉｎｔｅｒｌｅａｖｅｄ  Ｕｎｉｔ）内の最初のＶＯＢＵには必ずビデオデータ（静止画を記録したＩピクチャ）を持たせている。
【０２１１】
図４１に示した本発明実施形態における仮想ビデオアクセスユニットＩＶＡＵと図２８に示したＨＤマップエントリ（ＨＤＭＡＰ＿ＥＮ）との関係、および仮想ビデオアクセスユニットと図３２に示したＨＤビデオタイトルセット・ビデオオブジェクトユニット・アドレス（ＨＤＶＴＳ＿ＶＯＢＵ＿ＳＡ）との関係を以下に説明する。
【０２１２】
本発明実施形態における仮想ビデオアクセスユニットＩＶＡＵが設定された静止画が記録されたＶＯＢのデータを管理するＨＤビデオタイトルセット・ビデオオブジェクトユニット・アドレス（図３２：ＨＤＶＴＳ＿ＶＯＢＵ＿ＳＡ）の中に記載される管理データ内容を図４２に示す。図４２の（ｄ）に示すように、例えばＭＰＥＧで規定されたＩピクチャのフォーマット（または他の例としては“ＪＰＥＧデータ”のフォーマット）で１枚の静止画のデータが記録されたビデオアクセスユニットＶＡＵを含むＶＯＢＵを本発明実施形態では“実（Ｒｅａｌ）ＶＯＢＵ”と呼び、仮想ビデオアクセスユニットＩＶＡＵのみから構成される（静止画データを内部に含まない）仮想的なＶＯＢＵを“仮想（Ｉｍａｇｉｎａｒｙ）ＶＯＢＵ”と呼ぶ。また、情報記憶媒体上で実ＶＯＢＵ  ＃１と＃２と＃５が記録されている場所の先頭アドレスをそれぞれ“α”、“β”、“γ”とする。実ＶＯＢＵ  ＃１の先頭アドレス情報を記載する図４２の（ｆ）のＨＤＶＴＳ＿ＶＯＢＵ＿ＳＡ  ＃１の値は上記の値に対応して図４２の（ｅ）に示すように“α”となる。また、同様に実ＶＯＢＵ  ＃２の先頭アドレス情報を記載するＨＤＶＴＳ＿ＶＯＢＵ＿ＳＡ  ＃２の値は“β”、実ＶＯＢＵ  ＃５の先頭アドレス情報を記載するＨＤＶＴＳ＿ＶＯＢＵ＿ＳＡ  ＃５の値は“γ”となる。
【０２１３】
本発明実施形態では図４２の（ｄ）に示すように仮想ＶＯＢＵ  ＃３と仮想ＶＯＢＵ  ＃４はあくまでも仮想的に設定されたＶＯＢＵであり、この中には静止画データは存在しない。従って、上記仮想ＶＯＢＵ  ＃３、または仮想ＶＯＢＵ  ＃４の先頭位置にアクセスし、それ以降の情報を再生しても静止画データは得られない。仮想ＶＯＢＵ  ＃３と仮想ＶＯＢＵ  ＃４に対応した静止画データは実ＶＯＢＵ  ＃２内に配置されている。
【０２１４】
従って、本発明実施形態において仮想ＶＯＢＵに対応したＨＤビデオタイトルセット・ビデオオブジェクトユニット・スタートアドレス（ＨＤＶＴＳ＿ＶＯＢＵ＿ＳＡ）の値は、それより先行した位置に存在する実ＶＯＢＵ（Ｉピクチャ、またはＪＰＥＧのフォーマットで記録された静止画データが存在するＶＯＢＵ）の先頭アドレスを設定する。図４２の（ｄ）の例では仮想ＶＯＢＵ  ＃３と仮想ＶＯＢＵ  ＃４の先頭アドレス情報を記載するＨＤＶＴＳ＿ＶＯＢＵ＿ＳＡ  ＃３とＨＤＶＴＳ＿ＶＯＢＵ＿ＳＡ  ＃４に記録する値は、それより先行する実ＶＯＢＵ（ここでは、実ＶＯＢＵ  ＃２）の先頭アドレスは“β”なので、その値を設定することになる。仮想ＶＯＢＵに対応したＨＤＶＴＳ＿ＶＯＢＵ＿ＳＡをこのように設定することで、ＨＤＶＴＳ＿ＶＯＢＵ＿ＳＡに記録されたアドレス位置にアクセスすると、（仮想ＶＯＢＵに対しても）必ずＶＯＢＵに対応した静止画データを獲得でき、ＶＯＢ内の特定静止画に対する高速検索と検索処理の簡易性を確保できる。
【０２１５】
次に、図４１に示した本発明実施形態における仮想ビデオアクセスユニットＩＶＡＵと図２８に示したＨＤマップエントリ（ＨＤＭＡＰ＿ＥＮ）との関係を図４３を用いて説明する。図４３の（ｃ）は情報記憶媒体（光ディスク）のトラックに沿って記録された静止画のＶＯＢのデータ配置を示す。また、ＶＯＢのデータ配置に対して仮想的に設定されたＩＶＡＵ（Ｉｍａｇｉｎａｒｙ  Ｖｉｄｅｏ  Ａｃｃｅｓｓ  Ｕｎｉｔ）も含めたアクセスユニットの設定対応を（ｃ）に隣接させて図４３の（ｂ）に示す。静止画のＶＯＢデータはトラックに沿って再生順に配置しているので、トラックに沿ってデータ配置をトレースすると、おおよその再生時間が対応する。図２８に示したタイムユニット（ＨＤＴＭＵ）毎（例えば５秒毎とか１０秒毎）の再生時間のおおよその目安を図４３の（ａ）に示す。Ａ〜Ｄは上記タイムユニット（ＨＤＴＭＵ）間隔の再生時間を示している。再生時間Ａが含まれるＶＯＢＵの開始アドレス情報が図４３の（ｅ）に示すＨＤＭＡＰ＿ＥＮＡ  ＃１（図２８のＨＤＭＡＰ＿ＥＮＡに対応）に記録され、同様にＢからＤまでの再生時間が含まれるＶＯＢＵの開始アドレス情報がＨＤＭＡＰ＿ＥＮＡ  ＃２から＃４に記録される。図４３の（ｄ）は各ＨＤＭＡＰ＿ＥＮＡに記録される値を示す。実際の静止画データを含む実ＶＯＢＵ  ＃１と＃４の先頭アドレスをそれぞれ“α”、“β”とし、図示して無いがその後ろに来る実ＶＯＢＵの先頭アドレスを“γ”とする。
【０２１６】
再生時間Ａが含まれるＶＯＢＵは明らかに実ＶＯＢＵ  ＃１を示しているので、ＨＤＭＡＰ＿ＥＮＡ  ＃１の値は“α”となる。ところが、再生時間Ｂ、Ｃ、Ｄが含まれるＶＯＢＵは全て仮想ＶＯＢＵなので、仮に前記仮想ＶＯＢＵの先頭アドレスが定義できたとしても、そこにアクセスしても静止画データが含まれて無いため、静止画データを獲得できない。
【０２１７】
従って本発明実施形態では、図４２と同様、ＨＤマップエントリに対応する再生時間が含まれるＶＯＢＵ内にＩピクチャ、またはＪＰＥＧのフォーマットで記録された静止画データを含まない（仮想ＶＯＢＵの）場合には、それより先行する位置に有る静止画データを含むＶＯＢＵ（実ＶＯＢＵ）の先頭アドレス情報をＨＤマップエントリ情報内（詳しくはマップエントリ（ＨＤＭＡＰ＿ＥＮ）内のＨＤＭＡＰ＿ＥＮＡ内）に記録する。図４３の実施形態では再生時間Ｂ、Ｃ、Ｄが含まれるＶＯＢＵである仮想ＶＯＢＵ  ＃３、＃５、＃７より先行する実ＶＯＢＵはそれぞれ実ＶＯＢＵ  ＃１、実ＶＯＢＵ  ＃４、実ＶＯＢＵ  ＃４なので、ＨＤＭＡＰ＿ＥＮＡ  ＃２、ＨＤＭＡＰ＿ＥＮＡ  ＃３、ＨＤＭＡＰ＿ＥＮＡ  ＃４の値は図４３の（ｄ）に示すように“α”、“β”、“β”となる。上記のようにＨＤマップエントリ内の値を先行する位置に配置し、内部にＩピクチャ、またはＪＰＥＧのフォーマットで記録された静止画データを含むＶＯＢＵの先頭アドレスを記録することで、ＨＤＭＡＰ＿ＥＮＡで指定されたアドレスへアクセスすると、ＨＤＴＭＵ間隔で指定された再生時間中に再生する静止画データを読み込むことが保証される。それによりタイムサーチによる所望の静止画データへの高速検索と検索処理の簡易性を確保できる。
【０２１８】
図３９に示す情報再生装置内のシステムブロック図においてメモリ部１２２内に、図４４に示すようにシステムパラメータＳＰＲＭを格納する領域が割り当てられている。このＳＰＲＭ（０）に再生中のカレントメニュー言語コード（ＣＭ＿ＬＣＤ）情報が、ＳＰＲＭ（２１）に初期メニュー言語コード（ＩＭ＿ＬＣＤ）情報が記録される。再生中のカレントメニュー言語コード（ＣＭ＿ＬＣＤ）はユーザとコマンドの両方で変更設定可能であるが、初期メニュー言語コード（ＩＭ＿ＬＣＤ）はユーザのみが変更設定可能である。
【０２１９】
また他のシステムパラメータ内に格納される情報はそれぞれＳＰＲＭ（１）内にタイトルドメイン内でのオーディオストリーム番号（ＡＳＴＮ）、ＳＰＲＭ（２）内にタイトルドメイン内でのサブピクチャストリーム番号（ＳＰＳＴＮ）とＯｎ／Ｏｆｆフラグ、ＳＰＲＭ（３）内にタイトルドメイン内でのアングル番号（ＡＧＬＮ）、ＳＰＲＭ（４）内にタイトルドメイン内でのタイトル番号（ＴＴＮ）、ＳＰＲＭ（５）内にタイトルドメイン内でのＶＴＳタイトル番号（ＶＴＳ＿ＴＴＮ）、ＳＰＲＭ（６）内にタイトルドメイン内でのタイトルＰＧＣ番号（ＴＴ＿ＰＧＣＮ）、ＳＰＲＭ（７）内にＯｎｅ＿Ｓｅｑｕｅｎｔｉａｌ＿ＰＧＣ＿Ｔｉｔｌｅ用Ｐａｒｔ＿ｏｆ＿Ｔｉｔｌｅ番号（ＰＴＴＮ）、ＳＰＲＭ（８）内に選択状態用ハイライトボタン番号（ＨＬ＿ＢＴＮＮ）、ＳＰＲＭ（９）内にナビゲーションタイマ（ＮＶ＿ＴＭＲ）、ＳＰＲＭ（１０）内にＮＶ＿ＴＭＲ用ＴＴ＿ＰＧＣＮ、ＳＰＲＭ（１１）内にカラオケ用プレーヤ・オーディオ・ミキシング・モード（Ｐ＿ＡＭＸＭＤ）、ＳＰＲＭ（１２）内にパレンタル管理用国コード（ＣＴＹ＿ＣＤ）、ＳＰＲＭ（１３）内にパレンタルレベル（ＰＴＬ＿ＬＶＬ）、ＳＰＲＭ（１４）内にビデオ用プレーヤ構成（Ｐ＿ＣＦＧ）、ＳＰＲＭ（１５）内にオーディオ用プレーヤ構成（Ｐ＿ＣＦＧ）、ＳＰＲＭ（１６）内にＡＳＴ用初期言語コード（ＩＮＩ＿ＬＣＤ）、ＳＰＲＭ（１７）内にＡＳＴ用初期言語コード拡張子（ＩＮＩ＿ＬＣＤ＿ＥＸＴ）、ＳＰＲＭ（１８）内にＳＰＳＴ用初期言語コード（ＩＮＩ＿ＬＣＤ）、ＳＰＲＭ（１９）内にＳＰＳＴ用初期言語コード拡張子（ＩＮＩ＿ＬＣＤ＿ＥＸＴ）、ＳＰＲＭ（２０）内にプレーヤ地域コードが記録され、ＳＰＲＭ（２２）以降がリザーブとされている。
【０２２０】
本発明におけるＨＤのＤＶＤビデオコンテンツ内で使用されるコマンドの一例としては以下のものがある。
【０２２１】
Ｇｏ  ＴＯコマンドグループ：コマンドの実行順を変えるコマンド
Ｌｉｎｋコマンドグループ：同一ドメイン内での特定場所から再生を開始するコマンド
Ｊｕｍｐコマンドグループ：異なるドメインに有る特定場所から再生を開始するコマンド
Ｃｏｍｐａｒｅ  Ｇｏ  Ｔｏコマンドグループ：比較結果が正しければコマンドの実行順を変えるコマンド
Ｃｏｍｐａｒｅ  Ｌｉｎｋコマンドグループ：比較結果が正しければ同一ドメイン内での特定場所から再生開始する
Ｃｏｍｐａｒｅ  Ｊｕｍｐコマンドグループ：比較結果が正しければ異なるドメインに有る特定場所から再生を開始
ＳｅｔＳｙｓｔｅｍコマンドグループ：管理パラメーター値の変更コマンド
Ｓｅｔコマンドグループ：ゼネラルパラメータの値を計算するコマンド
Ｃｏｍｐａｒｅ  ＳｅｔＳｙｓｔｅｍコマンドグループ：比較結果が正しければ管理パラメーター値を変更するコマンド
Ｃｏｍｐａｒｅ  Ｓｅｔコマンドグループ：比較結果が正しければゼネラルパラメータの値を計算するコマンド
ＳｅｔＳｙｓｔｅｍ  Ｌｉｎｋコマンドグループ：管理パラメーター値を変更後、同一ドメイン内での特定場所から再生を開始するコマンド
Ｓｅｔ  Ｌｉｎｋコマンドグループ：ゼネラルパラメータの値を計算した後、同一ドメイン内での特定場所から再生を開始するコマンド
Ｓｅｔ  Ｇｏ  Ｔｏコマンドグループ：ゼネラルパラメータの値を計算した後にコマンドの実行順を変える
Ｓｅｔ  Ｊｕｍｐコマンドグループ：ゼネラルパラメータの値を計算した後に異なるドメインに有る特定場所から再生を開始するコマンド
具体的なコマンド例としてゼネラルパラメータの値やモードを変更するＳｅｔＧＰＲＭＭＤコマンドやメニュー記述言語コードをＳＰＲＭ（０）に設定するＳｅｔＭ＿ＬＣＤコマンドはＳｅｔＳｙｓｔｅｍコマンドグループに含まれ、ゼネラルパラメータの値を特定の値に設定したり、ゼネラルパラメータの値に特定の値を加算するＳｅｔＭｏｖｅコマンドやＳｅｔ  ＡｄｄコマンドはＳｅｔコマンドグループに含まれる。
【０２２２】
また、何も実行を行わないＮｏｐコマンドはＧｏ  Ｔｏコマンドグループに含まれ、ドメインＩＤで指定されたＰＧＣの再生を開始し、レジューム情報を記録するＣａｌｌＳＳコマンドはＪｕｍｐコマンドグループに含まれ、レジューム情報を記録するＲｅｓｕｍコマンドはＬｉｎｋコマンドグループに含まれる。
【０２２３】
ＪｕｍｐＴＴやＪｕｍｐＶＴＳ＿ＴＴあるいはＪｕｍｐＶＴＳ＿ＰＴＴコマンドはＪｕｍｐコマンドグループに属する。このコマンドは別のドメイン内の指定された位置で再生を開始するために使用される。プレーヤはこのコマンドが処理される時は全てのＧＰＲＭ値を保持しなければならない。
【０２２４】
ＪｕｍｐＴＴは指定されたタイトルの再生を開始するためのコマンドである。処理の詳細は以下の通りである。
【０２２５】
（１）現在の再生を停止する。
【０２２６】
（２）リジューム情報（存在する場合）、ナビゲーションタイマの値及びシステムパラメータ内のナビゲーションタイマ用ＴＴ＿ＰＧＣＮを破棄する。ナビゲーションタイマを停止するために、ＳＰＲＭ（９）に“０”を代入する。
【０２２７】
（３）ＳＰＲＭ（１）とＳＰＲＭ（２）を設定する
（４）指定されたタイトルの再生をプリコマンドフェーズから開始する。
【０２２８】
ＪｕｍｐＶＴＳ＿ＴＴは現ＶＴＳ空間内で指定されたタイトルの再生を開始するためのコマンドである。処理の詳細は以下の通りである。
【０２２９】
（１）現在の再生を停止する。
【０２３０】
（２）リジューム情報（存在する場合）、ナビゲーションタイマの値及びシステムパラメータ内のナビゲーションタイマ用ＴＴ＿ＰＧＣＮを破棄する。ナビゲーションタイマを停止するために、ＳＰＲＭ（９）に“０”を代入する。
【０２３１】
（３）ＳＰＲＭ（１）とＳＰＲＭ（２）を設定する
（４）現ＶＴＳ空間内でＶＴＳ＿ＴＴＮで指定されたタイトルの再生を開始する。
【０２３２】
ＪｕｍｐＶＴＳ＿ＰＴＴは現ＶＴＳ空間内で指定されたＰＴＴの再生を開始するためのコマンドである。処理の詳細は以下の通りである。
【０２３３】
（１）現在の再生を停止する。
【０２３４】
（２）リジューム情報（存在する場合）、ナビゲーションタイマの値及びシステムパラメータ内のナビゲーションタイマ用ＴＴ＿ＰＧＣＮを破棄する。ナビゲーションタイマを停止するために、ＳＰＲＭ（９）に“０”を代入する。
【０２３５】
（３）ＳＰＲＭ（１）とＳＰＲＭ（２）を設定する
（４）指定されたＰＴＴＮがあるＰＧＣのプリコマンド領域のコマンドを実行する。
【０２３６】
（５）現ＶＴＳ空間内でＶＴＳ＿ＴＴＮとＰＴＴＮで指定されたＰＴＴの再生を開始する。
【０２３７】
本発明に示したＨＤのＤＶＤビデオコンテンツにおいてもＭＰＥＧのシステムレイヤーの多重化規則に準拠している。すなわち、グラフィックユニットデータに対しても２０４８バイトのパック毎に分割してそれぞれを分離配置する。再生時には図４５の（ｃ）、（ｄ）に示すように情報記憶媒体内に分散配置されたグラフィックユニット（ＧＵ）パックを集めて１個のグラフィックユニットストリームに組み直す。グラフィックユニットとして１６：９のＨＤ画像、１６：９のＳＤ画像、４：３のＳＤ画像、レターボックスのＳＤ画像のそれぞれに対応したグラフィックデータのサポートを可能とし、図４５の（ｄ）に示すように４種類の各画像（１６：９のＨＤ画像、１６：９のＳＤ画像、４：３のＳＤ画像、レターボックスのＳＤ画像）に対応してそれぞれ別ストリームを構成させる。
【０２３８】
グラフィックユニット内のデータ構造は図４６に示すように、ヘッダ情報ｂ１、ハイライト情報ｂ２、マスクデータｂ３、グラフィックデータｂ４から構成される。またハイライト情報ｂ２内は一般情報ｂ２１、カラーパレット情報ｂ２２、ｎ個のボタン情報ｂ２３から構成されている。
【０２３９】
ヘッダ情報の中身は図４７の（ａ）に示すようにグラフィックユニットサイズ（ＧＵ＿ＳＺ）情報、ハイライト情報の開始アドレス（ＨＬＩ＿ＳＡ）情報、グラフィックデータの開始アドレス（ＧＤ＿ＳＡ）情報から構成されている。上記の内でグラフィックユニットサイズ（ＧＵ＿ＳＺ）情報は図４６の左下に示すグラフィックユニットの全体のサイズを示す。また、ハイライト情報の開始アドレス（ＨＬＩ＿ＳＡ）情報は図４６の左下に示すグラフィックユニットの先頭位置（ヘッダ情報ｂ１の先頭位置）を基準にしたハイライト情報ｂ２の開始位置までのアドレスを意味し、グラフィックデータの開始アドレス（ＧＤ＿ＳＡ）情報は図４６の左下に示すグラフィックユニットの先頭位置（ヘッダ情報ｂ１の先頭位置）を基準にしたグラフィックデータｂ４の先頭位置までのアドレスを意味している。
【０２４０】
また、ハイライト情報ｂ２内の一般情報ｂ２１は図４７の（ｂ）に示すようにグラフィックユニットの再生終了時間（ＧＵ＿ＰＢ＿Ｅ＿ＰＴＭ）情報、ボタンオフセット番号（ＢＴＮ＿ＯＦＮ）情報、ボタン数（ＢＴＮ＿Ｎｓ）情報、数字選択ボタンの数（ＮＳＬ＿ＢＴＮ＿Ｎｓ）情報、強制選択ボタン番号（ＦＯＳＬ＿ＢＴＮＮ）情報、強制決定ボタン番号（ＦＯＡＣ＿ＢＴＮＮ）情報を持っている。グラフィックユニットデータはグラフィックユニット（ＧＵ）パックとして分散配置することを図４５で説明したが、このグラフィックユニットパック内（正確に言うとその中に含まれるグラフィックユニットパケット内のパケットヘッダ内）にグラフィックユニットの再生を開始するＰＴＳ（Ｐｒｅｓｅｎｔａｔｉｏｎ  Ｔｉｍｅ  Ｓｔａｍｐ）情報が予め記録されている。このＰＴＳ情報とグラフィックユニットの再生終了時間（ＧＵ＿ＰＢ＿Ｅ＿ＰＴＭ）情報を用いてグラフィックユニットの表示時間と（コマンドの）実行が可能な有効時間（両者の開始／終了時間は完全に一致している）を設定する。また、開始／終了時間情報はＰＴＳ／ＰＴＭを使っているので、非常に精度良く時間範囲を設定できる。
【０２４１】
グラフィックデータは図４８に示すように１画素あたり８ビットを割り当て２５６色の色彩表現が出来る１画面の画像情報（ビットマップデータ又はそのビットマップに対する圧縮データ）が記録されている。また、マスクデータはユーザがコマンド実行を指定できる画面上の位置範囲を示すもので、１画素あたり１ビットを割り当て、画面領域のみを設定している。マスクデータは画素単位でのビットマップ形式で領域を指定しているため、図４８に示すように互いに離れた位置に配置された複数領域を同時に設定できるだけでなく、任意の形状領域に対しても画素単位で細かく画面領域を指定できる所に特徴がある。またマスクデータは複数設定可能としてユーザへ複数のメニュー選択肢を供給できる。
【０２４２】
ユーザに表示する画面は図４５の（ｃ）のビデオパックａ４内に記録された主映像（Ａ）とグラフィックデータとして記録されたグラフィックパターン（Ｂ）と複数設定可能なマスクデータ（Ｃ）を図４９に示すように合成して作成する。
【０２４３】
図４６に示すように同一グラフィックユニットＧＵ内のマスクデータの数ｎとハイライト情報ＨＬＩ内に記録されるボタン情報の数ｎはそれぞれ一致し、各マスクデータ＃ｎとボタン情報＃ｎが１対１に対応している。すなわち、１≦ｍ≦ｎを満足するｍにおいて、上からｍ番目のマスクデータは上からｍ番目のボタン情報に対応し、例えばユーザが画面上でｍ番目のマスクデータが指定した領域をハイライト（指定）すると、それに対応してｍ番目のボタン情報ｂ２３内に記録されたボタンコマンドｂ２３４が実行される。このように各ボタン情報＃ｎはそれぞれ個々のマスクデータ＃ｎにリンクしているが、マスクデータへのアクセス制御を一層容易にするためにボタン情報＃ｎ内に対応するマスクデータ＃ｎの開始アドレス（図４６の左下におけるヘッダ情報ｂ１の先頭位置からのｎ番目のマスクデータ＃ｎの開始位置までのアドレス）情報ｂ２３１と対応するマスクデータ＃ｎのデータサイズ情報ｂ２３２が記録されている。その他にボタン情報ｂ２３内には隣接ボタン位置情報ｂ２３３も記録されている。
【０２４４】
図４６のハイライト情報ｂ２内のカラーパレット情報ｂ２２内のデータ構造について説明する。最初にユーザにメニュー画面を表示した時（ユーザ選択する前）のボタンの色の情報を通常用カラーパレットｂ２２１内に格納されている。ユーザが特定のボタンを選択（指定）すると画面上でボタンの表示色が変わるが、この変化時のボタンの表示色を選択用カラーパレットｂ２２２内に記録しておく。更に、そのボタンが確定し、ボタンに対応したボタンコマンドｂ２３４が実行する段階になると“確定”を示すボタンの表示色が変わるように設定できる。この確定時のボタンの表示色を確定用カラーパレットｂ２２３に持たせている。
【０２４５】
図５０にグラフィックユニットＧＵのデータ構造に関する他の実施形態を示す。図５０に示した実施形態ではマスクデータを使う代わりにホットスポット情報を使用する所に特徴がある。それに対応して図５０の実施形態では通常用カラーパレットｅ２２１、選択用カラーパレットｅ２２２、確定用カラーパレットｅ２２３をそれぞれ複数設定可能にしている。また、各ボタン情報ｅ２３の画面上の領域指定方法としてマスクデータを使う代わりにホットスポット位置情報ｅ２３３により画面上の領域を指定できるようにしている。さらに、図５０の実施形態では同一のボタン情報ｅ２３に対してこのホットスポット位置情報ｅ２３３を複数設定可能にすることで画面上の互いに離れた複数の領域を同一のボタン情報ｅ２３に対応させられるようにした。
【０２４６】
本発明実施形態におけるレジュームコマンドシーケンスあるいはセルコマンドシーケンス内で使用するコマンド内容とコマンドデータ内の具体的な内容について説明する。本発明実施形態の情報再生装置（プレーヤ）内でＨＤのＤＶＤビデオコンテンツの再生時に使用するパラメータは図４４に示すようにパラメータ番号毎に記録されるデータ内容が決まっているシステムパラメータ（ＳＰＲＭ：Ｓｙｓｔｅｍ  Ｐａｒａｍｅｔｅｒ）と、記録されるデータ内容を任意に設定できるゼネラルパラメータ（ＧＰＲＭ：Ｇｅｎｅｒａｌ  Ｐａｒａｍｅｔｅｒ）の２種類がある。
【０２４７】
ナビゲーションコマンド１個当たりのコマンドデータサイズは８バイトで設定され、
（１）ＰＣＩ内のボタンコマンド領域
（２）ＰＧＣＩ内のセルコマンド領域（図３５）
（３）ＰＧＣＩ内のプリコマンド領域（図３５）
（４）ＰＧＣＩ内のポストコマンド領域（図３５）
（５）ＰＧＣＩ内のＲＳＭコマンド領域（図３５）
に配置される。
【０２４８】
ナビゲーションコマンドは１個のインストラクション（命令の最小単位）から構成されるシングルインストラクションコマンドと２個または３個のインストラクションから構成されるコンポジット（複合）インストラクションコマンドの２種類を持つ。
【０２４９】
図３６の説明の所でＰＧＣＩ内のプログラムチェーン・コマンドテーブル（ＰＧＣ＿ＣＭＤＴ）５１内にプリコマンド（ＰＲＥ＿ＣＭＤ）５１１、ポストコマンド（ＰＯＳＴ＿ＣＭＤ）５１２、セルコマンド（Ｃ＿ＣＭＤ）５１３、レジュームコマンド（ＲＳＭ＿ＣＭＤ）５１４が設定（記録）され、それぞれ１個のコマンドの情報に対してそれぞれ８バイトの領域が設定されることを説明した。８バイト割り当てられたコマンド内部のデータ構造について以下に説明する。８バイト領域の内、タイプ１と２のコマンドは最上位ビットから１６ビット、タイプ３では最上位ビットから１２ビットまでをオペレーションコードの記録領域に設定されている。このオペレーションコードの情報を読むだけでコマンド識別が可能になっている。
【０２５０】
このオペレーションコード内には最上位ビットから順にコマンドＩＤ−１、コマンドＩＤ−２、設定フラグ（Ｉ−フラグ  ｆｏｒ  Ｓｅｔ）、比較用Ｉ−フラグ（Ｉ−フラグ  ｆｏｒ  Ｃｏｍｐ）などの情報が記録されている。類似内容のコマンド毎に同じコマンドＩＤ−１の値を共通にすると共に、最上位ビットから３ビットまでの領域にコマンドＩＤ−１の値を設定している。本発明実施形態においてコマンド情報の最上位ビットから最低でも１６ビットを再生するだけでオペレーションコードの内容が解読でき、コマンドの識別が可能となる。更に、コマンド情報の最上位ビットから数ビットを読むだけでコマンドＩＤ−１とコマンドＩＤ−２が解読でき、およそのコマンド内容が把握できる。本発明実施形態においてコマンド情報内容を上記の構造にすることでコマンドの解読とコマンドに対応した処理の高速化を図れる。また、各コマンド毎のＣｏｍｐａｒｅ  Ｆｉｅｌｄ内の値、Ｂｒａｎｃｈ  Ｆｉｅｌｄ内の値、Ｓｅｔ  Ｆｉｅｌｄ内の値などの設定値や変数値が変数オペランドとしてコマンド内の設定場所が指定されている。
【０２５１】
本発明のＨＤのＤＶＤビデオコンテンツ内で使われる各コマンド毎のコマンド情報内のデータ構造は以下に示すように、
（１）コマンド情報内にＧｏ  Ｔｏインストラクション、Ｌｉｎｋインストラクションオペランド、Ｌｉｎｋサブ・インストラクションのいずれかを含む場合には、それらのインストラクション（またはサブ・インストラクション）を２バイトで構成されるインストラクションオペランド（またはサブ・インストラクションオペランド）の形に設定し、そのインストラクションオペランド（またはサブ・インストラクションオペランド）をコマンド情報内の最下位２バイト位置に配置する。
【０２５２】
（２）コマンド内にＪｕｍｐインストラクションまたはＳｅｔＳｙｓｔｅｍインストラクションを含む場合には、そのインストラクションに対して４バイトで構成されるインストラクションオペランドの形に設定し、そのインストラクションオペランドをコマンド情報内の最上位バイトと最下位バイトのいずれにも属さない中央バイト内（４７ビットから１６ビットまで）に配置する。
【０２５３】
（３）コマンド内にＣｏｍｐａｒｅインストラクションまたはＳｅｔインストラクションが含まれる場合には、そのインストラクションに対して独自のインストラクションオペランドを形成しない。
【０２５４】
さらに、
（４）複合インストラクションコマンドの内容がコマンド情報内の上位ビットにオペレーションコードの形で入り、
（５）コマンドを実行する時に必要な変数値や変数が保存されている場所を示し、変数オペランドがオペレーションコードよりも下位ビット位置に配置されると言う構造を取る所に特徴がある。
【０２５５】
本発明実施形態において全てのコマンド情報内のデータ構造を上記の（１）から（５）に示すような配置方法に規則性を持たせることで、情報再生装置がコマンド情報を解読する時の簡素化が図れ、コマンド解読・対応のコマンド実行処理の高速化が図れると言う効果がある。すなわち、上記のように上位ビット位置でオペレーションコードを指定することで、即座にコマンド内容を理解でき、更にその後ろ（下位ビット領域）に複合インストラクションコマンドを構成する一個のインストラクションに関する情報が“インストラクションオペランド”の形でまとまって配置されることで対応したインストラクション内容の識別が容易になる。
【０２５６】
更に、例えば“Ｃｏｍｐａｒｅ”した後に“ＳｅｔＳｙｓｔｅｍ”を行う“Ｃｏｍｐａｒｅ  ＳｅｔＳｙｓｔｅｍ”コマンドのように、複合インストラクションコマンド（複数の命令処理が組み合わさって１個のコマンドを形成するコマンド）では、上記の（１）から（５）に示す配置方法に加え、
（６）コマンド情報内にどちらか一方のインストラクションに対応したインストラクションオペランド（またはサブ・インストラクション）が配置される場合には、コマンド情報内の残りの部分に他方のインストラクションに関係した変数オペランドまたはインストラクションオペランドが配置される。
【０２５７】
（７）特にＪｕｍｐインストラクションオペランドまたはＳｅｔＳｙｓｔｅｍインストラクションオペランドが含まれる時には、下位の２バイト内に他方のインストラクションに関係した変数オペランドまたはインストラクションオペランドが配置される。
【０２５８】
と言う構造を持つことでコマンド内容の高速識別を容易としコマンド内容の認識処理とコマンド対応実行処理の高速化と簡素化が図れる。
【０２５９】
コマンド情報内のデータ構造内に記載されたインストラクションオペランド内の具体的なデータ構造に関する一例として、ＳｅｔＳｙｓｔｅｍインストラクショングループに属するＳｅｔＧＰＲＭＭＤのインストラクションオペランドのデータ構造の例を図５１に示す。このＳｅｔＧＰＲＭＭＤインストラクションはゼネラルパラメータの値やゼネラルパラメータのモードを変更するインストラクション（命令）である。また、具体的な内容として『図３８に示すｎ番目のセル内の最初に配置されたＶＯＢＵの先頭アドレス（Ｃ＿ＦＶＯＢＵ＿ＳＡ）の値を１番目のゼネラルパラメータ（ＧＰＲＭ（１））値に設定する〔ＳｅｔＧＰＲＭＭＤ：Ｃ＃ｎ＿ＦＶＯＢＵ＿ＳＡ  ｔｏ  ＧＰＲＭ（１）〕』を例としている。この場合には、Ｍｏｄｅ＝０ｂ（Ｒｅｇｉｓｔｅｒ  Ｍｏｄｅ）、設定するゼネラルパラメータ番号は“１”なので“Ｂ２”（最下位バイトから３番目の“バイト”）の値はヘキサゴナル表示で“０１ｈ”となる。
【０２６０】
上記の内容を基に、特定な使用条件下での各オペランド数値を設定したコマンド情報の具体例を図５２に示す。図５１と図５２は“Ｂ７〜Ｂ０”のバイト単位で表現している。
【０２６１】
図５２の（ａ）では『０番目のゼネラルパラメータＧＰＲＭ（０）の値がｎ番目のゼネラルパラメータＧＰＲＭ（ｎ）の値に一致すれば１番目のゼネラルパラメータＧＰＲＭ（１）の値をＣ  ＃ｎ＿ＦＶＯＢＵ＿ＳＡの値に設定する〔Ｉｆ  ＧＰＲＭ（０）＝ＧＰＲＭ（ｎ）  ｔｈｅｎ  ＳｅｔＳｙｓｔｅｍ  ＧＰＲＭ（１）  ｔｏ  Ｃ＃ｎ＿ＦＶＯＢＵ＿ＳＡ〕』と言うコマンドを設定した場合の例を示している。
【０２６２】
図５２の（ｂ）では『４番目のゼネラルパラメータＧＰＲＭ（４）の値が３００以上の場合にはＧＰＲＭ（４）の値に更に１００を加算する〔Ｉｆ  ＧＰＲＭ（４）≧３００  ｔｈｅｎ  ＳｅｔＡｄｄ  １００  ｔｏ  ＧＰＲＭ（４）〕』と言うコマンドを設定した場合の例を示している。
【０２６３】
図５２の（ｃ）では『４番目のゼネラルパラメータＧＰＲＭ（４）に１００の値を設定する〔Ａｓｓｉｇｎ  １００  ｔｏ  ＧＰＲＭ（４）〕』と言うコマンドを設定した場合の例を示している。
【０２６４】
図５２の（ｄ）では『４番目のゼネラルパラメータＧＰＲＭ（４）の現在の値に対して更に５０を加算する〔Ａｄｄ  ５０  ｔｏ  ＧＰＲＭ（４）〕』と言うコマンドを設定した場合の例を示している。
【０２６５】
図５２の（ｅ）では『何も処理をしない〔Ｎｏｔ  Ｏｐｅｒａｔｉｏｎ〕』と言うコマンドを設定した場合の例を示している。
【０２６６】
図５２の（ｆ）では『メニュー画面に戻り、今まで再生していたタイトル（映像）の中断場所を示したリジューム情報（リジューム情報）の値を保存する〔ＣａｌｌＳＳ〕』と言うコマンドを設定した場合の例を示している。
【０２６７】
図５２の（ｇ）では『今まで再生していたタイトル（映像）の中断場所を示したリジューム情報（リジューム情報）の値を保存する〔Ｒｅｓｕｍｅ〕』と言うコマンドを設定した場合の例を示している。
【０２６８】
図５２の（ｈ）では『特定のメニュー記述用言語コードを０番目のシステムパラメータＳＰＲＭ（０）に設定する〔Ａｓｓｉｇｎ  Ｍｅｎｕ  Ｄｅｓｃｒｉｐｔｉｏｎ  Ｌａｎｇｕａｇｅ  Ｃｏｄｅ  ｔｏ  ＳＰＲＭ（０）〕』と言うコマンドを設定した場合の例を示している。
【０２６９】
本発明におけるＨＤのＤＶＤビデオコンテンツの一例としてＴＶゲームストーリーを図５３に示す。図５３の（ａ）ではロールプレーイングゲームを示し、ステップ１の課題をクリアするとステップ２に上がれ、ステップ２の課題をクリアするとステップ３へ進める。最終ステップはステップ４で、ステップ４をクリアすると一度メニュー画面に戻った後、エピローグを表示して終わるストーリーとする。ユーザにはゲーム開始（ステップ１のスタート）時に持ち点として予め１００点が与えられる。各ステップでゲームをしながらロールプレーイングの状況に応じて持ち点が加算されたり、減算されたりする。また、ステップ１とステップ２をクリアした段階でボーナスとして持ち点がそれぞれ５０点ずつ加算される。特にステップ２をクリアし、持ち点が５０点加算された後での持ち点が３００点を超えていた場合には“スペシャルボーナス”として更に持ち点が１００点加算される。また、各ステップの途中でメニュー画面に戻るなどゲームを中断すると、ゲームに戻った時に各ステップの開始位置から再開されるように設定されたとする。
【０２７０】
ゲームの管理情報から見るとゲームの各ステップをそれぞれセルに対応させられる。また、図５３の（ａ）に示すように各セルの情報記憶媒体上の先頭アドレス情報は図３８のＣ＿ＦＶＯＢＵ  ＳＡ内に記録されている値から分かるようにＣ＃１＿ＦＶＯＢＵ＿ＳＡ〜Ｃ＃５＿ＦＶＯＢＵ＿ＳＡで与えられている。また、情報再生装置のメモリ部１２２内に設定された各ゼネラルパラメータを図５３の（ｂ）、（ｃ）のように設定する場合を考える。
【０２７１】
図５３に示したゲームの設定を可能とするための図３６に記載されているプログラムチェーン・コマンドテーブル（ＰＧＣ＿ＣＭＤＴ）５１内の具体的なデータ構造例を図５４に示し、また図３８に記載されたセル・再生情報テーブル（Ｃ＿ＰＢＩＴ）５３内の図５４を考慮に入れた具体的なデータ構造を図５５に示す。図５４に記載された各コマンド情報内の詳細なデータ構造は図５２に示してある。
【０２７２】
例えば、図５３に示すようにステップ４の途中でゲームを中断し、ユーザがメニュー画面を見た後に再度ゲームを再開させた場合、ゲーム中断位置は４番目のセル内にあるので、ゲーム再開時は４番目のセルの開始位置（情報記憶媒体上のアドレスとしてはＣ＃４＿ＦＶＯＢＵ＿ＳＡの位置）から開始させたい。ユーザがゲームを中断させた時には、中断させた場所が含まれるセルの番号情報を図５３の（ｂ）に示すようにＧＰＲＭ（０）内に格納させてある。ユーザがメニュー画面を見た後に再度ゲームを再開させる直前で、レジュームコマンド＃１からレジュームコマンド＃５までを順次連続して（シーケンシャルに）実行させる。図５４に示したレジュームコマンド＃１〜レジュームコマンド＃５ではＧＰＲＭ（０）内に格納された中断時のセル番号を図５３の（ｃ）に示すようにＧＰＲＭ（５）からＧＰＲＭ（９）まで順次比較している。ＧＰＲＭ（０）の値がＧＰＲＭ（ｎ）の値と一致しない場合には次のレジュームコマンドに移る。ＧＰＲＭ（０）の値と一致したＧＰＲＭ（ｎ）の所（図５３に示す例ではＣｅｌｌ＃４を示すＧＰＲＭ（８）の値が一致する。両者の値が一致した時には図５３の（ｂ）に示すように中断アドレス情報が格納されたＧＰＲＭ（１）の値をＣ  ＃４＿ＦＶＯＢＵ＿ＳＡの値に更新し、Ｃｅｌｌ＃４の開始位置から再生を開始させる。それぞれのセルの開始アドレスは図３８に示すようにセル再生情報（Ｃ＿ＰＢＩ）５３０内の“セルの先頭ＶＯＢＵの先頭アドレス（Ｃ＿ＦＶＯＢＵ＿ＳＡ）”に記載されている。
【０２７３】
図５３の（ａ）に示すようにＣｅｌｌ＃１の開始時にはユーザに持ち点１００点が与えられるので、図５４のセルコマンドシーケンスの中で最初のセルコマンド１個を選択する。次にＣｅｌｌ＃２の開始時にはユーザにボーナス点５０点が加算されるので、図５４のセルコマンドシーケンスの中で２番目のセルコマンド１個を選択する。
【０２７４】
次に、Ｃｅｌｌ＃３の開始時にはユーザにボーナス点５０点が加算されるだけでなく、さらに（５０点が加算された後に）ユーザの持ち点が３００点以上か否かを判定し、越えていた場合には更にスーパーボーナス点１００点が加算されるので、セルコマンドシーケンスの中で２番目のセルコマンドと３番目のセルコマンドをシーケンシャルに選択する。従来のＳＤのＤＶＤビデオコンテンツでは１個のセルに対して１個のセルコマンドしか選択できなかった。それに比べて本発明実施形態に従えばＨＳのＤＶＤビデオコンテンツでは複数のセルコマンドのシーケンスが選択できるため、従来よりも遙かにダイナミックな処理が実行でき、ユーザへの迫力のあるコンテンツを提供できる所に特徴がある。
【０２７５】
図５３の（ａ）に示すようにＣｅｌｌ＃３からＣｅｌｌ＃４への移行時には特定のコマンド処理を行わないのでセルコマンドシーケンスの中で４番目のセルコマンドに指定されたＮｏｐ（Ｎｏｔ  Ｏｐｅｒａｔｉｏｎ）処理１個を選択する。
【０２７６】
Ｃｅｌｌ＃４でゲームが終了すると、セルコマンドシーケンスの中で５番目のセルコマンドに指定されたＣａｌｌＳＳコマンドが実行され、メニュー画面へ一度戻る。
【０２７７】
図５６に本発明実施形態における再生中断処理を説明する画面間遷移説明図を示す。再生タイトル（Ｂ）に対してはレジューム許可フラグは“０ｂ”（レジューム情報の更新許可）、ボーナスコンテンツ（Ｃ）を示すＰＧＣに対してはレジューム許可フラグは“１ｂ”（レジューム情報の更新禁止）と設定されている場合の処理について考える。
【０２７８】
ユーザ指示に基づく本発明実施形態における処理フローを図５７に示す。ＰＧＣ＃Ｂの再生処理（ステップ＃１）時にユーザがメニュー画面（Ａ）への移行を指示する（ステップ＃２）と、情報再生装置はＰＧＣ＃Ｂの再生中断情報をメモリ部１２２内に一時保存（ステップ＃３）した後、メニュー画面（Ａ）の表示を行う（ステップ＃４）。次にユーザがボーナスコンテンツ（Ｃ）の再生を指示（ステップ＃５）すると、図２４または図３３、図３４に示したＰＧＣ＃Ｃに関するＲＳＭ許可フラグの値を判定し、“０ｂ：許可”ならリジューム情報の値をＰＧＣ＃Ｃに切り替え、“１ｂ：禁止”の場合にはリジューム情報の値を変更せず、過去に設定した値のまま保持する（ステップ＃６、＃７、＃８）。図５６ではボーナスコンテンツのＰＧＣ＃ＣのＲＳＭ許可フラグの値は“１ｂ：禁止”なので、ＰＧＣ＃Ｂの時のリジューム情報が保持される。情報再生装置としてはＰＧＣ＃Ｃに関するリジューム情報が記録されてないので、ＰＧＣ＃Ｃの最初から再生が開始される（ステップ＃９）。ボーナスコンテンツの再生途中もしくは再生終了後にステップ＃１０に示すようにユーザがメニュー画面（Ａ）への移行を指示した時には、ＰＧＣ＃Ｂの再生中断情報が保持されたままの状態になっている（ステップ＃１１）。ユーザの指示に従い、メニュー画面（Ａ）を再生中（ステップ＃１２）にユーザが再生タイトル（Ｂ）の再生再開を指定（ステップ＃１３）すると、今度は図２４または図３３、図３４に示したＰＧＣ＃Ｂに関するＲＳＭ許可フラグの値を判定する（ステップ＃１４）。ここでは、判定結果のいずれに関わらず、ＰＧＣ＃Ｂの時の再生中断情報が保持されている（ステップ＃１５）ので、情報再生装置はＰＧＣ＃Ｂの中断位置から再生を開始する（ステップ＃１６）。
【０２７９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０２８０】
【図１】本発明実施形態におけるディスク形状の情報記憶媒体１に記録される情報内容を示す図。
【図２】従来のＳＤのＤＶＤビデオコンテンツのファイルシステムを示す図。
【図３】図１の（ｅ）に示すＨＤビデオマネージャ情報領域（ＨＤＶＭＧＩ）３１内のデータ構造を示す図。
【図４】図３のＨＤビデオマネージャ情報・管理テーブル（ＨＤＶＭＧＩ＿ＭＡＴ）３１０内のデータ構造を示す図。
【図５】図３に示したタイトルサーチポインタテーブル（ＴＴ＿ＳＲＰＴ）３１１内のデータ構造を示す図。
【図６】３に示したＨＤビデオマネージャメニュー・ＰＧＣＩ・ユニットテーブル（ＨＤＶＭＧＭ＿ＰＧＣＩ＿ＵＴ）３１２内のデータ構造を示す図。
【図７】図３に示したＨＤビデオマネージャメニューＰＧＣＩ（ＨＤＶＭＧＭ＿ＰＧＣＩ＿ＵＴ）３１２内に記録されるＨＤビデオマネージャメニュー・言語ユニット＃ｎ（ＨＤＶＭＧＭ＿ＬＵ  ＃ｎ）３１２ｃ（図６）内のデータ構造を示す図。
【図８】図７に示したＨＤビデオマネージャメニュー・言語ユニット＃ｎ（ＨＤＶＭＧＭ＿ＬＵ  ＃ｎ）３１２ｃ（図６）内に記録されるＨＤビデオマネージャメニュープログラムチェーンカテゴリ（ＨＤＶＭＧＭ＿ＰＧＣ＿ＣＡＴ）内のデータ構造を示す図。
【図９】図３に示したパレンタルマネジメント（管理）情報テーブル（ＰＴＬ＿ＭＡＩＴ）３１３内のデータ構造を示す図。
【図１０】図９に示したパレンタル管理情報（ＰＴＬ＿ＭＡＩ）３１３ｃ内のデータ構造を示す図。
【図１１】図３に示したＨＤビデオタイトルセット属性情報テーブル（ＨＤＶＴＳ＿ＡＴＲＴ）３１４内のデータ構造を示す図。
【図１２】図３に示したテキストデータマネージャ（ＴＸＴＤＴ＿ＭＧ）３１５内のデータ構造を示す図。
【図１３】図１２に示したテキストデータマネージャ（ＴＸＴＤＴ＿ＭＧ）３１５内のテキストデータ言語ユニット（ＴＸＴＤＴ＿ＬＵ）３１５ｃ内のデータ構造を示す図。
【図１４】図１３に示したテキストデータ言語ユニット（ＴＸＴＤＴ＿ＬＵ）３１５ｃ内のテキストデータ（ＴＸＴＤＴ）３１５ｃ４内のデータ構造を示す図。
【図１５】図３に示したＨＤビデオマネージャメニューセルアドレステーブル（ＨＤＶＭＧＭ＿Ｃ＿ＡＤＴ）３１６内のデータ構造を示す図。
【図１６】図３に示したＨＤビデオマネージャメニュービデオオブジェクトユニットアドレスマップ（ＨＤＶＭＧＭ＿ＶＯＢＵ＿ＡＤＭＡＰ）３１７内のデータ構造を示す図。
【図１７】ＨＤビデオコンテンツのメニュー用ＡＯＢ（ＨＤＭＥＮＵ＿ＡＯＢ）自体に対する管理情報内容を示す図。
【図１８】図２のＨＤ＿ＶＭＧ０１．ＨＤＶファイル内にまとめて格納された図１の（ｅ）に示すメニュー用ビデオオブジェクト領域（ＨＤＶＭＧＭ＿ＶＯＢＳ）３２内のデータ構造を示す図。
【図１９】メニュー用のオーディオオブジェクト領域（ＨＤＭＥＮＵ＿ＡＯＢＳ）内のデータ構造を示す図。
【図２０】図１の（ｆ）に示したＨＤビデオタイトルセット情報領域（ＨＤＶＴＳＩ）４１内のデータ構造を示す図。
【図２１】ＨＤビデオタイトルセット情報管理テーブル（ＨＤＶＴＳＩ＿ＭＡＴ）４１０内のデータ構造を示す図。
【図２２】図２０に示したＨＤビデオタイトルセットＰＴＴサーチポインタテーブル（ＨＤＶＴＳ＿ＰＰＴ＿ＳＲＰＴ）４１１の内のデータ構造を示す図。
【図２３】図２０に示したＨＤビデオタイトルセット・プログラムチェーン情報テーブル（ＨＤＶＴＳ＿ＰＧＣＩＴ）４１２内のデータ構造を示す図。
【図２４】図２３に示したＨＤＶＴＳ＿ＰＧＣＩサーチポインタ（ＨＤＶＴＳ＿ＰＧＣＩ＿ＳＰＲ）内に記録されるＨＤビデオタイトルセットプログラムチェーンカテゴリ（ＨＤＶＴＳ＿ＰＧＣ＿ＣＡＴ）内のデータ構造を示す図。
【図２５】図２０に示したＨＤビデオタイトルセットメニュー・ＰＧＣＩ・ユニットテーブル（ＨＤＶＴＳＭ＿ＰＧＣＩ＿ＵＴ）４１３内のデータ構造を示す図。
【図２６】図２５に示したＨＤビデオタイトルセットメニュー・言語ユニット（ＨＤＶＴＳＭ＿ＬＵ）４１３ｃ内のデータ構造を示す図。
【図２７】図２６に示したＨＤＶＴＳＭ＿ＰＧＣカテゴリ情報（ＨＤＶＴＳＭ＿ＰＧＣ＿ＣＡＴ）内のデータ構造を示す図。
【図２８】図２０に示したのＨＤビデオタイトルセット・タイムマップテーブル（ＨＤＶＴＳ＿ＴＭＡＰＴ）４１４内のデータ構造を示す図。
【図２９】図２０に示したＨＤビデオタイトルセットメニュー・セル・アドレステーブル（ＨＤＶＴＳＭ＿Ｃ＿ＡＤＴ）４１５内のデータ構造を示す図。
【図３０】図２０に示したＨＤビデオタイトルセットメニュー・ビデオオブジェクトユニット・アドレスマップ（ＨＤＶＴＳＭ＿ＶＯＢＵ＿ＡＤＭＡＰ）４１６内のデータ構造を示す図。
【図３１】図２０に示したＨＤビデオタイトルセット・セル・アドレステーブル（ＨＤＶＴＳ＿Ｃ＿ＡＤＴ）４１７内のデータ構造を示す図。
【図３２】図２０に示したＨＤビデオタイトルセット・セル・アドレステーブル（ＨＤＶＴＳ＿Ｃ＿ＡＤＴ）４１７内のデータ構造を示す図。
【図３３】プログラムチェーン情報ＰＧＣＩ内のデータ構造を示す図。
【図３４】プログラムチェーン情報ＰＧＣＩ内のプログラムチェーン・一般情報ＰＧＣＩ＿ＧＩ内のデータ構造を示す図。
【図３５】図３４に示したプログラムチェーン情報ＰＧＣＩ内のプログラムチェーン・コマンドテーブルＰＧＣＩ＿ＣＭＤＴ内のデータ構造を示す図。
【図３６】図３５に示したプログラムチェーン・コマンドテーブルＰＧＣＩ＿ＣＭＤＴ内のプログラムチェーン・コマンドテーブル情報ＰＧＣ＿ＣＭＤＴＩとリジュームコマンドＲＳＭ＿ＣＭＤ内のデータ構造を示す図。
【図３７】プログラムチェーン情報ＰＧＣＩ内に配置されたプログラムチェーン・プログラムマップ（ＰＧＣ＿ＰＧＭＡＰ）とセル・位置情報テーブル（Ｃ＿ＰＯＳＩＴ）５４内のデータ構造を示す図。
【図３８】プログラムチェーン情報ＰＧＣＩ内に配置されたセル・再生情報テーブルＣ＿ＰＢＩＴ内のデータ構造を示す図。
【図３９】本発明の一実施形態の情報再生装置（プレーヤ）の構成を示すブロック図。
【図４０】図３９に示した情報再生装置のグラフィックデコーダ部１１３の詳細な構成を示すブロック図。
【図４１】仮想ビデオアクセスユニットＩＶＡＵの概念を説明する図。
【図４２】仮想ビデオアクセスユニットＩＶＡＵが設定された静止画が記録されたＶＯＢのデータを管理するＨＤビデオタイトルセット・ビデオオブジェクトユニット・アドレスＨＤＶＴＳ＿ＶＯＢＵ＿ＳＡの中に記載される管理データ内容をに示す。
【図４３】仮想ビデオアクセスユニットＩＶＡＵとＨＤマップエントリＨＤＭＡＰ＿ＥＮとの関係を示す。
【図４４】システムパラメータＳＰＲＭの内容を説明する図。
【図４５】ビデオオブジェクト内のグラフィックユニットＧＵの配置図。
【図４６】グラフィックユニット内のデータ構造を示す図。
【図４７】グラフィックユニット内のヘッダ情報内容と一般情報内容を示す図。
【図４８】グラフィックユニット内のマスクデータとグラフィックデータのイメージを説明する図。
【図４９】マスクパターンを含むビデオ合成例を示す図。
【図５０】グラフィックユニットにおけるボタン位置情報を説明する図。
【図５１】コマンド情報内のデータ構造内に記載されたインストラクションオペランド内の具体的なデータ構造に関する一例として、ＳｅｔＳｙｓｔｅｍインストラクショングループに属するＳｅｔＧＰＲＭＭＤのインストラクションオペランドのデータ構造の例を示す図。
【図５２】特定な使用条件下での各オペランド数値を設定したコマンド情報の具体例を示す図。
【図５３】ＨＤのＤＶＤビデオコンテンツの一例としてのＴＶゲームのストーリーを示す図。
【図５４】図５３で示したゲームの設定を可能とするためのプログラムチェーン・コマンドテーブル（ＰＧＣ＿ＣＭＤＴ）５１内の具体的なデータ構造例を示す図。
【図５５】図５４の情報を利用し図５３に示したゲームを実現するセル・再生情報テーブル内のデータを示す図。
【図５６】本発明実施形態における再生中断処理を説明する画面間遷移説明図。
【図５７】本発明実施形態における情報再生装置の再生中断処理を示すフローチャート。
【符号の説明】
【０２８１】
１…ディスク形状の情報記憶媒体、１０…リードイン領域、１１…ボリューム／ファイル構造情報領域、１２…データ領域、１３…リードアウト領域、２０…ビデオデータ記録領域、２１…他のビデオデータ記録領域、２２…一般コンピュータ情報記録領域、３０…ＨＤビデオマネージャ記録領域、３１…ＨＤビデオマネージャ情報領域、３５…ファーストプレイＰＧＣ用言語選択メニュー、３２…メニュー用ビデオオブジェクト領域、３３…メニュー用オーディオオブジェクト領域、３４…ＨＤビデオマネージャ情報バックアップ領域、４０…ＨＤビデオタイトルセット記録領域、４１…ＨＤビデオタイトルセット情報領域、４２…メニュー用ビデオオブジェクト領域、４３…タイトル用ビデオオブジェクト領域、４４…ＨＤビデオタイトルセット情報バックアップ領域。
【図１】
2008140539.tif 000003
【図２】
2008140539.tif 000004
【図３】
2008140539.tif 000005
【図４】
2008140539.tif 000006
【図５】
2008140539.tif 000007
【図６】
2008140539.tif 000008
【図７】
2008140539.tif 000009
【図８】
2008140539.tif 000010
【図９】
2008140539.tif 000011
【図１０】
2008140539.tif 000012
【図１１】
2008140539.tif 000013
【図１２】
2008140539.tif 000014
【図１３】
2008140539.tif 000015
【図１４】
2008140539.tif 000016
【図１５】
2008140539.tif 000017
【図１６】
2008140539.tif 000018
【図１７】
2008140539.tif 000019
【図１８】
2008140539.tif 000020
【図１９】
2008140539.tif 000021
【図２０】
2008140539.tif 000022
【図２１】
2008140539.tif 000023
【図２２】
2008140539.tif 000024
【図２３】
2008140539.tif 000025
【図２４】
2008140539.tif 000026
【図２５】
2008140539.tif 000027
【図２６】
2008140539.tif 000028
【図２７】
2008140539.tif 000029
【図２８】
2008140539.tif 000030
【図２９】
2008140539.tif 000031
【図３０】
2008140539.tif 000032
【図３１】
2008140539.tif 000033
【図３２】
2008140539.tif 000034
【図３３】
2008140539.tif 000035
【図３４】
2008140539.tif 000036
【図３５】
2008140539.tif 000037
【図３６】
2008140539.tif 000038
【図３７】
2008140539.tif 000039
【図３８】
2008140539.tif 000040
【図３９】
2008140539.tif 000041
【図４０】
2008140539.tif 000042
【図４１】
2008140539.tif 000043
【図４２】
2008140539.tif 000044
【図４３】
2008140539.tif 000045
【図４４】
2008140539.tif 000046
【図４５】
2008140539.tif 000047
【図４６】
2008140539.tif 000048
【図４７】
2008140539.tif 000049
【図４８】
2008140539.tif 000050
【図４９】
2008140539.tif 000051
【図５０】
2008140539.tif 000052
【図５１】
2008140539.tif 000053
【図５２】
2008140539.tif 000054
【図５３】
2008140539.tif 000055
【図５４】
2008140539.tif 000056
【図５５】
2008140539.tif 000057
【図５６】
2008140539.tif 000058
【図５７】
2008140539.tif 000059